(57)【要約】【課題】本発明は、データ伝送が一時的に途切れた場合でも簡単な操作で途切れたデータ位置からデータ信号を継続的に送信することができるデータ通信システムの提供を目的とする。【解決手段】ＡＶデータ送信装置３が時刻ｔａから時刻ｔｂの間において、ＡＶデータ受信装置４からのＡＣＫ信号及び再送要求信号を受信しない状態が続いたことを確認すると、ＡＶソース機器１を一時停止させる。又、ＡＶデータ送信装置３が時刻ｔｃから時刻ｔｄの間において、ＡＶデータ受信装置４からのＡＣＫ信号を連続して確認すると、一時停止させていたＡＶソース機器１に再生動作を再開させる。【選択図】      図６
2004336090.tif 000002
【特許請求の範囲】
【請求項１】
データ信号を送信するデータ送信部と、前記データ信号を受信するデータ受信装置から送信される当該データ受信装置の受信状態を示す受信状態通知信号を受信するデータ受信部とを備えるデータ送信装置において、
前記データ受信部で受信した前記受信状態通知信号より前記データ受信装置が正常に受信動作を行っているか否かを確認する受信状況解析部と、
該受信状況解析部で正常に受信動作が行われていないことが確認されたとき、前記データ受信装置が安定な通信が不可能な状態であると判断して前記データ信号の送信動作を一時停止させ、又、該データ信号の送信動作の一時停止又は停止中に、該受信状況解析部で前記データ受信装置の受信動作が正常に行われていることを確認したとき、前記データ受信装置が安定な通信が可能な状態であると判断して該データ信号の送信動作を開始させる機器制御部と、
を備えることを特徴とするデータ送信装置。
【請求項２】
前記データ信号が時系列で発生するデータによるデータ信号であり、
前記データ受信装置が安定な通信が不可能な状態であることを判断したときの時間軸上のデータ位置を再生再開データ位置として格納する再生再開データ記憶部を備え、
前記データ受信装置が安定な通信が可能な状態であることを判断したとき、前記再生再開データ位置から前記データ信号を送信することを特徴とする請求項１に記載のデータ送信装置。
【請求項３】
時系列で発生するデータによるデータ信号を送信するデータ送信部と、前記データ信号を受信するデータ受信装置から送信される当該データ受信装置の受信状態を示す受信状態通知信号を受信するデータ受信部とを備えるデータ送信装置において、
前記データ受信部で受信した前記受信状態通知信号より前記データ受信装置が正常に受信動作を行っているか否かを確認する受信状況解析部と、
前記データ受信装置が安定な通信が不可能な状態であることを判断したときの時間軸上のデータ位置を再生再開データ位置として格納する再生再開データ記憶部と、
前記受信状況解析部で正常に受信動作が行われていないことが確認されたとき、前記データ受信装置が安定な通信が不可能な状態であると判断して前記再生再開データ位置を前記再生再開データ記憶部に格納し、その後、前記受信状況解析部で前記データ受信装置の受信動作が正常に行われていることを確認したとき、前記データ受信装置が安定な通信が可能な状態であると判断して前記再生再開データ記憶部に格納した前記再生再開データ位置から前記データ信号の送信動作を開始させる機器制御部と、
を備えることを特徴とするデータ送信装置。
【請求項４】
前記データ受信装置が安定な通信が可能な状態であることを判断したとき、
前記データ受信装置が安定な通信が不可能な状態であることを判断したときに設定された前記再生再開データ位置までの既に前記データ信号として送信されたデータのうち、再度送信するデータの時間軸における長さを重複時間として設定するとともに、
前記再生再開データ位置から前記重複時間を減算したデータ位置を新たに再生再開データ位置として設定し、当該再生再開データ位置からのデータを前記データ信号として送信することを特徴とする請求項２又は請求項３に記載のデータ送信装置。
【請求項５】
前記受信状況解析部において、
前記データ受信装置が安定な通信が可能な状態であることを判断したときの現在時刻である第１時刻を確認するとともに、前記データ受信装置が安定な通信が不可能な状態であることを判断したときの第２時刻と該第１時刻との時間差を求め、
当該第２時刻と該第１時刻との時間差に基づいて前記重複時間を求めることを特徴とする請求項４に記載のデータ送信装置。
【請求項６】
前記重複時間が、前記データ受信装置を通じて設定されることを特徴とする請求項４に記載のデータ送信装置。
【請求項７】
前記再生再開データ位置から前記データ信号を送信する際、前記再生再開データ位置のデータを所定時間分だけ前記データ受信装置に送信し、前記データ受信装置を通じて送信した前記再生再開データ位置からの前記データ信号の送信が許可されると、当該再生再開データ位置からの前記データ信号を送信することを特徴とする請求項２〜請求項６のいずれかに記載のデータ送信装置。
【請求項８】
前記再生再開データ位置のデータを前記再生再開データ記憶部に記録することを特徴とする請求項２〜請求項７のいずれかに記載のデータ送信装置。
【請求項９】
１つ又は複数のコンテンツそれぞれに対する前記再生再開データ位置が前記再生再開データ記憶部に格納され、
前記データ受信装置を通じて再開が指示された前記コンテンツの前記再生再開データ位置を前記再生再開データ記憶部より読み出して、当該コンテンツの再生再開データ位置からのデータ信号を送信することを特徴とする請求項２〜請求項８のいずれかに記載のデータ送信装置。
【請求項１０】
前記受信状況解析部で前記データ受信装置が正常に受信動作を行っていることを確認すると、
前記データ受信装置に対して、前記コンテンツそれぞれに関するデータ及び前記再生再開データ位置を、前記再生再開データ記憶部より読み出して前記データ受信装置に通知することを特徴とする請求項９に記載のデータ送信装置。
【請求項１１】
前記再生再開データ記憶部に格納される前記再生再開データ位置のコンテンツそれぞれに対して、再生再開が許可されるユーザが指定されて前記再生再開データ記憶部内に記憶されるとともに、
前記再生再開データ位置のコンテンツに対して許可されたユーザであることを前記データ受信装置を通じて確認したときに初めて、特定された前記コンテンツに対する前記再生再開データ位置から前記データ信号の送信動作を再開することを特徴とする請求項９又は請求項１０に記載のデータ送信装置。
【請求項１２】
所定レベル以上となる受信エラーが確認された時間軸上のデータ位置をエラー発生データ位置として記録し、
記録した複数の前記エラー発生データ位置及び前記再生再開データ位置より１つのデータ位置が前記データ受信装置を通じて選択されると、選択された当該データ位置を新たに再生再開データ位置として設定し、該新たに設定された再生再開データ位置より前記データ信号を送信することを特徴とする請求項２〜請求項１１のいずれかに記載のデータ送信装置。
【請求項１３】
記録された前記エラー発生データ位置の数が所定数を超えたとき、最も過去に記録された前記エラー発生データ位置が削除されることを特徴とする請求項１２に記載のデータ送信装置。
【請求項１４】
記録された前記エラー発生データ位置の数が所定数を超えたとき、前記受信エラーの度合いが最も低いときの前記エラー発生データ位置が削除されることを特徴とする請求項１２に記載のデータ送信装置。
【請求項１５】
記録された前記エラー発生データ位置において、記録された時刻と現在時刻との時間差が所定時間以上となる前記エラー発生データ位置が削除されることを特徴とする請求項１２〜請求項１４のいずれかに記載のデータ送信装置。
【請求項１６】
前記データ受信装置が安定な通信が不可能な状態であることを判断した後、前記データ受信装置の受信状態を確認するための受信確認用データ信号を生成して送信することを特徴とする請求項１〜請求項１５のいずれかに記載のデータ送信装置。
【請求項１７】
前記受信確認用データ信号が、前記データ受信装置が安定な通信が不可能な状態であることを判断したときのデータによって生成されることを特徴とする請求項１６に記載のデータ送信装置。
【請求項１８】
前記データ信号がＡＶデータによるものであるとともに、前記送信動作が一時停止されているデータ信号のコンテンツが、記録しながら再生可能なタイムシフト機能が使用可能な放送コンテンツであるとき、
当該放送コンテンツのデータ信号の送信動作を一時停止する際、前記タイムシフト機能を使用して、前記放送コンテンツのＡＶデータを記録し、
前記放送コンテンツのデータ信号の送信動作を再開する際、前記タイムシフト機能を継続して使用することを特徴とする請求項１〜請求項１７のいずれかに記載のデータ送信装置。
【請求項１９】
前記タイムシフト機能が使用可能な前記放送コンテンツの前記データ信号の送信動作を再開する際、前記放送コンテンツが通常の再生時よりも早い速度で再生されるように、前記データ信号が生成されることを特徴とする請求項１８に記載のデータ送信装置。
【請求項２０】
前記タイムシフト機能が使用可能な前記放送コンテンツの前記データ信号の送信動作を一時停止する際、前記放送コンテンツの本編となるＡＶデータのみが記録されることを特徴とする請求項１８又は請求項１９に記載のデータ送信装置。
【請求項２１】
前記データ受信装置が安定な通信が不可能な状態であることを判断したとき、前記データ信号の生成動作及び送信動作を一時停止させ、又、前記データ受信装置が安定な通信が可能な状態であることを判断したとき、前記データ信号の生成動作及び送信動作を再開させることを特徴とする請求項１〜請求項２０のいずれかに記載のデータ送信装置。
【請求項２２】
前記データ信号を生成するソースより前記データ信号が入力され、入力された前記データ信号を前記データ送信部に与えるインターフェースを備えるとともに、
前記データ受信装置が安定な通信が不可能な状態であることを判断したとき、前記ソースにおける前記データ信号の生成動作を一時停止させるとともに前記データ信号の送信動作を一時停止させ、又、前記データ受信装置が安定な通信が可能な状態であることを判断したとき、前記ソースにおける前記データ信号の生成動作を再開させるともに前記データ信号の送信動作を再開させることを特徴とする請求項２１に記載のデータ送信装置。
【請求項２３】
前記再生再開データ位置からのデータ信号を一時格納するバッファを備え、
前記データ受信装置が安定な通信が可能な状態であることを判断したとき、前記バッファ内に格納された前記再生再開データ位置からのデータ信号を読み出して送信した後、前記バッファ内の前記データ信号以降からの前記データ信号の生成動作を開始させることを特徴とする請求項１〜請求項２２のいずれかに記載のデータ送信装置。
【請求項２４】
前記データ信号を一時格納するバッファを備え、
前記データ信号の送信動作を一時停止させるとき、前記データ信号の生成動作を所定時間継続させるとともに当該所定時間分の前記データ信号を前記バッファに格納した後、前記データ信号の生成動作を一時停止させ、
又、前記データ信号の送信動作を開始させるとき、前記バッファ内に格納された前記データ信号を読み出して送信した後、前記バッファ内の前記データ信号以降からの前記データ信号の生成動作を開始させることを特徴とする請求項２１又は請求項２２に記載のデータ送信装置。
【請求項２５】
データ信号を送信するデータ送信部と、前記データ信号を受信するデータ受信装置から送信される当該データ受信装置の受信状態を示す受信状態通知信号を受信するデータ受信部とを備えるデータ送信装置において、
前記データ信号を一時格納するバッファを備え、
前記データ受信装置より通信状態が悪化したことが通知された後、再び通信状態が良好になったことが通知されると、前記バッファ内に格納された前記データ信号を読み出して送信した後、前記バッファ内の前記データ信号以降からの前記データ信号の生成動作を開始させて送信することを特徴とするデータ送信装置。
【請求項２６】
前記データ信号の送信動作を行っているときにおいても、前記バッファに前記データ信号を一時格納した後、前記データ送信部に与えることを特徴とする請求項２３〜請求項２５のいずれかに記載のデータ送信装置。
【請求項２７】
前記データ信号を前記データ送信部に送出した後も、所定時間、前記バッファに格納することを特徴とする請求項２６に記載のデータ送信装置。
【請求項２８】
複数の前記データ受信装置に対して、前記データ信号の受信を許可していることを特徴とする請求項１〜請求項２７のいずれかに記載のデータ送信装置。
【請求項２９】
前記データ受信装置の受信状態に応じて前記機器制御部の動作を設定する受信状態対応動作制御機能を備え、
複数の前記データ受信装置に前記データ信号を並列的に送信するとき、当該受信状態対応動作制御機能を無効とすることを特徴とする請求項２８に記載のデータ送信装置。
【請求項３０】
前記データ受信装置の受信状態に応じて前記機器制御部の動作を設定する受信状態対応動作制御機能を備え、
当該受信状態対応動作制御機能を有効とするとき、１台の前記データ受信装置にのみ前記データ信号を送信することを特徴とする請求項２８に記載のデータ送信装置。
【請求項３１】
複数の前記データ受信装置に前記データ信号を送信しているときに、前記受信状態対応動作制御機能を有効とすると、当該受信状態対応動作制御機能を有効としたときに前記データ信号を送信する前記データ受信装置以外の前記データ受信装置に対して、受信動作の停止を指示することを特徴とする請求項３０に記載のデータ送信装置。
【請求項３２】
前記データ受信装置の受信状態に応じて前記機器制御部の動作を設定する受信状態対応動作制御機能を備え、
当該受信状態対応動作制御機能を有効として前記データ信号を複数の前記データ受信装置に送信する際、前記データ受信装置のうちの１台の受信状態を基準とすることを特徴とする請求項２８に記載のデータ送信装置。
【請求項３３】
複数の前記データ受信装置に前記データ信号を送信しているときに、前記受信状態対応動作制御機能を有効とすると、当該受信状態対応動作制御機能を有効としたときに受信状態が基準とされる前記データ受信装置以外の前記データ受信装置に対して、前記受信状態が基準とされる前記データ受信装置を通知することを特徴とする請求項３２に記載のデータ送信装置。
【請求項３４】
前記受信状態通知信号を定期的に受信するとともに、
当該受信状態通知信号が受信できなかった期間が第１所定期間以上であるとき、前記データ受信装置が安定な通信が不可能な状態であると判断し、
又、前記受信状態通知信号を連続して受信した期間が第２所定期間以上となるとき、前記データ受信装置が安定な通信が可能な状態であると判断することを特徴とする請求項１〜請求項３３のいずれかに記載のデータ送信装置。
【請求項３５】
前記受信状態通知信号を定期的に受信するとともに、
前記受信状況解析部で前記受信状態通知信号より前記データ受信装置が正常に受信動作を行っていないことが連続して確認された期間が第１所定期間以上であるとき、前記データ受信装置が安定な通信が不可能な状態であると判断し、
又、前記受信状況解析部で前記受信状態通知信号より前記ＡＶデータ受信装置が正常に受信動作を行っていることが連続して確認された期間が第２所定期間以上であるとき、前記データ受信装置が安定な通信が可能な状態であると判断することを特徴とする請求項１〜請求項３３のいずれかに記載のデータ送信装置。
【請求項３６】
前記受信状態通知信号を定期的に受信するとともに、
前記受信状況解析部で前記受信状態通知信号より前記データ受信装置が正常に受信動作が行われていない受信エラーの発生率が第１所定値以上であるとき、前記データ受信装置が安定な通信が不可能な状態であると判断し、
又、前記受信状況解析部で前記受信エラーの発生率が第２所定値以下であるとき、前記データ受信装置が安定な通信が可能な状態であると判断することを特徴とする請求項１〜請求項３３のいずれかに記載のデータ送信装置。
【請求項３７】
前記データ受信装置が安定な通信が不可能な状態であることを判断する基準値、及び、前記データ受信装置が通信可能な状態であることを判断する基準値を設定する動作切換設定部を備えることを特徴とする請求項１〜請求項３６のいずれかに記載のＡＶデータ送信装置。
【請求項３８】
前記データ受信装置が安定な通信が不可能な状態であることを判断してから所定時間が経過するまでの間、前記データ受信装置が安定な通信が可能な状態であることを判断することがない場合、前記データ信号の送信動作を停止することを特徴とする請求項１〜請求項３７のいずれかに記載のデータ送信装置。
【請求項３９】
データ送信装置からのデータ信号を受信するデータ受信部と、該データ受信部で受信した前記データ信号を復号化するデータ解析部と、を備えるデータ受信装置において、
前記データ受信部で正常に前記データ信号が受信されたか否かを確認する受信状況判定部と、
該受信状況判定部で正常に受信動作が行われていないことが確認されたとき、自機器が安定な通信が不可能な状態であると判断して前記データ送信装置における前記データ信号の送信動作を一時停止させる一時停止制御データを生成し、又、前記データ送信装置における前記データ信号の送信動作の一時停止又は停止中に、前記受信状況判定部で正常に受信動作が行われていることが確認されたとき、自機器が安定な通信が可能な状態であると判断して前記データ送信装置における前記データ信号の送信動作を開始させる送信再開制御データを生成する機器制御部と、
前記機器制御部で生成した前記一時停止制御データ又は前記送信再開制御データを前記データ送信装置に送信するデータ送信部と、
を有することを特徴とするデータ受信装置。
【請求項４０】
前記データ信号が時系列で発生するデータによるデータ信号であるとき、
自機器が安定な通信が不可能な状態であることを判断したときの時間軸上のデータ位置を再生再開データ位置として格納する再生再開データ記憶部を備え、
自機器が安定な通信が可能な状態であることを判断したとき、前記再生再開データ位置から前記データ信号を送信させる前記送信再開制御データを送信することを特徴とする請求項３９に記載のデータ受信装置。
【請求項４１】
時系列で発生するデータによるデータ信号をデータ送信装置から受信するデータ受信部と、該データ受信部で受信した前記データ信号を復号化するデータ解析部と、を備えるデータ受信装置において、
前記データ受信部で正常に前記データ信号が受信されたか否かを確認する受信状況判定部と、
自機器が安定な通信が不可能な状態であることを判断したときの時間軸上のデータ位置を再生再開データ位置として格納する再生再開データ記憶部と、
前記受信状況判定部で正常に受信動作が行われていないことが確認されたとき、自機器が安定な通信が不可能な状態であると判断して前記再生再開データ位置を前記再生再開データ記憶部に格納し、その後、前記受信状況判定部で正常に受信動作が行われていることが確認されたとき、自機器が安定な通信が可能な状態であると判断して前記再生再開データ位置から前記データ信号を前記データ送信装置に送信させる送信再開制御データを生成する機器制御部と、
前記機器制御部で生成した前記送信再開制御データを前記データ送信装置に送信するデータ送信部と、
を有することを特徴とするデータ受信装置。
【請求項４２】
自機器が安定な通信が可能な状態であると判断したとき、
自機器が安定な通信が不可能な状態であると判断したときに設定された前記再生再開データ位置までの既に前記データ信号として送信されたデータのうち、再度送信するデータの時間軸におけるの長さを重複時間として設定するとともに、
前記再生再開データ位置から前記重複時間を減算したデータ位置を新たに再生再開データ位置として設定し、当該再生再開データ位置からのデータを前記データ信号として送信させる前記送信再開制御データを送信することを特徴とする請求項４０又は請求項４１に記載のデータ受信装置。
【請求項４３】
前記受信状況判定部において、
自機器が安定な通信が可能な状態であると判断したときの現在時刻である第１時刻を確認するとともに、自機器が安定な通信が不可能な状態であると判断したときの第２時刻と該第１時刻との時間差を求め、
当該第２時刻と該第１時刻との時間差に基づいて前記重複時間を求めることを特徴とする請求項４２に記載のデータ受信装置。
【請求項４４】
前記重複時間が、ユーザによって入力されることで設定されることを特徴とする請求項４２に記載のデータ受信装置。
【請求項４５】
選択可能な前記重複時間を通知することを特徴とする請求項４２〜請求項４４のいずれかに記載のデータ受信装置。
【請求項４６】
自機器が安定な通信が可能な状態であると判断したとき、前記再生再開データ位置のデータを所定時間分だけ再生させた後、前記再生再開データ位置からの前記データ信号の再生再開が許可されると、当該再生再開データ位置からの前記データ信号を送信させる前記送信再開制御データを送信することを特徴とする請求項４０〜請求項４５のいずれかに記載のデータ受信装置。
【請求項４７】
前記再生再開データ位置のデータを前記再生再開データ記憶部に記録することを特徴とする請求項４０〜請求項４６のいずれかに記載のデータ受信装置。
【請求項４８】
１つ又は複数のコンテンツそれぞれに対する前記再生再開データ位置が前記再生再開データ記憶部に格納され、
再開が指示された前記コンテンツの前記再生再開データ位置を前記再生再開データ記憶部より読み出して、当該コンテンツの再生再開データ位置からのデータ信号を送信させる前記送信再開制御データを送信することを特徴とする請求項４０〜請求項４７のいずれかに記載のデータ受信装置。
【請求項４９】
前記受信状況判定部で正常に受信動作を行っていることを確認すると、
前記コンテンツそれぞれに関するデータ及び前記再生再開データ位置を、前記再生再開データ記憶部より読み出して通知することを特徴とする請求項４８に記載のデータ受信装置。
【請求項５０】
前記再生再開データ記憶部に格納される前記再生再開データ位置のコンテンツそれぞれに対して、再生再開が許可されるユーザが指定されて前記再生再開データ記憶部内に記憶されるとともに、
前記再生再開データ位置のコンテンツに対して許可されたユーザであることを確認したときに初めて、前記再生再開データ位置から前記データ信号を送信させる前記送信再開制御データを送信することを特徴とする請求項４８又は請求項４９に記載のデータ受信装置。
【請求項５１】
所定レベル以上となる受信エラーが確認されたデータ位置をエラー発生データ位置として記録し、
前記送信再開制御データを送信する際、記録した複数の前記エラー発生データ位置及び前記再生再開データ位置より１つのデータ位置が選択されると、選択された当該データ位置を新たに再生再開データ位置として設定し、該新たに設定された再生再開データ位置より前記データ信号を送信させる前記送信再開制御データを送信することを特徴とする請求項４０〜請求項５０のいずれかに記載のデータ受信装置。
【請求項５２】
記録された前記エラー発生データ位置の数が所定数を超えたとき、最も過去に記録された前記エラー発生データ位置が削除されることを特徴とする請求項５１に記載のデータ受信装置。
【請求項５３】
記録された前記エラー発生データ位置の数が所定数を超えたとき、前記受信エラーの度合いが最も低いときの前記エラー発生データ位置が削除されることを特徴とする請求項５１に記載のデータ受信装置。
【請求項５４】
記録された前記エラー発生データ位置において、記録された時刻と現在時刻との時間差が所定時間以上となる前記エラー発生データ位置から削除されることを特徴とする請求項５１〜請求項５３のいずれかに記載のデータ受信装置。
【請求項５５】
選択可能な前記エラー発生データ位置を通知することを特徴とする請求項５１〜請求項５４のいずれかに記載のデータ受信装置。
【請求項５６】
通知する前記エラー発生データ位置が所定数であることを特徴とする請求項５５に記載のデータ受信装置。
【請求項５７】
通知する前記エラー発生データ位置が現在時刻に近いものから順に選択されることを特徴とする請求項５４又は請求項５５に記載のデータ受信装置。
【請求項５８】
通知する前記エラー発生データ位置が前記受信エラーが所定レベル以上のものが選択されることを特徴とする請求項５５〜請求項５７のいずれかに記載のデータ受信装置。
【請求項５９】
自機器が安定な通信が不可能な状態であることを判断した後、前記データ送信装置から送信される受信状態を確認するための受信確認用データ信号を受信することを特徴とする請求項３９〜請求項５８のいずれかに記載のデータ受信装置。
【請求項６０】
前記受信確認用データ信号が、自機器が安定な通信が不可能な状態であることを判断したときのデータによって生成されることを特徴とする請求項５９に記載のデータ受信装置。
【請求項６１】
前記データ信号がＡＶデータによるものであるとともに、前記送信動作が一時停止されているデータ信号のコンテンツが、記録しながら再生可能なタイムシフト機能が使用可能な放送コンテンツであるとき、
当該放送コンテンツのデータ信号の送信動作を一時停止させる一時停止制御データを送信する際、前記タイムシフト機能を使用して、前記放送コンテンツのデータ信号を記録させる一時停止制御データを送信し、
前記放送コンテンツのデータ信号の送信動作を再開させる前記送信再開制御データを送信する際、前記タイムシフト機能を継続して使用させる送信再開制御データを送信することを特徴とする請求項３９〜請求項６０のいずれかに記載のデータ受信装置。
【請求項６２】
前記送信再開制御データを送信する際、前記放送コンテンツを通常の再生時よりも早い速度で再生させることを指示する前記送信再開制御データを送信することを特徴とする請求項６１に記載のデータ受信装置。
【請求項６３】
前記一時停止制御データを送信する際、前記放送コンテンツの本編となるＡＶデータのみを記録させることを指示する前記一時停止制御データを送信することを特徴とする請求項６１又は請求項６２に記載のデータ受信装置。
【請求項６４】
前記データ送信装置が、複数の前記データ受信装置に対して前記データ信号の受信を許可していることを特徴とする請求項３９〜請求項６３のいずれかに記載のデータ受信装置。
【請求項６５】
自機器の受信状態に応じて前記機器制御部の動作を設定する受信状態対応動作制御機能を備え、
自機器を含む複数の前記データ受信装置に前記データ信号が前記データ送信装置から並列的に送信されるとき、前記受信状態対応動作制御機能を無効とすることを特徴とする請求項６４に記載のデータ受信装置。
【請求項６６】
自機器の受信状態に応じて前記機器制御部の動作を設定する受信状態対応動作制御機能を備え、
前記受信状態対応動作制御機能を有効として前記データ送信装置からの前記データ信号を受信するとき、自機器以外の他の前記データ受信装置の受信動作を停止させることを特徴とする請求項６４に記載のデータ受信装置。
【請求項６７】
自機器の受信状態に応じて前記機器制御部の動作を設定する受信状態対応動作制御機能を備え、
前記受信状態対応動作制御機能を有効として前記データ送信装置からの前記データ信号を受信するとき、自機器以外の他の前記データ受信装置の前記受信状態対応動作制御機能を無効とさせることを特徴とする請求項６４に記載のデータ受信装置。
【請求項６８】
前記受信状況判定部において、前記データ信号の連続性に基づいて、正常に受信動作が行われているか否かを判定することを特徴とする請求項３９〜請求項６７のいずれかに記載のデータ受信装置。
【請求項６９】
前記データ信号がＡＶデータによるデータ信号であり、前記受信状況判定部において、前記データ解析部で復号化した音声データの連続性に基づいて、正常に受信動作が行われているか否かを判定することを特徴とする請求項３９〜請求項６７のいずれかに記載のデータ受信装置。
【請求項７０】
正常に受信動作が行われているか否かを前記受信状況判定部において判定する基準値を設定する動作切換設定部を備えることを特徴とする請求項３９〜請求項６９のいずれかに記載のデータ受信装置。
【請求項７１】
前記データ信号の再生動作を停止することが指示されたことを確認したとき、前記機器制御部において前記データ信号の送信動作を停止させる送信停止制御データを生成し、前記データ送信部から前記データ送信装置に該送信停止制御データを送信することを特徴とする請求項３９〜請求項７０のいずれかに記載のデータ受信装置。
【請求項７２】
請求項１〜請求項３８のいずれかに記載のデータ送信装置と、当該データ送信装置からの前記データ信号を受信するデータ受信装置とによって構成されることを特徴とするデータ通信システム。
【請求項７３】
請求項３９〜請求項７１のいずれかに記載のデータ受信装置と、当該データ受信装置に前記データ信号を送信するデータ送信装置とによって構成されることを特徴とするデータ通信システム。
【請求項７４】
請求項１〜請求項３８のいずれかに記載のデータ送信装置と、請求項３９〜請求項７１のいずれかに記載のデータ受信装置とによって構成されることを特徴とするデータ通信システム。
【請求項７５】
１台の前記データ送信装置に対して複数の前記データ受信装置が当該データ送信装置からの前記データ信号を受信可能とされるとともに、
複数の前記データ受信装置のうちの一台である第１データ受信装置が前記データ送信装置とデータ通信を行った後、前記データ送信装置との通信を切断したとき、前記データ送信装置が前記データ信号の送信を一時停止し、
複数の前記データ受信装置のうちの一台である第２データ受信装置が前記データ送信装置と通信接続したとき、前記データ送信装置が一時停止したときのデータ位置に基づいて設定される再生再開データ位置から前記データ信号を送信することを特徴とする請求項７２〜請求項７４のいずれかに記載のデータ通信システム。
【請求項７６】
１台の前記データ送信装置に対して複数の前記データ受信装置が当該データ送信装置からの前記データ信号を受信可能とされるとともに、
前記データ送信装置が複数の前記データ受信装置に前記データ信号を送信するとき、前記データ受信装置の受信状態に応じて前記データ信号の送信動作を制御する受信状態対応動作制御機能を無効にすることを特徴とする請求項７２〜請求項７５のいずれかに記載のデータ通信システム。
【請求項７７】
１台の前記データ送信装置に対して複数の前記データ受信装置が当該データ送信装置からの前記データ信号を受信可能とされるとともに、
前記データ受信装置の受信状態に応じて前記データ信号の送信動作を制御する受信状態対応動作制御機能を有効にするとき、前記データ送信装置が１台の前記データ受信装置にのみ前記データ信号を送信し、他の前記データ受信装置の受信動作を停止させることを特徴とする請求項７２〜請求項７５のいずれかに記載のデータ通信システム。
【請求項７８】
１台の前記データ送信装置に対して複数の前記データ受信装置が当該データ送信装置からの前記データ信号を受信可能とされるとともに、
前記データ受信装置の受信状態に応じて前記データ信号の送信動作を送信動作を制御する受信状態対応動作制御機能を有効にするとき、前記データ送信装置が前記データ信号を送信する複数の前記データ受信装置のうちの１台のデータ受信装置の受信状態に基づいて、前記受信状態対応動作制御機能が使用されることを特徴とする請求項７２〜請求項７５のいずれかに記載のデータ通信システム。
【発明の詳細な説明】
【０００１】
【発明の属する技術分野】
本発明は、データ信号を暗号化コードで暗号化して送信するデータ送信装置、及び、暗号化されたデータ信号を受信して復号化するデータ受信装置、及び、このデータ送信装置及びデータ受信装置によるデータ通信システムに関する。
【０００２】
【従来の技術】
近年、有線接続の煩雑さと無線技術の発達により、チューナ、ビデオ、ＤＶＤなどのＡＶソース機器からディスプレイやプロジェクタなどのＡＶ再生装置に対してＡＶデータを送信し、ＡＶ再生装置において映像や音声を表示又は出力するＡＶデータ無線通信システムが提供されている。このＡＶデータ無線通信システムを実現するために、ＡＶソース機器にＡＶデータを送信するＡＶデータ送信装置が接続されるとともに、ＡＶ再生装置にＡＶデータ受信装置が接続される。又、このＡＶデータ送信装置がＡＶソース機器に備えられるとともに、ＡＶデータ受信装置がＡＶ再生装置に備えられることで、ＡＶソース機器とＡＶ再生装置とによってＡＶデータ無線通信システムが構成されることもある。
【０００３】
従来のＡＶデータ無線通信システムの構成例を、図５７に示す。図５７では、ＡＶデータ送信装置及びＡＶデータ受信装置が１対１の関係となるＡＶデータ無線通信システムが構成されている。即ち、ＡＶソース機器１と有線で接続されたＡＶデータ送信装置１０１のアンテナ５１１（図５８参照）から、ＡＶソース機器１から出力されたＡＶデータが送信される。このＡＶソース機器１からのＡＶデータは、ＡＶデータ受信装置１０２のアンテナ５４１（図５９参照）で受信される。そして、ＡＶデータ受信装置１０２で受信されると、ＡＶデータ受信装置１０２と有線で接続されたＡＶ再生装置２に与えられて再生表示される。
【０００４】
又、ＡＶソース機器１を操作するためのリモートコントローラ（リモコン）１１が操作されて赤外線信号が送信されると、この赤外線信号がＡＶデータ受信装置１０２のリモコンデータ受信部５５３で受信された後、無線通信用の信号に変換されてアンテナ５４１から送信される。そして、この信号がＡＶデータ受信装置１０１のアンテナ５１１で受信されると、赤外線信号に変換されてリモコン出力部５１７から送信された後、ＡＶソース機器１の赤外線信号受信部１２で受信されて、リモコン１１で指示された動作をＡＶソース機器１が行う。
【０００５】
又、上述のＡＶデータ送信装置１０１は、図５８に示すように、ＮＴＳＣ等のアナログＡＶデータを入力するアナログ入力部５０２とデジタル信号を入力するデジタル入力部５０１がある。アナログデータは、Ａ／Ｄ変換部（以下、「Ａ／Ｄ」とする）５０３でデジタル化され、ＭＰＥＧ部５０４でエンコードされ、各種データはデータ生成部５０５で整理され、誤り訂正符号付加部５０６で誤り符号が付加され、データスクランブル部５０７で暗号化（スクランブル）され、ベースバンド（以下、「ＢＢ」とする）５０９、高周波増幅回路（以下、「ＲＦ」とする）５１０、アンテナ５１１という経路でＡＶデータ受信側に送信される。このとき、データスクランブル部５０７でスクランブルするために使用されるＩＤはＩＤ記憶部５２０に記憶されている。入力されるデータがデジタルデータである場合、デジタル入力部５０１から直接データ生成部５０５に与えられる。
【０００６】
図５９に示す構成のＡＶデータ受信装置１０２では、アンテナ５４１，ＲＦ５４２、ＢＢ５４３を介して受信され、スクランブル解除部５４４でスクランブルを解除し、データ解析部５４５でＡＶデータの振り分けや不足等が判定され、ＭＰＥＧ部５４６でデコードされ、Ｄ／Ａ変換部（以下、「Ｄ／Ａ」とする）５４７でアナログ信号に変換され、アナログ出力部５４８でＮＴＳＣ等のデータとして出力される。このとき、スクランブル解除部５４４でスクランブルを解除するために使用されるＩＤがＩＤ記憶部５６０に記憶されている。又、デジタルデータを出力する場合、データ解析部５４５からのデータがデジタル出力部解析部５４９及びデジタル出力部５５０を介して出力される。
【０００７】
又、ＡＶデータ受信装置１０２は、データ解析部５４５において正確に受信されなかったパケットの判定を行う。この判定結果より、受信されなかったパケットの再送要求パケットが再送要求パケット生成部５５８で生成される。更に、ＡＶデータ受信装置１０２は、ＡＶソース機器１を制御するための信号を入力する操作部５５１と、リモコン１１からの赤外線信号を受信するリモコンデータ受信部５５３を備える。そして、操作部５５１からのデータが入力データ変換部５５２で変換され、リモコンデータ受信部５５３で受信された信号がリモコンデータ変換部５５４で変換される。この変換されたデータによるパケットと再送要求パケット生成部５５８からの再送要求パケットから送信データがデータ生成部５５５で生成され、誤り訂正符号付加部５５６で誤り訂正符号が付加される。そして、この送信データが、データスクランブル部５５７でスクランブルされた後、ＢＢ５４３及びＲＦ５４２及びアンテナ５４１を介して送信される。
【０００８】
そして、ＡＶデータ送信機１０１で、アンテナ５１１及びＲＦ５１０及びＢＢ５０９を介して受信すると、スクランブル解除部５１２でスクランブルを解除し、データ解析部５１３においてＡＶデータ受信部１０２で正確に受信されなかったパケットの判定とデータの整理を行い、再送要求が必要な場合は再送要求パケット生成部５１４で再送要求されたＡＶデータのデータパケットが生成さる。又、データ解析部５１３で得られたＡＶソース機器１を操作するデータは、リモコンデータ解析部５１６でリモコン信号に変換され、リモコン出力部５１７から赤外線信号として出力される。リモコン信号以外のデジタルデータは、デジタルデータ解析部５１８を介して、デジタルデータ出力部５１９より出力される。
【０００９】
このような従来のＡＶデータ無線通信システムにおいては、ＡＶソース機器１の制御は視聴者に委ねられている。よって、電波状況やＡＶデータ送信装置１０１及びＡＶデータ受信装置１０２の動作状態により一時的な伝送の途切れ等があった場合でも、途切れた部分をもう一度再生／伝送するには視聴者がＡＶソース機器１を操作する必要がある。
【００１０】
又、送信側及び受信側の装置の電源を切断することによって伝送の途切れがあった場合に、途切れた部分から自動的に再開する再生装置及び再生方法が、従来技術として提案されている（特許文献１参照）。この特許文献１では、送信装置から受信装置にデータブロックを伝送する途中で電源を切る場合に、送信装置が装置の電源切断を検出し、検出したときに送信するデータブロックに最終送信ブロックであることを示す終了フラグを付加して送信する。そして、受信装置では、この終了フラグが付加されたデータブロックを受信することで、次のデータブロックが再開位置であることを記憶する。
【００１１】
【特許文献１】
特開２００２−３００５１７号公報
【００１２】
【発明が解決しようとする課題】
しかし、図５７のように、無線でＡＶ伝送する場合には、障害物の変化やＡＶデータ受信装置の移動や他の電波発生体からの電波妨害などにより、電波状況が急激に変化する場合がある。その結果として、突然の視聴不良の発生による意図しない視聴途切れが発生し、視聴者は部分的に途切れたまま視聴を継続せざるを得ない状態であった。
【００１３】
送信側であるＡＶソース機器がＶＴＲ（Ｖｉｄｅｏ  Ｔａｐｅ  Ｒｅｃｏｒｄｅｒ）等の場合であれば、受信できるようになってから、視聴者が逆戻しなどの操作を行い、途切れた部分を再度見るなどの操作をすることで見直すことは可能であるが、その操作が煩雑である。又、受信側であるＡＶ再生装置が充電式のＴＶである場合にその電源が消耗することで別のＡＶ再生装置での試聴に変更したり、正常に受信できている場合でも、現在試聴しているＡＶ再生装置での視聴をやめ、他の部屋に行って別のＡＶ再生装置で試聴することがある。この場合も、別のＡＶ再生装置を立ち上げた後に、視聴が途切れた部分を逆戻しして検索して再度見るなどの煩雑な操作を行う必要がある。
【００１４】
又、特許文献１の技術を用いた場合、ＡＶデータ送信装置において自機器が電源ＯＦＦと指示されることを確認するか、又は、ＡＶデータ受信装置が電源ＯＦＦしたことを示す信号をＡＶデータ送信装置が受信することで、自機器又は通信相手となるＡＶデータ受信装置の電源ＯＦＦを確認する。そして、このように、自機器又は通信相手となるＡＶデータ受信装置の電源ＯＦＦを確認すると、現在送信しようとしているデータブロックの最終フラグを付加してＡＶデータ受信装置に送信する。よって、ＡＶデータ送信装置及びＡＶデータ受信装置が最終フラグを付加したデータブロックを送信又は受信するまで、電源ＯＦＦとならない。
【００１５】
しかしながら、この特許文献１に記載の方法を利用した場合、無線通信システムのように、データの送受信が突然不可能となったときや電源コンセントを抜いたり充電池が消耗することでＡＶデータ受信装置が突然ＯＦＦとなったときには、電源ＯＦＦとするための操作がなされたことをＡＶデータ送信装置に通知不可能である。よって、ＡＶデータ送信装置側では、自機器及びＡＶデータ受信装置が通信不可能となる前に最終フラグを付加したデータブロックを生成できない場合がある。又、同様に、ＡＶデータ受信装置側では、最終フラグが付加されたデータブロックを受信する前に通信が切断して、最終フラグが付加されたデータブロックが受信不可能となる場合がある。
【００１６】
又、このことを防ぐために、一定期間毎に、最終フラグが付加されたデータブロックを送信する方法も記載されている。しかしながら、最終フラグが付加されていないデータブロックで途切れた場合、最終フラグが付加されていないデータブロックについては再送されることがないので、視聴者には再び視聴開始したときに、途切れた部分からの視聴が不可能である場合がある。
【００１７】
更に、厳密な継続位置から再生する場合には、例えば、「おはよう」の「おは」までＡＶ再生装置で視聴して視聴が途切れた場合、視聴を再開したとき、「よう」から視聴されることとなる。このような場合、視聴再開したときに、「おはよう」と言ったことが視聴者に認識されるとは限らない。このように、途切れた部分からの再生が再開されるようにした場合、切れ目の台詞が理解できない場合が起こりうると考えられ、デジタルＡＶデータのコピーとは全く異なり、厳密な位置記録だけでは人間の視聴に対しては不十分である場合がある。
【００１８】
このような問題を鑑みて、本発明は、データ伝送が一時的に途切れた場合でも簡単な操作で途切れたデータ位置からデータ信号を継続的に送信することができるデータ通信システムの提供を目的とする。又、このようなデータ通信システムにおけるデータ送信装置及びデータ受信装置を提供することを、本発明の別の目的とする。
【００１９】
【課題を解決するための手段】
上記目的を達成するために、本発明のデータ送信装置は、データ信号を送信するデータ送信部と、前記データ信号を受信するデータ受信装置から送信される当該データ受信装置の受信状態を示す受信状態通知信号を受信するデータ受信部とを備えるデータ送信装置において、前記データ受信部で受信した前記受信状態通知信号より前記データ受信装置が正常に受信動作を行っているか否かを確認する受信状況解析部と、該受信状況解析部で正常に受信動作が行われていないことが確認されたとき、前記データ受信装置が安定な通信が不可能な状態であると判断して前記データ信号の送信動作を一時停止させ、又、該データ信号の送信動作の一時停止又は停止中に、該受信状況解析部で前記データ受信装置の受信動作が正常に行われていることを確認したとき、前記データ受信装置が安定な通信が可能な状態であると判断して該データ信号の送信動作を開始させる機器制御部と、を備えることを特徴とする。
【００２０】
この構成によると、前記受信状況解析部において、前記データ受信装置から送信されるＡＣＫ信号やＮＡＣＫ信号や再送要求信号などの前記受信状態通知信号より前記データ受信装置の受信状態を確認する。そして、前記データ受信装置の受信状態が悪化したとき、安定な通信が不可能な状態であるとして、現在再生中のコンテンツにおける前記データ信号の送信動作を一時停止させる。その後、前記データ受信装置で正常に受信が行われることが確認されると、安定な通信が可能な状態であるとして、一時停止中のコンテンツの再生を再開するために、前記データ信号の送信動作を再開させる。又、前記データ信号の送信動作の一時停止又は再生再開が成されるとき、前記データ信号の生成動作の一時停止又は再生再開が成されるようにしても構わない。更に、このとき、前記データ信号が外部のソースで生成されるとき、前記ソースにおける生成動作の一時停止又は再生再開を指示する。尚、安定な通信が可能な状態とは、ＱｏＳ保証がなされた通信を行うことができる状態である。
【００２１】
このようなデータ送信装置において、前記データ信号が時系列で発生するデータによるデータ信号であり、前記データ受信装置が安定な通信が不可能な状態であることを判断したときの時間軸上のデータ位置を再生再開データ位置として格納する再生再開データ記憶部を備え、前記データ受信装置が安定な通信が可能な状態であることを判断したとき、前記再生再開データ位置から前記データ信号を送信するようにしても構わない。即ち、前記データ信号がＡＶデータによるものである場合、そのシーン位置により前記再生再開データ位置に相当する再生再開シーン位置が設定される。
【００２２】
又、本発明のデータ送信装置は、時系列で発生するデータによるデータ信号を送信するデータ送信部と、前記データ信号を受信するデータ受信装置から送信される当該データ受信装置の受信状態を示す受信状態通知信号を受信するデータ受信部とを備えるデータ送信装置において、前記データ受信部で受信した前記受信状態通知信号より前記データ受信装置が正常に受信動作を行っているか否かを確認する受信状況解析部と、前記データ受信装置が安定な通信が不可能な状態であることを判断したときの時間軸上のデータ位置を再生再開データ位置として格納する再生再開データ記憶部と、前記受信状況解析部で正常に受信動作が行われていないことが確認されたとき、前記データ受信装置が安定な通信が不可能な状態であると判断して前記再生再開データ位置を前記再生再開データ記憶部に格納し、その後、前記受信状況解析部で前記データ受信装置の受信動作が正常に行われていることを確認したとき、前記データ受信装置が安定な通信が可能な状態であると判断して前記再生再開データ記憶部に格納した前記再生再開データ位置から前記データ信号の送信動作を開始させる機器制御部と、を備えることを特徴とする。
【００２３】
この構成によると、前記受信状況解析部において、前記データ受信装置から送信されるＡＣＫ信号やＮＡＣＫ信号や再送要求信号などの前記受信状態通知信号より前記データ受信装置の受信状態を確認する。そして、前記データ受信装置の受信状態が悪化したとき、安定な通信が不可能な状態であるとして、再生再開データ記憶部にデータ位置を再生再開データ位置として格納する。その後、前記データ受信装置で正常に受信が行われることが確認されると、安定な通信が可能な状態であるとして、前記再生再開データ記憶部に格納した前記再生再開データ位置から前記データ信号の送信動作を開始させる。このとき、安定な通信が不可能な状態又は可能な状態と判断すると、前記データ信号の送信動作の一時停止又は再生再開が成されるようにしても構わないし、前記データ信号の生成動作の一時停止又は再生再開が成されるようにしても構わない。更に、このとき、前記データ信号が外部のソースで生成されるとき、前記ソースにおける生成動作の一時停止又は再生再開を指示する。又、安定な通信が不可能な状態と判断しても、前記データ信号の送信動作及び生成動作を引き続き行い、当該データ信号に対する前記データ受信装置の前記受信状態通知信号より、前記データ受信装置の受信状態を確認するようにしても構わない。
【００２４】
このように構成したデータ送信装置において、前記データ受信装置が安定な通信が可能な状態であることを判断したとき、前記データ受信装置が安定な通信が不可能な状態であることを判断したときに設定された前記再生再開データ位置までの既に前記データ信号として送信されたデータのうち、再度送信するデータの時間軸における長さを重複時間として設定するとともに、前記再生再開データ位置から前記重複時間を減算したデータ位置を新たに再生再開データ位置として設定し、当該再生再開データ位置からのデータを前記データ信号として送信するようにしても構わない。即ち、前記データ信号がＡＶデータによるものである場合、重複時間は、前記再生再開データ位置が前記再生再開データ記憶部に格納される前に再生されるとともに再生再開後に再び再生されることで重複して再生されるシーン長さに相当する。
【００２５】
このとき、前記受信状況解析部において、前記データ受信装置が安定な通信が可能な状態であることを判断したときの現在時刻である第１時刻を確認するとともに、前記データ受信装置が安定な通信が不可能な状態であることを判断したときの第２時刻と該第１時刻との時間差を求め、当該第２時刻と該第１時刻との時間差に基づいて前記重複時間を求めるものとしても構わないし、前記重複時間が、前記データ受信装置を通じて設定されるものとしても構わない。
【００２６】
上述のデータ送信装置において、前記再生再開データ位置から前記データ信号を送信する際、前記再生再開データ位置のデータを所定時間分だけ前記データ受信装置に送信し、前記データ受信装置を通じて送信した前記再生再開データ位置からの前記データ信号の送信が許可されると、当該再生再開データ位置からの前記データ信号を送信するものとしても構わない。即ち、前記データ信号の送信動作を開始する際、前記データ受信装置では、前記再生再開シーン位置のデータ信号により所定時間分だけ再生が行われる。又、この前記データ信号がＡＶデータによるものである場合、所定シーン長さ分となる前記再生再開シーン位置のＡＶデータが再生される。そして、この所定のシーン長さ分の再生により、ユーザが再開を許可するか否か判断し、前記データ受信装置を通じて前記データ送信装置に指示する。
【００２７】
上述のデータ送信装置において、前記再生再開データ位置のデータを前記再生再開データ記憶部に記録するものとしても構わない。このとき、前記データ信号がＡＶデータによるものである場合、前記データ受信装置においてシーン確認がなされるとき、当該再生再開データ記憶部に記録した前記再生再開シーンのＡＶデータを送信するだけでよく、前記再生再開データ位置に相当する前記再生再開シーン位置よりＡＶデータの生成を行う必要がない。
【００２８】
又、上述のデータ送信装置において、１つ又は複数のコンテンツそれぞれに対する前記再生再開データ位置が前記再生再開データ記憶部に格納され、前記データ受信装置を通じて再開が指示された前記コンテンツの前記再生再開データ位置を前記再生再開データ記憶部より読み出して、当該コンテンツの再生再開データ位置からのデータ信号を送信するものとしても構わない。
【００２９】
このとき、前記受信状況解析部で前記データ受信装置が正常に受信動作を行っていることを確認すると、前記データ受信装置に対して、前記コンテンツそれぞれに関するデータ及び前記再生再開データ位置を、前記再生再開データ記憶部より読み出して前記データ受信装置に通知するようにしても構わない。即ち、前記データ受信装置側を通じて、ユーザが選択可能な前記コンテンツそれぞれに関するデータ及び前記再生再開シーン位置を確認することができる。
【００３０】
又、前記再生再開データ記憶部に格納される前記再生再開データ位置のコンテンツそれぞれに対して、再生再開が許可されるユーザが指定されて前記再生再開データ記憶部内に記憶されるとともに、前記再生再開データ位置のコンテンツに対して許可されたユーザであることを前記データ受信装置を通じて確認したときに初めて、特定された前記コンテンツに対する前記再生再開データ位置から前記データ信号の送信動作を再開するようにしても構わない。
【００３１】
所定レベル以上となる受信エラーが確認された時間軸上のデータ位置をエラー発生データ位置として記録し、記録した複数の前記エラー発生データ位置及び前記再生再開データ位置より１つのデータ位置が前記データ受信装置を通じて選択されると、選択された当該データ位置を新たに再生再開データ位置として設定し、該新たに設定された再生再開データ位置より前記データ信号を送信するものとしても構わない。
【００３２】
このとき、記録された前記エラー発生データ位置の数が所定数を超えたとき、最も過去に記録された前記エラー発生データ位置が削除されるものとしても構わないし、記録された前記エラー発生データ位置の数が所定数を超えたとき、前記受信エラーの度合いが最も低いときの前記エラー発生データ位置が削除されるものとしても構わない。更に、記録された前記エラー発生データ位置において、記録された時刻と現在時刻との時間差が所定時間以上となる前記エラー発生データ位置が削除されるものとしても構わない。
【００３３】
又、前記エラー発生位置がユーザによって指定されるものとしても構わない。このとき、前記データ受信装置を介してユーザにより前記エラー発生位置が指定されるものとしても構わない。更に、前記データ信号の送信動作を行っているときに、前記再生再開データ位置として前記エラー発生位置が選択されるようにしても構わない。
【００３４】
上述のデータ送信装置において、前記データ受信装置が安定な通信が不可能な状態であることを判断した後、前記データ受信装置の受信状態を確認するための受信確認用データ信号を生成して送信する。このとき、前記受信確認用データ信号が、前記データ受信装置が安定な通信が不可能な状態であることを判断したときのデータによって生成されるものと指定も構わない。例えば、前記データ信号がＡＶデータによるものであるとき、前記データ信号の送信動作を一時停止としたときのシーン位置におけるＡＶデータによるデータ信号であるものとしても構わない。このとき、このシーン位置によるＡＶデータによる静止画像で前記受信確認用データ信号が生成されるようにしても構わないし、このシーン位置による静止画像でなく予め設定したデータにより前記受信確認用データ信号が生成されるようにしても構わない。更には、引き続き、再生されたＡＶデータを送信し続けるものとしても構わない。
【００３５】
上述のデータ送信装置において、前記データ信号がＡＶデータによるものであるとともに、前記送信動作が一時停止されているデータ信号のコンテンツが、記録しながら再生可能なタイムシフト機能が使用可能な放送コンテンツであるとき、当該放送コンテンツのデータ信号の送信動作を一時停止する際、前記タイムシフト機能を使用して、前記放送コンテンツのＡＶデータを記録し、前記放送コンテンツのデータ信号の送信動作を再開する際、前記タイムシフト機能を継続して使用する。
【００３６】
このとき、前記タイムシフト機能が使用可能な前記放送コンテンツの前記データ信号の送信動作を再開する際、前記放送コンテンツが通常の再生時よりも早い速度で再生されるように、前記データ信号が生成されるようにしても構わないし、又、前記タイムシフト機能が使用可能な前記放送コンテンツの前記データ信号の送信動作を一時停止する際、前記放送コンテンツの本編となるＡＶデータのみが記録されるようにしても構わない。
【００３７】
上述の各データ送信装置において、前記データ受信装置が安定な通信が不可能な状態であることを判断したとき、前記データ信号の生成動作及び送信動作を一時停止させ、又、前記データ受信装置が安定な通信が可能な状態であることを判断したとき、前記データ信号の生成動作及び送信動作を再開させる。このとき、前記データ信号を生成するソースより前記データ信号が入力され、入力された前記データ信号を前記データ送信部に与えるインターフェースを備えるとともに、前記データ受信装置が安定な通信が不可能な状態であることを判断したとき、前記ソースにおける前記データ信号の生成動作を一時停止させるとともに前記データ信号の送信動作を一時停止させ、又、前記データ受信装置が安定な通信が可能な状態であることを判断したとき、前記ソースにおける前記データ信号の生成動作を再開させるともに前記データ信号の送信動作を再開させるものとしても構わない。又、前記データ信号が前記データ送信装置で生成されるものとしても構わない。更に、前記データ信号がＡＶデータによるものであるとき、前記データ信号がチューナなどによって受信されて得られたものであっても構わないし、記録媒体から読み出して得られたものであっても構わない。
【００３８】
又、前記再生再開データ位置からのデータ信号を一時格納するバッファを備え、前記データ受信装置が安定な通信が可能な状態であることを判断したとき、前記バッファ内に格納された前記再生再開データ位置からのデータ信号を読み出して送信した後、前記バッファ内の前記データ信号以降からの前記データ信号の生成動作を開始させるものとしても構わない。
【００３９】
又、前記データ信号を一時格納するバッファを備え、前記データ信号の送信動作を一時停止させるとき、前記データ信号の生成動作を所定時間継続させるとともに当該所定時間分の前記データ信号を前記バッファに格納した後、前記データ信号の生成動作を一時停止させ、又、前記データ信号の送信動作を開始させるとき、前記バッファ内に格納された前記データ信号を読み出して送信した後、前記バッファ内の前記データ信号以降からの前記データ信号の生成動作を開始させるようにしても構わない。
【００４０】
又、本発明のデータ送信装置は、データ信号を送信するデータ送信部と、前記データ信号を受信するデータ受信装置から送信される当該データ受信装置の受信状態を示す受信状態通知信号を受信するデータ受信部とを備えるデータ送信装置において、前記データ信号を一時格納するバッファを備え、前記データ受信装置より通信状態が悪化したことが通知された後、再び通信状態が良好になったことが通知されると、前記バッファ内に格納された前記データ信号を読み出して送信した後、前記バッファ内の前記データ信号以降からの前記データ信号の生成動作を開始させて送信することを特徴とする。
【００４１】
このとき、前記データ受信装置で、自機器の受信状態が確認され、自機器の受信状態が悪化したことを示す信号が送信されるとともに、自機器の受信状態が良好になったことを示す信号が送信される。該データ受信装置からの信号を受信することによって、当該データ送信装置で前記データ受信装置の受信状態を確認することができる。
【００４２】
又、上述の前記バッファを備えたデータ送信装置において、前記データ信号の送信動作を行っているときにおいても、前記バッファに前記データ信号を一時格納した後、前記データ送信部に与えるようにしても構わない。更に、前記データ信号を前記データ送信部に送信した後も、所定時間、前記バッファに格納するようにすることで、重複時間分の前記データ信号も前記バッファ内に格納することができる。
【００４３】
上述の各データ送信装置において、複数の前記データ受信装置に対して、前記データ信号の受信を許可しているものとしても構わない。このとき、前記データ受信装置の受信状態に応じて前記機器制御部の動作を設定する受信状態対応動作制御機能を備え、複数の前記データ受信装置に前記データ信号を並列的に送信するとき、当該受信状態対応動作制御機能を無効とするものとしても構わない。
【００４４】
又、前記データ受信装置の受信状態に応じて前記機器制御部の動作を設定する受信状態対応動作制御機能を備え、当該受信状態対応動作制御機能を有効とするとき、１台の前記データ受信装置にのみ前記データ信号を送信するものとしても構わない。更に、このとき、複数の前記データ受信装置に前記データ信号を送信しているときに、前記受信状態対応動作制御機能を有効とすると、当該受信状態対応動作制御機能を有効としたときに前記データ信号を送信する前記データ受信装置以外の前記データ受信装置に対して、受信動作の停止を指示するものとしても構わない。
【００４５】
又、前記データ受信装置の受信状態に応じて前記機器制御部の動作を設定する受信状態対応動作制御機能を備え、当該受信状態対応動作制御機能を有効として前記データ信号を複数の前記データ受信装置に送信する際、前記データ受信装置のうちの１台の受信状態を基準とするものとしても構わない。更に、このとき、複数の前記データ受信装置に前記データ信号を送信しているときに、前記受信状態対応動作制御機能を有効とすると、当該受信状態対応動作制御機能を有効としたときに受信状態が基準とされる前記データ受信装置以外の前記データ受信装置に対して、前記受信状態が基準とされる前記データ受信装置を通知するものとしても構わない。
【００４６】
又、このようなデータ送信装置において、前記受信状態通知信号を定期的に受信するとともに、当該受信状態通知信号が受信できなかった期間が第１所定期間以上であるとき、前記データ受信装置が安定な通信が不可能な状態であると判断し、又、前記受信状態通知信号を連続して受信した期間が第２所定期間以上となるとき、前記データ受信装置が安定な通信が可能な状態であると判断するものとしても構わない。
【００４７】
又、前記受信状態通知信号を定期的に受信するとともに、前記受信状況解析部で前記受信状態通知信号より前記データ受信装置が正常に受信動作を行っていないことが連続して確認された期間が第１所定期間以上であるとき、前記データ受信装置が安定な通信が不可能な状態であると判断し、又、前記受信状況解析部で前記受信状態通知信号より前記ＡＶデータ受信装置が正常に受信動作を行っていることが連続して確認された期間が第２所定期間以上であるとき、前記データ受信装置が安定な通信が可能な状態であると判断するものとしても構わない。
【００４８】
又、前記受信状態通知信号を定期的に受信するとともに、前記受信状況解析部で前記受信状態通知信号より前記データ受信装置が正常に受信動作が行われていない受信エラーの発生率が第１所定値以上であるとき、前記データ受信装置が安定な通信が不可能な状態であると判断し、又、前記受信状況解析部で前記受信エラーの発生率が第２所定値以下であるとき、前記データ受信装置が安定な通信が可能な状態であると判断するものとしても構わない。
【００４９】
このように、前記受信状態通知信号より前記データ受信装置の通信状態を確認するとき、安定な通信が不可能であるか否かを確認する方法と、安定な通信が可能であるか否かを確認する方法がそれぞれ異なるようにしても構わない。即ち、一方が連続して正常に受信した期間に基づいて判断するとともに、他方が受信エラーの発生率に基づいて判断するようにしても構わない。
【００５０】
更に、上述のようにして前記データ信号の送信動作の動作状態を移行させるとき、前記データ受信装置が安定な通信が不可能な状態であることを判断する基準値、及び、前記データ受信装置が通信可能な状態であることを判断する基準値を設定する動作切換設定部を備え、当該動作切換設定部によって設定変更することができるようにしても構わない。
【００５１】
又、前記データ受信装置が安定な通信が不可能な状態であることを判断してから所定時間が経過するまでの間、前記データ受信装置が安定な通信が可能な状態であることを判断することがない場合、前記データ信号の送信動作を停止するようにしても構わない。このとき、前記データ信号の生成動作についても前記データ信号の送信動作と連動させているとともに、外部の前記ソースで前記データ信号の生成動作が成されているとき、前記データ信号の送信動作とともに前記ソースについても停止とする。
【００５２】
又、本発明のデータ受信装置は、データ送信装置からのデータ信号を受信するデータ受信部と、該データ受信部で受信した前記データ信号を復号化するデータ解析部と、を備えるデータ受信装置において、前記データ受信部で正常に前記データ信号が受信されたか否かを確認する受信状況判定部と、該受信状況判定部で正常に受信動作が行われていないことが確認されたとき、自機器が安定な通信が不可能な状態であると判断して前記データ送信装置における前記データ信号の送信動作を一時停止させる一時停止制御データを生成し、又、前記データ送信装置における前記データ信号の送信動作の一時停止又は停止中に、前記受信状況判定部で正常に受信動作が行われていることが確認されたとき、自機器が安定な通信が可能な状態であると判断して前記データ送信装置における前記データ信号の送信動作を開始させる送信再開制御データを生成する機器制御部と、前記機器制御部で生成した前記一時停止制御データ又は前記送信再開制御データを前記データ送信装置に送信するデータ送信部と、
を有することを特徴とする。
【００５３】
このような構成によると、前記受信状況判定部において、前記データ送信装置から送信される前記データ信号の受信が正常に行われているか否かを判断し、自機器の受信状態が悪化しているものと判断したとき、自機器が安定な通信が不可能な状態であると判断して、前記一時停止制御データを前記データ送信装置に送信し、前記データ送信装置における前記データ信号の送信動作を一時停止させる。そして、自機器の受信状態が良好であるものと判断したとき、自機器が安定な通信が可能な状態であると判断して、前記送信再開制御データを前記データ送信装置に送信し、前記データ送信装置における前記データ信号の送信動作を再開させる。このとき、前記データ信号の送信動作とともに前記データ信号の生成動作を一時停止又は再生再開するようにしても構わない。更に、このとき、前記データ送信装置から送信される前記データ信号が前記データ送信装置で生成されるものとしても構わないし、前記データ送信装置のソースで生成されるものとしても構わない。
【００５４】
又、上述のデータ受信装置において、前記データ信号が時系列で発生するデータによるデータ信号であるとき、自機器が安定な通信が不可能な状態であることを判断したときの時間軸上のデータ位置を再生再開データ位置として格納する再生再開データ記憶部を備え、自機器が安定な通信が可能な状態であることを判断したとき、前記再生再開データ位置から前記データ信号を送信させる前記送信再開制御データを送信するようにしても構わない。
【００５５】
又、本発明のデータ受信装置は、時系列で発生するデータによるデータ信号をデータ送信装置から受信するデータ受信部と、該データ受信部で受信した前記データ信号を復号化するデータ解析部と、を備えるデータ受信装置において、前記データ受信部で正常に前記データ信号が受信されたか否かを確認する受信状況判定部と、自機器が安定な通信が不可能な状態であることを判断したときの時間軸上のデータ位置を再生再開データ位置として格納する再生再開データ記憶部と、前記受信状況判定部で正常に受信動作が行われていないことが確認されたとき、自機器が安定な通信が不可能な状態であると判断して前記再生再開データ位置を前記再生再開データ記憶部に格納し、その後、前記受信状況判定部で正常に受信動作が行われていることが確認されたとき、自機器が安定な通信が可能な状態であると判断して前記再生再開データ位置から前記データ信号を前記データ送信装置に送信させる送信再開制御データを生成する機器制御部と、前記機器制御部で生成した前記送信再開制御データを前記データ送信装置に送信するデータ送信部と、を有することを特徴とする。
【００５６】
このような構成によると、前記受信状況判定部において、前記データ送信装置から送信される前記データ信号の受信が正常に行われているか否かを判断し、自機器の受信状態が悪化しているものと判断したとき、自機器が安定な通信が不可能な状態であると判断して、再生再開データ記憶部にデータ位置を再生再開データ位置として格納する。そして、自機器の受信状態が良好であるものと判断したとき、自機器が安定な通信が可能な状態であると判断して、前記送信再開制御データを前記データ送信装置に送信し、前記データ送信装置に対して前記再生再開データ記憶部に格納した前記再生再開データ位置から前記データ信号の送信動作を開始させる。このとき、前記データ信号の送信動作を一時停止又は再生再開させるようにしても構わないし、当該データ信号の送信動作とともに前記データ信号の生成動作を一時停止又は再生再開するようにしても構わない。更に、このとき、前記データ送信装置から送信される前記データ信号が前記データ送信装置で生成されるものとしても構わないし、前記データ送信装置のソースで生成されるものとしても構わない。又、安定な通信が不可能な状態と判断しても、前記データ送信装置が前記データ信号の送信動作及び生成動作を引き続き行うようにしても構わない。
【００５７】
このとき、自機器が安定な通信が可能な状態であると判断したとき、自機器が安定な通信が不可能な状態であると判断したときに設定された前記再生再開データ位置までの既に前記データ信号として送信されたデータのうち、再度送信するデータの時間軸におけるの長さを重複時間として設定するとともに、前記再生再開データ位置から前記重複時間を減算したデータ位置を新たに再生再開データ位置として設定し、当該再生再開データ位置からのデータを前記データ信号として送信させる前記送信再開制御データを送信するようにしても構わない。即ち、前記データ信号がＡＶデータによるものである場合、重複時間は、前記再生再開データ位置が前記再生再開データ記憶部に格納される前に再生されるとともに再生再開後に再び再生されることで重複して再生されるシーン長さに相当する。
【００５８】
又、前記受信状況判定部において、前記受信状況判定部において、自機器が安定な通信が可能な状態であると判断したときの現在時刻である第１時刻を確認するとともに、自機器が安定な通信が不可能な状態であると判断したときの第２時刻と該第１時刻との時間差を求め、当該第２時刻と該第１時刻との時間差に基づいて前記重複時間を求めるものとしても構わないし、又、前記重複時間が、ユーザによって入力されることで設定されるものとしても構わない。尚、データ受信装置に入力されるとき、データ受信装置と通信を行うことができる電子機器を通じて行われて入力されるものとしても構わないし、直接データ受信装置に入力されるものとしても構わない。更に、選択可能な前記重複時間を通知するものとしても構わない。このとき、データ受信装置で表示されるものとしても構わないし、再生装置によって表示されるものとしても構わない。
【００５９】
上述のデータ受信装置において、自機器が安定な通信が可能な状態であると判断したとき、前記再生再開データ位置のデータを所定時間分だけ再生させた後、前記再生再開データ位置からの前記データ信号の再生再開が許可されると、当該再生再開データ位置からの前記データ信号を送信させる前記送信再開制御データを送信するものとしても構わない。又、前記再生再開データ位置のデータを前記再生再開データ記憶部に記録するものとしても構わない。
【００６０】
上述のデータ受信装置において、１つ又は複数のコンテンツそれぞれに対する前記再生再開データ位置が前記再生再開データ記憶部に格納され、再開が指示された前記コンテンツの前記再生再開データ位置を前記再生再開データ記憶部より読み出して、当該コンテンツの再生再開データ位置からのデータ信号を送信させる前記送信再開制御データを送信するものとしても構わない。
【００６１】
このとき、前記受信状況判定部で正常に受信動作を行っていることを確認すると、前記コンテンツそれぞれに関するデータ及び前記再生再開データ位置を、前記再生再開データ記憶部より読み出して通知するようにして、ユーザに選択可能な前記コンテンツそれぞれに関するデータ及び前記再生再開データ位置を通知しても構わない。このデータ及び前記再生再開データ位置を前記データ受信装置に表示するものとしても構わないし、又、再生装置に表示するものとしても構わない。
【００６２】
又、前記再生再開データ記憶部に格納される前記再生再開データ位置のコンテンツそれぞれに対して、再生再開が許可されるユーザが指定されて前記再生再開データ記憶部内に記憶されるとともに、前記再生再開データ位置のコンテンツに対して許可されたユーザであることを確認したときに初めて、前記再生再開データ位置から前記データ信号を送信させる前記送信再開制御データを送信するものとしても構わない。
【００６３】
上述のデータ受信装置において、所定レベル以上となる受信エラーが確認されたデータ位置をエラー発生データ位置として記録し、前記送信再開制御データを送信する際、記録した複数の前記エラー発生データ位置及び前記再生再開データ位置より１つのデータ位置が選択されると、選択された当該データ位置を新たに再生再開データ位置として設定し、該新たに設定された再生再開データ位置より前記データ信号を送信させる前記送信再開制御データを送信するようにしても構わない。
【００６４】
このとき、記録された前記エラー発生データ位置の数が所定数を超えたとき、最も過去に記録された前記エラー発生データ位置が削除されるようにしても構わないし、記録された前記エラー発生データ位置の数が所定数を超えたとき、前記受信エラーの度合いが最も低いときの前記エラー発生データ位置が削除されるようにしても構わない。更に、記録された前記エラー発生データ位置において、記録された時刻と現在時刻との時間差が所定時間以上となる前記エラー発生データ位置から削除されるものとしても構わない。
【００６５】
これらのデータ受信装置において、前記エラー発生データ位置を該データ受信装置に表示するものとしても構わないし、又、再生装置に表示するものとしても構わない。このとき、通知する前記エラー発生データ位置を所定数とし、通知する前記エラー発生データ位置が現在時刻に近いものから順に選択されるものとしても構わないし、又、通知する前記エラー発生データ位置が前記受信エラーが所定レベル以上のものが選択されるものとしても構わない。
【００６６】
上述のデータ受信装置において、自機器が安定な通信が不可能な状態であることを判断した後、前記データ送信装置から送信される受信状態を確認するための受信確認用データ信号を受信する。このとき、前記受信確認用データ信号が、自機器が安定な通信が不可能な状態であることを判断したときのデータによって生成されるものとしても構わない。又、前記データ信号がＡＶデータによるものであるとき、前記受信確認用データ信号が、前記データ信号の送信動作を一時停止とさせたときのシーン位置におけるＡＶデータによる静止画像で前記受信確認用データ信号が生成されるようにしても構わないし、このシーン位置による静止画像でなく予め設定したデータにより前記受信確認用データ信号が生成されるようにしても構わない。
【００６７】
上述のデータ受信装置において、前記データ信号がＡＶデータによるものであるとともに、前記送信動作が一時停止されているデータ信号のコンテンツが、記録しながら再生可能なタイムシフト機能が使用可能な放送コンテンツであるとき、当該放送コンテンツのデータ信号の送信動作を一時停止させる一時停止制御データを送信する際、前記タイムシフト機能を使用して、前記放送コンテンツのデータ信号を記録させる一時停止制御データを送信し、前記放送コンテンツのデータ信号の送信動作を再開させる前記送信再開制御データを送信する際、前記タイムシフト機能を継続して使用させる送信再開制御データを送信することを特徴とする。
【００６８】
このとき、前記送信再開制御データを送信する際、前記放送コンテンツを通常の再生時よりも早い速度で再生させることを指示する前記送信再開制御データを送信するようにしても構わないし、又、前記一時停止制御データを送信する際、前記放送コンテンツの本編となるＡＶデータのみを記録させることを指示する前記一時停止制御データをを送信するようにしても構わない。
【００６９】
前記データ送信装置が、複数の前記データ受信装置に対して前記データ信号の受信を許可しているものとしても構わない。このとき、機器の受信状態に応じて前記機器制御部の動作を設定する受信状態対応動作制御機能を備え、自機器を含む複数の前記データ受信装置に前記データ信号が前記データ送信装置から並列的に送信されるとき、前記受信状態対応動作制御機能を無効とするものとしても構わない。更に、自機器の受信状態に応じて前記機器制御部の動作を設定する受信状態対応動作制御機能を備え、前記受信状態対応動作制御機能を有効として前記データ送信装置からの前記データ信号を受信するとき、自機器以外の他の前記データ受信装置の受信動作を停止させるものとしても構わない。
【００７０】
又、自機器の受信状態に応じて前記機器制御部の動作を設定する受信状態対応動作制御機能を備え、前記受信状態対応動作制御機能を有効として前記データ送信装置からの前記データ信号を受信するとき、自機器以外の他の前記データ受信装置の前記受信状態対応動作制御機能を無効とさせるものとしても構わない。
【００７１】
このとき、前記受信状況判定部において、前記データ信号の連続性に基づいて、正常に受信動作が行われているか否かを判定するものとしても構わないし、又、前記データ信号がＡＶデータによるデータ信号であり、前記受信状況判定部において、前記データ解析部で復号化した音声データの連続性に基づいて、正常に受信動作が行われているか否かを判定するものとしても構わない。又、前記受信状況判定部において、受信エラーの発生率により、正常に受信動作が行われているか否かを判定するものとしても構わない。更に、正常に受信動作が行われているか否かを前記受信状況判定部において判定する基準値を設定する動作切換設定部を備えることで、当該動作切換設定部で基準値を設定変更できるようにしても構わない。
【００７２】
上述のデータ受信装置において、前記データ信号の再生動作を停止することが指示されたことを確認したとき、前記機器制御部において前記データ信号の送信動作を停止させる送信停止制御データを生成し、前記データ送信部から前記データ送信装置に該送信停止制御データを送信するようにしても構わない。
【００７３】
更に、本発明のＡＶデータ無線通信システムは、上述の各データ送信装置と、当該データ送信装置からのＡＶデータを受信するデータ受信装置とによって構成されることを特徴とする。又、上述の各データ受信装置と、当該データ受信装置にＡＶデータを送信するデータ送信装置とによって構成されることを特徴とする。又、上述の各データ送信装置と、上述の各データ受信装置とから構成されることを特徴とする。
【００７４】
更に、これらのＡＶデータ通信システムにおいて、１台の前記データ送信装置に対して複数の前記データ受信装置が当該データ送信装置からのＡＶデータを受信可能とされるとともに、複数の前記データ受信装置のうちの一台である第１データ受信装置が前記データ送信装置とデータ通信を行った後、前記データ送信装置との通信を切断したとき、前記データ送信装置がＡＶデータの送信を一時停止し、複数の前記データ受信装置のうちの一台である第２データ受信装置が前記データ送信装置と通信接続したとき、前記データ送信装置が一時停止したときのシーン位置に基づいて設定される再生再開シーン位置からＡＶデータを送信する。
【００７５】
又、これらのＡＶデータ通信システムにおいて、１台の前記データ送信装置に対して複数の前記データ受信装置が当該データ送信装置からの前記データ信号を受信可能とされるとともに、前記データ送信装置が複数の前記データ受信装置に前記データ信号を送信するとき、前記データ受信装置の受信状態に応じて前記データ信号の送信動作を制御する受信状態対応動作制御機能を無効にするものとしても構わない。
【００７６】
又、１台の前記データ送信装置に対して複数の前記データ受信装置が当該データ送信装置からの前記データ信号を受信可能とされるとともに、前記データ受信装置の受信状態に応じて前記データ信号の送信動作を制御する受信状態対応動作制御機能を有効にするとき、前記データ送信装置が１台の前記データ受信装置にのみ前記データ信号を送信し、他の前記データ受信装置の受信動作を停止させるものとしても構わない。
【００７７】
又、１台の前記データ送信装置に対して複数の前記データ受信装置が当該データ送信装置からの前記データ信号を受信可能とされるとともに、前記データ受信装置の受信状態に応じて前記データ信号の送信動作を送信動作を制御する受信状態対応動作制御機能を有効にするとき、前記データ送信装置が前記データ信号を送信する複数の前記データ受信装置のうちの１台のデータ受信装置の受信状態に基づいて、前記受信状態対応動作制御機能が使用されるものとしても構わない。
【００７８】
【発明の実施の形態】
＜第１の実施形態＞
本発明の第１の実施形態について、図面を参照して以下に説明する。図１は、本実施形態におけるＡＶデータ無線通信システムの構成を示すブロック図である。図２は、本実施形態におけるＡＶデータ送信装置の内部構成を示すブロック図である。尚、この図２において、図５８と同一の部分については、同一の符号を付してその詳細な説明は省略する。又、本実施形態におけるＡＶデータ受信装置の内部構成は、従来と同様、図５９に示される構成となる。
【００７９】
図１のＡＶデータ無線通信システムは、ＡＶソース機器１と有線接続されたＡＶデータ送信装置３と、ＡＶ再生装置２と有線接続されたＡＶデータ受信装置４と、ＡＶデータ受信装置４と赤外線通信を行うリモートコントローラ（リモコン）５とによって構成される。このとき、ＡＶデータ送信装置３がＡＶデータ送信用のＩＤコードとしてＩＤコードＡを備え、ＡＶデータ受信装置４がＡＶデータ受信用のＩＤコードとしてＩＤコードＡを備えることによって、ＡＶデータ送信装置３及びＡＶデータ受信装置４が通信接続可能とされる。
【００８０】
又、本実施形態におけるＡＶデータ送信装置３は、図２に示すように、図５８のＡＶデータ送信装置に、データ解析部５１３におけるデータの受信状態からＡＶデータ受信装置４の受信状態を確認する受信状況解析部５３０と、受信状況解析部５３０によって確認されたＡＶデータ受信装置４の受信状態に基づいた操作を示すデータを生成してリモコンデータ解析部５１６に送出する機器制御部５３１が付加された構成である。
【００８１】
このように構成されるＡＶデータ送信装置３を備えたＡＶデータ無線通信システムにおいて、ＡＶデータ受信装置４は、ＡＶデータ送信装置３から送信されるＡＶデータを正常に受信したとき、データ生成部５５５で正常に受信したことを示すＡＣＫ信号を生成する。このＡＣＫ信号は、所定期間毎に生成するものでも構わないし、所定数のパケット毎に生成するものでも構わない。そして、ＡＶデータ受信装置４は、誤り訂正符号付加部５５６においてＡＣＫ信号に誤り訂正符号を付加した後、データスクランブル部５５７でＩＤ記憶部５６０内のＩＤコードＡによって暗号化した後、ＢＢ５４３及びＲＦ５４２及びアンテナ５４１を介してＡＶデータ送信装置３に送信する。
【００８２】
又、ＡＶデータ受信装置４は、ＡＶデータ送信装置３から送信されるＡＶデータを正常に受信できなかったとき、正常に受信できなかったパケットを再送要求パケット生成部５５８で認識し、この正常に受信できなかったパケットを示す再送要求パケットを生成する。そして、再送要求パケット生成部５５８で生成された再送要求パケットによる再送要求信号がデータ生成部５５５で生成された後、誤り訂正符号付加部５５６で誤り訂正符号が付加される。この誤り訂正符号が付加された再生要求信号がデータスクランブル部５５７でＩＤコードＡによって暗号化された後、ＢＢ５４３及びＲＦ５４２及びアンテナ５４１を介してＡＶデータ送信装置３に送信される。
【００８３】
このように、ＡＶデータ受信装置４よりＡＣＫ信号及び再送要求信号が送信されると、ＡＶデータ送信装置３は、このＡＣＫ信号及び再送要求信号をアンテナ５１１及びＲＦ５１０及びＢＢ５０９を介して受信する。そして、スクランブル解除部５１２でＩＤ記憶部５２０内のＩＤコードＡによって暗号化解除した後、データ解析部５１３でＡＣＫ信号及び再送要求信号を確認すると、ＡＣＫ信号及び再送要求信号を受信したことを受信状況解析部５３０に通知する。このとき、受信した信号が再送要求信号であることを確認した場合は、再送要求信号より確認された再送要求されたＡＶデータのパケットを再送パケットとして再送要求パケット生成部５１４で生成し、データ生成部５０５に送出する。
【００８４】
又、受信状況解析部５３０では、ＡＣＫ信号及び再送要求信号の受信状態からＡＶデータ受信装置４の受信状態を確認し、確認した受信状態からＡＶソース機器１の動作状態を機器制御部５３１で設定する。よって、ＡＶデータ受信装置４の受信状態が悪化したと判断したとき、機器制御部５３１ではＡＶソース機器１におけるＡＶデータの再生を一時停止するための機器操作用データを生成してリモコンデータ解析部５１６に送出する。又、ＡＶデータ受信装置４の受信状態が良好であると判断したとき、機器制御部５３１ではＡＶソース機器１におけるＡＶデータ再生の一時停止を解除するための機器操作用データを生成してリモコンデータ解析部５１６に送出する。
【００８５】
このＡＶデータ送信装置３におけるＡＶデータ受信装置４の受信状態の判定動作について、以下に説明する。
【００８６】
１．受信状態判定動作の第１例
まず、受信状態判定動作の第１例について、図３のフローチャートを参照して説明する。ＡＶソース機器１が再生動作を行い、ＡＶデータによるパケットがデータ生成部５０５で生成されるとき（ＳＴＥＰ０）、ＡＶデータ受信装置４からのＡＣＫ信号又は再送要求信号が非受信である回数を計数するための受信状況解析部５３０内の非受信用カウンタ（不図示）の計数値Ｘを０にリセットする（ＳＴＥＰ１）。所定のタイミングでアンテナ５１１及びＲＦ５１０及びＢＢ５０９でＡＶデータ受信装置４からの信号の受信動作を行う（ＳＴＥＰ２）。そして、データ解析部５１３においてＡＶデータ受信装置４からＡＣＫ信号又は再送要求信号を受信したか否かを確認する（ＳＴＥＰ３）。
【００８７】
このとき、ＡＣＫ信号又は再送要求信号を受信したことが確認されると（Ｙｅｓ）、ＡＣＫ信号又は再送要求信号を受信したことが受信状況解析部５３０に通知され、ＳＴＥＰ１に移行する。又、ＡＣＫ信号又は再送要求信号を受信しなかったことが確認されると（Ｎｏ）、ＡＣＫ信号又は再送要求信号を受信されなかったことが受信状況解析部５３０に通知され、非受信用カウンタの計数値Ｘを１つ計数する（ＳＴＥＰ４）。
【００８８】
ＳＴＥＰ４で非受信用カウンタの計数値Ｘが計数されると、この計数値Ｘが所定値Ｘ１を超えたか否かが確認される（ＳＴＥＰ５）。計数値Ｘが所定値Ｘ１を超えていないとき（Ｎｏ）、ＳＴＥＰ２に移行する。又、計数値Ｘが所定値Ｘ１以上となったことが確認されると（Ｙｅｓ）、受信状況解析部５３０においてＡＶデータ受信装置４の受信状態が悪化しているものと認識し、ＡＶデータの再生を一時停止するための機器操作用データを機器制御部５３１で生成する（ＳＴＥＰ６）。
【００８９】
このＡＶデータ再生を一時停止するための機器操作用データがリモコンデータ解析部５１６でリモコンデータに変換されて、リモコン出力部５１７より出力されると、このリモコンデータを赤外線通信により受信するＡＶソース機器１がＡＶデータの再生を一時停止する。このようにＳＴＥＰ６の動作を行った後、ＡＶデータ送信装置３は、ＡＶデータ送信期間毎に、一時停止したときのＡＶデータよりデータパケットをデータ生成部５０５で生成し、誤り訂正符号付加部５０６で誤り訂正符号を付加した後、データスクランブル部５０７でＩＤコードＡにより暗号化して、ＢＢ５０９及びＲＦ５１０及びアンテナ５１１を介してＡＶデータ受信装置４に送信する。尚、このようにＡＶソース機器１が一時停止動作を行う際に、ＡＶデータ送信装置３から送信されるＡＶデータは、一時停止したときのＡＶデータに限らず、予め記憶していた静止画像のＡＶデータでも構わない。このとき、一時停止したシーンの時刻を、再生再開時刻として機器制御部５３１に格納する。
【００９０】
又、ＡＶソース機器１が停止状態であるとき（ＳＴＥＰ８）、又は、ＳＴＥＰ６で一時停止が指示された後にＡＶデータ受信装置４からのＡＣＫ信号の受信回数を計数する受信状況解析部５３０内の受信用カウンタ（不図示）の計数値Ｙがリセットされると（ＳＴＥＰ７）、まず、受信状況解析部５３０内のタイマ（不図示）がリセットされる（ＳＴＥＰ９）。このとき、ＡＶデータ送信装置３からは、ＡＶデータ受信装置４からのＡＣＫ信号を受信するために、上述の一時停止したときの静止画像を表すＡＶデータなどを含む受信確認用のデータを生成して、ＡＶデータ受信装置４に送信する。そして、所定のタイミングでアンテナ５１１及びＲＦ５１０及びＢＢ５０９でＡＶデータ受信装置４から信号の受信動作を行う（ＳＴＥＰ１０）。
【００９１】
その後、データ解析部５１３においてＡＶデータ受信装置４からＡＣＫ信号又は再送要求信号を受信したか否かを確認する（ＳＴＥＰ１１）。このとき、ＡＶデータ受信装置４からのＡＣＫ信号又は再送要求信号の受信が確認されなかったとき（Ｎｏ）、受信用カウンタの計数値Ｙが０にリセットされる（ＳＴＥＰ１２）。そして、不図示のタイマでの計測時間より所定時間Ｔが経過したか否かが確認される（ＳＴＥＰ１３）。このとき、所定時間Ｔが経過したとき（Ｙｅｓ）、機器制御部５３１でＡＶソース機器１を停止状態にするための機器操作用データを生成してリモコンデータとして赤外線通信により送信することでＡＶソース機器１を停止状態とする（ＳＴＥＰ８）。又、所定時間Ｔが経過していないとき（Ｎｏ）、ＳＴＥＰ１０へ移行する。
【００９２】
ＳＴＥＰ１１において、ＡＶデータ受信装置４からのＡＣＫ信号又は再送要求信号の受信が確認されたとき（Ｙｅｓ）、受信用カウンタの計数値Ｙが１つ計数され（ＳＴＥＰ１４）、計数値Ｙが所定値Ｙ１を超えたか否かが確認される（ＳＴＥＰ１５）。このとき、計数値Ｙが所定値Ｙ１を超えていないとき（Ｎｏ）、ＳＴＥＰ１０に移行する。
【００９３】
又、計数値Ｙが所定値Ｙ１以上となったことが確認されると（Ｙｅｓ）、受信状況解析部５３０においてＡＶデータ受信装置４が受信可能な状態となっているものと認識し、再生再開時刻とともにＡＶデータ再生の再開を指示する機器操作用データを機器制御部５３１で生成する（ＳＴＥＰ１６）。このとき、リモコンデータとして赤外線通信により送信することでＡＶソース機器１を再生状態とする。そして、ＡＶソース機器１における再生再開時刻のシーンからの再生動作を再開させると、ＳＴＥＰ１に移行する。
【００９４】
２．受信状態判定動作の第２例
次に、受信状態判定動作の第２例について、図４のフローチャートを参照して説明する。尚、図４のフローチャートにおいて、図３のフローチャートと同一の動作を示すステップについては同一の符号を付して、その詳細な説明は省略する。ＡＶソース機器１が再生動作を行うと（ＳＴＥＰ０）、まず、ＡＶデータ受信装置４からのＡＣＫ信号の受信回数を計数する受信状況解析部５３０内の受信用カウンタの計数値Ｙをリセットする（ＳＴＥＰ５０）。そして、受信状況解析部５３０内のタイマ（不図示）をリセットした後（ＳＴＥＰ５１）、所定のタイミングでＡＶデータ受信装置４から信号の受信動作を行う（ＳＴＥＰ２）。
【００９５】
その後、受信状況解析部５３０において、ＳＴＥＰ２の受信動作を行ったときにＡＣＫ信号を受信したか否かが確認される（ＳＴＥＰ５２）。このとき、ＡＣＫ信号の受信が確認されると（Ｙｅｓ）、受信状況解析部５３０内の受信用カウンタの計数値Ｙを１つ計数する（ＳＴＥＰ５３）。このようにＳＴＥＰ５３において計数値Ｙを１つ計数した後、又は、ＳＴＥＰ５２においてＡＣＫ信号の受信が確認されなかったとき（Ｎｏ）、受信状況解析部５３０内のタイマによる計測時間より所定時間ｔが経過したか否かが確認される（ＳＴＥＰ５４）。
【００９６】
このとき、所定時間ｔが経過したことが確認されると（Ｙｅｓ）、受信用カウンタの計数値Ｙが所定値Ｙ２を超えているか否かが確認され（ＳＴＥＰ５５）、又、所定時間ｔが経過していないとき（Ｎｏ）、ＳＴＥＰ２に移行する。又、ＳＴＥＰ５５で計数値Ｙが所定値Ｙ２以上となるとき（Ｙｅｓ）、ＳＴＥＰ５０に移行する。逆に、ＳＴＥＰ５５で計数値Ｙが所定値Ｙ２より小さい値であるとき（Ｎｏ）、ＡＶソース機器１に赤外線信号を送信して再生を一時停止させる（ＳＴＥＰ６）。このようにＳＴＥＰ６の動作を行った後、ＡＶデータ送信装置３は、一時停止したときのＡＶデータよりデータパケットを生成して、ＡＶデータ送信期間毎にＡＶデータ受信装置４に送信する。
【００９７】
又、ＡＶソース機器１が停止状態であるとき（ＳＴＥＰ８）、又は、ＳＴＥＰ６で一時停止が指示されると、ＡＶデータ受信装置４からのＡＣＫ信号の受信割合Ｚが０にリセットされた後に（ＳＴＥＰ５６）、受信状況解析部５３０内のタイマがリセットされる（ＳＴＥＰ９）。このとき、ＡＶデータ送信装置３からは、ＡＶデータ受信装置４からのＡＣＫ信号を受信するために、上述の一時停止したときの静止画像を表すＡＶデータなどを含む受信確認用のデータを生成して、ＡＶデータ受信装置４に送信する。そして、所定のタイミングでＡＶデータ受信装置４からの信号を受信する（ＳＴＥＰ１０）。
【００９８】
その後、受信状況解析部５３０において、タイマリセット後にＡＣＫ信号の受信した累積回数をタイマによる計測時間で割ることによって求められるＡＣＫ受信割合Ｚを更新する（ＳＴＥＰ５７）。尚、このＡＣＫ受信割合は、ＡＣＫ受信の累積回数を受信タイミング回数により割ることで求められるものでも構わない。このとき、ＳＴＥＰ９において、タイマをリセットする代わりに、受信タイミング回数を計数するカウンタを受信状況解析部５３０内に備え、当該カウンタの計数値をリセットする。
【００９９】
そして、ＳＴＥＰ５７で更新されたＡＣＫ受信割合Ｚが所定割合Ｚ１を超えたか否かが受信状況解析部５３０で確認される（ＳＴＥＰ５８）。このとき、ＡＣＫ受信割合Ｚが所定割合Ｚ１を超えていないとき（Ｎｏ）、所定時間Ｔが経過したか否かが確認される（ＳＴＥＰ１３）。そして、所定時間Ｔの経過が確認されると（Ｙｅｓ）、ＡＣＫ受信割合Ｚが０にリセットされて、ＳＥＴＰ８に移行する（ＳＴＥＰ５９）。又、所定時間Ｔが経過していないとき（Ｎｏ）、ＳＴＥＰ１０に移行する。
【０１００】
更に、ＳＴＥＰ５８において、ＡＣＫ受信割合Ｚが所定割合Ｚ１以上であることが確認されると（Ｙｅｓ）、ＡＶデータの再生を再開するための赤外線信号をＡＶソース機器１に送信して、ＡＶソース機器１の再生再開時刻からの再生動作を再開させ（ＳＴＥＰ１６）、ＳＴＥＰ５０に移行する。
【０１０１】
３．受信状態判定動作時における一時停止指示動作
このように図３又は図４のフローチャートに従って、ＡＶデータ送信装置３が、ＡＶデータ受信装置４の受信状態を判定するとともに、その判定結果に基づいて、ＡＶソース機器１の動作を設定しているとき、接続されたＡＶソース機器１の種類によって、指示する一時停止動作を変更する。図３及び図４のＳＴＥＰ６における一時停止動作を指示する際の動作を、図５のフローチャートに従って説明する。
【０１０２】
ＳＴＥＰ６に移行すると、受信状況解析部５３０が、データ生成部５０５に与えられるＡＶデータのヘッダ情報などから、接続されているＡＶソース機器１から入力されるＡＶデータがチューナで受信された放送中のＡＶデータであるか否かが確認される（ＳＴＥＰ１０１）。そして、放送中のＡＶデータでない場合（Ｎｏ）、ＡＶソース機器１に備えられたハードディスク（ＨＤＤ）より読み出されたＡＶデータであるか否かが確認される（ＳＴＥＰ１０２）。
【０１０３】
又、ＨＤＤより読み出されたＡＶデータでない場合（Ｎｏ）、ＡＶソース機器１に設置されたＶＴＲより読み出されたＡＶデータであるか否かが確認される（ＳＴＥＰ１０３）。又、ＶＴＲより読み出されたＡＶデータでない場合（Ｎｏ）、ＡＶソース機器１に設置されたＤＶＤ（Ｄｉｇｉｔａｌ  Ｖｅｒｓａｔｉｌｅ  Ｄｉｓｋ）より読み出されたＡＶデータであるか否かが確認される（ＳＴＥＰ１０４）。
【０１０４】
ＳＴＥＰ１０１において、チューナで受信された放送中のＡＶデータである場合（Ｙｅｓ）、ＡＶソース機器１がタイムシフト動作中であるか否かを確認する（ＳＴＥＰ１０５）。尚、タイムシフト動作は、現在放送中のＡＶデータを格納するとともに、格納した過去のＡＶデータを再生する動作である。又、このタイムシフト動作であるか否かは、データ生成部５０５において、現在時刻とＡＶソース機器１より与えられたＡＶデータの送信時刻とを比較することによって確認するようにしても構わないし、ＡＶソース機器１よりタイムシフト動作を行うことをＡＶデータ送信装置３に通知するようにしても構わない。
【０１０５】
このとき、タイムシフト動作でなく現在放送中のＡＶデータが送信されていることを確認した場合（Ｎｏ）、機器制御部５３１において、タイムシフト動作を指示する機器操作用データを生成する（ＳＴＥＰ１０６）。ＳＴＥＰ１０６でタイムシフト動作を指示する機器操作用データを生成したとき、又は、ＳＴＥＰ１０５でタイムシフト動作中であることを確認したとき（Ｙｅｓ）、更に、機器制御部５３１において、次シーン以降のＡＶデータ送信の停止とコマーシャル部分を除去した記録動作とを指示する機器操作用データを生成する（ＳＴＥＰ１０７）。
【０１０６】
このようにＳＴＥＰ１０６及びＳＴＥＰ１０７において機器制御部５３１で生成した機器操作用データをリモコンデータ解析部５１６でリモコンデータに変換し、リモコン出力部５１７より赤外線号信号として出力する。そして、データ生成部５０５でＡＶソース機器１から送信されたＡＶデータのヘッダ情報などから、このＡＶデータのシーンの放送時刻を確認する（ＳＴＥＰ１０８）。
【０１０７】
よって、ＡＶソース機器１は、再生が再開されるまで、ＳＴＥＰ６に移行したときに確認された放送時刻のシーン以降のＡＶデータを記録し続けるとともに、確認されたシーン以降のＡＶデータの送信を停止する。このとき、コマーシャル部分のＡＶデータについては記録されない。そして、確認された放送時刻のシーンとなるＡＶデータがＡＶソース機器１よりＡＶデータ送信装置３に送信し続けられても構わないし、ＡＶデータ送信装置３のデータ生成部５０５に格納されるようにしても構わない。
【０１０８】
又、ＳＴＥＰ１０２において、ＨＤＤより読み出したＡＶデータである場合（Ｙｅｓ）、データ生成部５０５でＡＶソース機器１から送信されたＡＶデータのＨＤＤにおける記録位置を確認する（ＳＴＥＰ１０９）。そして、この記録位置によるシーン以降のＡＶデータをＨＤＤより読み出して送信しないように指示する機器操作用データを機器制御部５３１で生成してＡＶソース機器１に送信する（ＳＴＥＰ１１０）。
【０１０９】
よって、ＡＶソース機器１は、再生が再開されるまで、ＳＴＥＰ６に移行したときに確認されたシーン以降のＡＶデータの送信を停止する。このとき、確認されたＨＤＤの記録位置におけるＡＶデータがＡＶソース機器１よりＡＶデータ送信装置３に送信し続けられても構わないし、ＡＶデータ送信装置３のデータ生成部５０５に格納されるようにしても構わない。
【０１１０】
又、ＳＴＥＰ１０３において、ＶＴＲより読み出したＡＶデータである場合（Ｙｅｓ）、データ生成部５０５でＡＶソース機器１から送信されたＡＶデータのカウンタ値を確認する（ＳＴＥＰ１１１）。このカウンタ値は、ＶＴＲの再生速度に応じて計数される値であり、ＶＴＲ上のシーンが録画されている位置を表す値である。そして、ＶＴＲの再生の一時停止を指示する機器操作用データを機器制御部５３１で生成してＡＶソース機器１に送信する（ＳＴＥＰ１１２）。
【０１１１】
又、ＳＴＥＰ１０４において、ＤＶＤより読み出したＡＶデータである場合（Ｙｅｓ）、データ生成部５０５でＡＶソース機器１から送信されたＡＶデータのチャプター位置などによるシーン位置を確認する（ＳＴＥＰ１１３）。そして、ＤＶＤの再生の一時停止を指示する機器操作用データを機器制御部５３１で生成してＡＶソース機器１に送信する（ＳＴＥＰ１１４）。
【０１１２】
よって、ＳＴＥＰ１１２又はＳＴＥＰ１１４における指示を受信したＡＶソース機器１は、再生が再開されるまで、ＶＴＲ又はＤＶＤの再生を一時停止とする。このとき、一時停止とされたときのシーンのＡＶデータがＡＶソース機器１よりＡＶデータ送信装置３に送信し続けられても構わないし、ＡＶデータ送信装置３のデータ生成部５０５に格納されるようにしても構わない。
【０１１３】
又、ＳＴＥＰ１０４において、例えば、ＡＶソース機器１が放送中のＡＶデータを記録する機能を備えていない場合のように、ＤＶＤより読み出したＡＶデータでもない場合（Ｎｏ）、ＡＶソース機器１の動作を停止させる機器操作用データを機器制御部５３１で生成してＡＶソース機器１に送信し（ＳＴＥＰ１１５）、動作を終了する。よって、ＡＶソース機器１は停止状態となる。このとき、停止直前のシーンのＡＶデータをデータ生成部５０５に格納してＡＶデータ受信装置４に送信するようにしても構わないし、予め静止画像となるＡＶデータをデータ生成部５０５に格納してＡＶデータ受信装置４に送信するようにしても構わない。
【０１１４】
又、ＳＴＥＰ１０８、ＳＴＥＰ１１０、ＳＴＥＰ１１２、ＳＴＥＰ１１４の動作がそれぞれ行われたとき、ＳＴＥＰ１０７で確認された放送時刻、ＳＴＥＰ１０９で確認された記録位置、ＳＴＥＰ１１１で確認されたカウンタ値、ＳＴＥＰ１１３で確認されたシーン位置がそれぞれ、受信状況解析部５３０を介して機器制御部５３１に与えられ、再生再開時刻として機器制御部５３１に格納されると（ＳＴＥＰ１１６）、動作が終了する。
【０１１５】
このようなＡＶデータ送信装置３及びＡＶデータ受信装置４による動作例を、図６のタイミングチャートを参照して説明する。期間ＴａにおいてＡＶデータ受信装置４が正常に受信できているものとすると、ＡＶデータ送信装置３から送信されたＡＶデータに対して、ＡＶデータ受信装置４がＡＣＫ信号又は再送要求信号を送信する。
【０１１６】
このとき、ＡＶデータのパケット数が所定数となったとき、又は、所定期間毎に、ＡＶデータ受信装置４からＡＣＫ信号又は再送要求信号が送信される。即ち、この期間Ｔａでは、ＡＶデータ送信装置３から送信されるＡＶデータが正常に受信されなかった期間が短く、ＡＶデータ受信装置４からは再送要求信号が送信され、この再送要求信号に応じて再送されたＡＶデータが正常に受信される。
【０１１７】
又、ＡＶデータ送信装置３から送信されるＡＶデータと、ＡＶデータ受信装置４から送信されるＡＣＫ信号又は再送要求信号とが無線伝送路で衝突しないように、ＡＶデータ送信装置３がＡＶデータを送信する期間とＡＶデータ受信装置４がＡＣＫ信号又は再送要求信号を送信する期間とが別の期間として設定されている。更に、ＡＶデータ受信装置４から再送要求信号が送信されたとき、ＡＶデータ送信装置３は再送要求されたＡＶデータを再び送信する。
【０１１８】
そして、時刻ｔａになったときに、ＡＶデータ受信装置４が無線通信不可能な状態となると、ＡＶデータ送信装置３は、時刻ｔｂに、ＡＣＫ信号又は再送要求信号の受信できなかった回数が所定回数Ｘ１に達したこと、又は、所定時間Ｔ２におけるＡＣＫ信号の受信回数が所定回数Ｙ２以下となったことを確認する。よって、時刻ｔｂになると、ＡＶデータ送信装置３は、ＡＶソース機器１を一時停止とするとともに、ＡＶデータ受信装置４からのＡＣＫ信号を確認するため、静止画像のＡＶデータなどを含むデータ信号の送信を開始する。
【０１１９】
その後、期間ＴｂにおいてＡＶデータ受信装置４が無線通信不可能な状態であり、ＡＶデータ送信装置３からは、静止画像のＡＶデータなどのデータ信号を送信し続けられる。そして、時刻ｔｃになったときに、ＡＶデータ受信装置４が正常に無線通信できるようになったとき、ＡＶデータ送信装置３から送信されるデータ信号に対するＡＣＫ信号がＡＶデータ受信装置４より送信される。
【０１２０】
更に、時刻ｔｄになると、ＡＶデータ送信装置３で、ＡＶデータ受信装置４からのＡＣＫ信号の受信回数が所定値Ｙ１を超えたことが、又は、ＡＶデータ受信装置４からのＡＣＫ信号の受信割合が所定割合Ｚ１を超えたことが確認される。よって、時刻ｔｄになると、ＡＶデータ送信装置３は、ＡＶソース機器１に対して一時停止させたシーンからの再生動作を再開させるとともに、一時停止させたシーン以降のＡＶデータの送信を再開する。
【０１２１】
このように、ＡＶデータの送信を再開することで、再生動作を再開させた後、期間Ｔｃの間、ＡＶデータ受信装置４が正常に通信可能な状態であるとき、期間Ｔａのときと同様、ＡＶデータ送信装置３から送信されるＡＶデータに対してＡＶデータ受信装置４からＡＣＫ信号又は再生要求信号が送信される。尚、このとき、期間Ｔａにおいて放送中のＡＶデータが送受信されているとき、期間ＴｃでＡＶデータの送信再開がなされると、ＡＶソース機器１では、現在放送中のＡＶデータに追いつくまで、通常の再生速度より速い速度で再生される早送り再生などを行うようにしても構わない。
【０１２２】
そして、時刻ｔｅになったときに、ＡＶデータ受信装置４が電源ＯＦＦされて無線通信不可能である停止状態となると、ＡＶデータ送信装置３は、時刻ｔｆに、ＡＣＫ信号又は再送要求信号の受信できなかった回数が所定回数Ｘ１に達したこと、又は、所定時間Ｔ２においてＡＣＫ信号の受信回数が所定回数Ｙ２以下となったことを確認する。よって、時刻ｔｆになると、ＡＶデータ送信装置３は、ＡＶソース機器１を一時停止とするとともに、静止画像のＡＶデータなどのデータ信号を送信する。
【０１２３】
その後、期間Ｔｄにおいて、ＡＶデータ送信装置３が、所定時間Ｔが経過するまで、ＡＶデータ受信装置４からのＡＣＫ信号の受信を確認することがなく、ＡＣＫ信号の受信回数が所定回数Ｙ１に、又は、ＡＣＫ信号の受信割合が所定割合Ｚ１に、それぞれ達しなかったとき、ＡＶソース機器１の動作を停止させる。このとき、静止画像のＡＶデータなどのデータ信号の送信動作も停止する。
【０１２４】
このように、本実施形態によると、ＡＶデータ送信装置３において、ＡＶデータ受信装置４の受信状態を確認することができる。よって、ＡＶデータ送信装置３で確認した受信状態に基づいて、ＡＶソース機器１における動作を一時停止、再生、停止のいずれとするか制御することができる。よって、ＡＶデータを再生しているときに、ＡＶデータ受信装置４の受信状態が悪化したとき、一時停止とし、再び、ＡＶデータ受信装置４の受信状態が良好になったとき、一時停止したシーンから再生を再開することができる。
【０１２５】
尚、本実施形態において、ＡＶソース機器１を一時停止させた後、ＡＶデータ送信装置３よりＡＶデータ受信装置４からのＡＣＫ信号を確認するためにデータ送信されるものとしたが、ＡＶデータ受信装置４がＡＣＫ信号の代わりにＡＶデータ送信装置３に受信状態を確認させるための信号を送信する場合は、ＡＶデータ送信装置３からの送信動作を一時停止させるようにしても構わない。
【０１２６】
又、図５のフローチャートのように判定する際、ＳＴＥＰ１０１〜ＳＴＥＰ１０４において、視聴者がリモコン５を操作することで、リモコン５から赤外線信号でＡＶデータの種類をＡＶデータ受信装置４に送信し、ＡＶデータ受信装置４より無線信号としてＡＶデータの種類を通知するための信号をＡＶデータ送信装置３に送信して通知することで、判定するようにしても構わない。
【０１２７】
尚、本実施形態において、ＡＶデータ受信装置４からＡＣＫ信号及び再送要求信号が送信されるものとしたが、正常な受信ができなかったことを示すＮＡＣＫ信号がＡＶデータ受信装置４より送信され、そのＮＡＣＫの連続受信回数や受信割合に応じてＡＶデータ受信装置４の受信状態を判断するようにしても構わない。又、ＡＶデータ受信装置４からの信号の連続受信回数に基づいてＡＶデータ受信装置４の受信状態が悪化したか否かを確認するとともに、ＡＶデータ受信装置４からの信号の受信割合に基づいてＡＶデータ受信装置４の受信状態が良好となったか否かを確認するようにしても構わない。又、逆に、ＡＶデータ受信装置４からの信号の受信割合に基づいてＡＶデータ受信装置４の受信状態が悪化したか否かを確認するとともに、ＡＶデータ受信装置４からの信号の連続受信回数に基づいてＡＶデータ受信装置４の受信状態が良好となったか否かを確認するようにしても構わない。
【０１２８】
＜第２の実施形態＞
本発明の第２の実施形態について、図面を参照して以下に説明する。図７は、本実施形態におけるＡＶデータ無線通信システムの構成を示すブロック図である。図８は、本実施形態におけるＡＶデータ受信装置の内部構成を示すブロック図である。尚、この図８において、図５９と同一の部分については、同一の符号を付してその詳細な説明は省略する。又、本実施形態におけるＡＶデータ送信装置の内部構成は、従来と同様、図５８に示される構成となる。
【０１２９】
図７のＡＶデータ無線通信システムは、ＡＶソース機器１と有線接続されたＡＶデータ送信装置３ａと、ＡＶ再生装置２と有線接続されたＡＶデータ受信装置４ａと、ＡＶデータ受信装置４ａと赤外線通信を行うリモートコントローラ（リモコン）５とによって構成される。このとき、ＡＶデータ送信装置３ａ及びＡＶデータ受信装置４ａは、ＩＤコードＡを備えることで通信接続可能とする。
【０１３０】
又、本実施形態におけるＡＶデータ受信装置４ａは、図８に示すように、図５９のＡＶデータ受信装置に、データ解析部５４５におけるデータの受信状態から自機器の受信状態を確認する受信状況判定部５６６と、受信状況判定部５６６によって確認された自機器の受信状態に基づいた操作を示すデータを生成して誤り訂正符号付加部５５６に送出する機器制御部５６７が付加された構成である。このようなＡＶデータ受信装置４ａは、第１の実施形態におけるＡＶデータ受信装置４と同様、データ生成部５５５でＡＣＫ信号及び再送要求信号を生成し、ＡＶデータ送信装置３ａに送信する。
【０１３１】
又、ＡＶデータ受信装置４ａは、受信状況判定部５６６において、データ解析部５４５における復号化が正常に行われているか否かに応じて、自機器の受信状態を確認し、確認した受信状態からＡＶソース機器１の動作状態を機器制御部５６７で設定する。この設定した動作状態を指示するための機器操作用データを機器制御部５６７で生成すると、この機器操作用データを誤り訂正符号付加部５５６で誤り訂正符号を付加した後に、データスクランブル部５５７でＩＤ記憶部５６０に格納したＩＤコードＡによって暗号化して、ＢＢ５４３及びＲＦ５４２及びアンテナ５４１を介して送信する。
【０１３２】
そして、ＡＶデータ送信装置３ａは、ＡＶデータ受信装置４ａから送信される機器操作用データをアンテナ５１１及びＲＦ５１０及びＢＢ５０９を介して受信すると、スクランブル解除部５１２で暗号化解除した後、データ解析部５１３で復号化する。そして、データ解析部５１３で得られた機器操作用データがリモコンデータ解析部５１６に与えられると、リモコンデータに変換された後、リモコン出力部５１７から赤外線信号としてＡＶソース機器１に送信される。
【０１３３】
このＡＶデータ受信装置４ａにおける自機器の受信状態の判定動作について、以下に説明する。
【０１３４】
１．受信状態判定動作の第１例
まず、受信状態判定動作の第１例について、図９のフローチャートを参照して説明する。ＡＶデータ送信装置３ａからのＡＶデータを正常に受信して再生動作を行っているとき（ＳＴＥＰ１５０）、まず、受信エラーの回数を計数するための受信状況判定部５６６内のエラー用カウンタ（不図示）の計数値Ｐを０にリセットする（ＳＴＥＰ１５１）。そして、操作部５５１及び操作部データ変換部５５２を通じて又はリモコンコーンデータ受信部５５３及びリモコンデータ変換部５５４を通じてデータ生成部５５５に与えられるデータ信号より電源ＯＦＦとして停止状態となることが指示されているか否かが確認される（ＳＴＥＰ１５２）。このとき、電源ＯＦＦが指示されていない場合（Ｎｏ）、所定のタイミングでアンテナ５４１及びＲＦ５４２及びＢＢ５４３でＡＶデータ送信装置３ａからの信号の受信動作を行う（ＳＴＥＰ１５３）。そして、データ解析部５４５で正常に受信動作が行われているか否かを確認する（ＳＴＥＰ１５４）。
【０１３５】
このとき、ＡＶデータ送信装置３ａからのＡＶデータを正常に受信しているとき（Ｙｅｓ）、正常に受信動作が行われていることが受信状況判定部５６６に通知され、ＳＴＥＰ１５１に移行する。又、ＡＶデータ送信装置３ａからのＡＶデータにエラーが発生していることがデータ解析部５４５で確認されると（Ｎｏ）、受信動作にエラーが発生していることが受信状況判定部５６６に通知され、エラー用カウンタの計数値Ｐを１つ計数する（ＳＴＥＰ１５５）。ＳＴＥＰ１５５でエラー用カウンタの計数値Ｐが計数されると、この計数値Ｐが所定値Ｐ１を超えたか否かが確認される（ＳＴＥＰ１５６）。計数値Ｐが所定値Ｐ１を超えていないとき（Ｎｏ）、ＳＴＥＰ１５３に移行する。
【０１３６】
又、ＡＶデータ送信装置３ａからのＡＶデータを正常に受信できていないとき（ＳＴＥＰ１５７）、又は、ＳＴＥＰ１５２で電源ＯＦＦとして停止状態となることが指示されている場合（Ｙｅｓ）、ＳＴＥＰ１５６でエラー用カウンタの計数値Ｐが所定値Ｐ１を超えたとき（Ｙｅｓ）、まず、正常に受信した回数を計数するための受信状況判定部５６６内の受信用カウンタ（不図示）の計数値Ｑを０にリセットする（ＳＴＥＰ１５８）。そして、ＡＶデータの再生を一時停止するための機器操作用データを機器制御部５６７で生成する（ＳＴＥＰ１５９）。
【０１３７】
この機器操作用データは、誤り訂正符号付加部５５６で誤り訂正符号が付加された後、データスクランブル部５５７で暗号化し、ＢＢ５４３及びＲＦ５４２及びアンテナ５４１を介して送信される。よって、この機器操作用データが、ＡＶデータ送信装置３ａで受信されると、スクランブル解除部５１２で暗号化解除した後、データ解析部５１３で復号化する。
【０１３８】
そして、データ解析部５１３で得られた機器操作用データが、リモコンデータ解析部５１６でリモコンデータに変換された後、リモコン出力部５１７から赤外線信号としてＡＶソース機器１に送信される。このリモコンデータを赤外線通信により受信したＡＶソース機器１がＡＶデータの再生を一時停止する。このとき、一時停止したシーンの時刻を、再生再開時刻として機器制御部５６７に格納する。
【０１３９】
このようにＳＴＥＰ１５９の動作が行われることで、ＡＶソース機器１がＡＶデータの再生を一時停止すると、ＡＶデータ送信装置３ａは、第１の実施形態の時と同様、ＡＶデータ送信期間毎に、一時停止したときのＡＶデータをＡＶデータ受信装置４ａに送信する。尚、このようにＡＶソース機器１が一時停止動作を行う際に、ＡＶデータ送信装置３ａから送信されるＡＶデータは、一時停止したときのＡＶデータに限らず、予め記憶していた静止画像のＡＶデータでも構わない。
【０１４０】
このようにしてＡＶソース機器１を一時停止するための機器操作用データを送信した後、所定のタイミングでＡＶデータ送信装置３ａからの信号の受信動作を行い（ＳＴＥＰ１６０）、データ解析部５４５で正常に受信動作が行われているか否かを確認する（ＳＴＥＰ１６１）。このとき、正常に受信が成されなかった場合（Ｎｏ）、ＳＴＥＰ１５８に移行する。又、正常に受信されたことが確認されると（Ｙｅｓ）、受信状況判定部５６６内の受信用カウンタの計数値Ｑを１つ計数する（ＳＴＥＰ１６２）。
【０１４１】
ＳＴＥＰ１６２で受信用カウンタの計数値Ｑが計数されると、この計数値Ｑが所定値Ｑ１を超えたか否かが確認される（ＳＴＥＰ１６３）。計数値Ｑが所定値Ｑ１を超えていないとき（Ｎｏ）、ＳＴＥＰ１６０に移行する。又、計数値Ｑが所定値Ｑ１以上となったことが確認されると（Ｙｅｓ）、機器制御部５６７内に格納した再生再開時刻を読み出すとともに再生の再開を指示する機器操作用データを機器制御部５６７で生成し（ＳＴＥＰ１６４）、ＳＴＥＰ１５１に移行する。そして、この機器操作用データは、ＡＶデータ送信装置３ａに送信された後、ＡＶデータ送信装置３ａより赤外線通信を通じてリモコンデータとしてＡＶソース機器１に送信される。このリモコンデータを赤外線通信により受信したＡＶソース機器１が再生再開時刻からのＡＶデータの再生を開始する。
【０１４２】
２．受信状態判定動作の第２例
次に、受信状態判定動作の第２例について、図１０のフローチャートを参照して説明する。尚、図１０のフローチャートにおいて、図９のフローチャートと同一の動作を示すステップについては同一の符号を付して、その詳細な説明は省略する。受信動作が正常であるとき（ＳＴＥＰ１５０）、まず、受信状況判定部５６６内のエラー用カウンタ（不図示）の計数値Ｐを０にリセットする（ＳＴＥＰ１５１）。そして、電源ＯＦＦが指示されているか否かを確認し（ＳＴＥＰ１５２）、電源ＯＦＦが指示されていない場合（Ｎｏ）、所定のタイミングでＡＶデータ送信装置３ａからの信号の受信動作を行う（ＳＴＥＰ１５３）。このとき、データ解析部５４５で復号化されたデータ内の音声データにエラーがあるか否かを確認する（ＳＴＥＰ２０１）。
【０１４３】
そして、音声データにエラーがなかった場合（Ｎｏ）、ＳＴＥＰ１５１に移行する。又、音声データにエラーがあった場合（Ｙｅｓ）、受信状況解析部５４５内のエラー用カウンタの計数値Ｐを１つ計数する（ＳＴＥＰ１５５）。このように、本例では、上述の第１例と異なり、データ受信におけるエラーの存否ではなく、受信したデータのうち復号化された音声データにおけるエラーの存否により、ＡＶデータ送信の一時停止を指示するか否かを判定する。その他の動作については、第１例と同一の動作となるので、その詳細な説明は省略する。
【０１４４】
このように図９又は図１０のフローチャートに従って、ＡＶデータ受信装置４ａが、自機器の受信状態を判定するとともに、その判定結果に基づいて、ＡＶソース機器１の動作を設定しているとき、ＡＶデータ送信装置３ａに接続されたＡＶソース機器１によって、指示する一時停止動作を変更する。即ち、図９及び図１０のＳＴＥＰ１５９において、第１の実施形態と同様、図５のフローチャートに従った動作を行うことで、指示する一時停止動作を変更する。
【０１４５】
このとき、ＳＴＥＰ１０１〜ＳＴＥＰ１０４において、ＡＶデータのヘッダ情報などからＡＶデータの種類を判定しても構わないし、視聴者がリモコン５を操作することでリモコン５から赤外線信号でＡＶデータの種類をＡＶデータ受信装置４ａに通知することで判定するようにしても構わない。又、図５のフローチャートのＳＴＥＰ１０７、ＳＴＥＰ１０９、ＳＴＥＰ１１１、ＳＴＥＰ１１３において確認する一時停止した際の映像シーンを表す各時刻を、ＳＴＥＰ１１６において再生再開時刻として機器制御部５６７に格納する。そして、ＳＴＥＰ１６４において再生を再開することを指示する際、図５のフローチャートのＳＴＥＰ１０７、ＳＴＥＰ１０９、ＳＴＥＰ１１１、ＳＴＥＰ１１３で確認した各時刻を読み出して、再開動作を指示する機器操作用データとともに送信する。
【０１４６】
上述の受信状態判定動作の第１例及び第２例において、ＳＴＥＰ１５８で受信用カウンタの計数値Ｑをリセットした後、ＳＴＥＰ１５９に移行して、一時停止するための機器操作用データの送信を行うようにしているが、ＳＴＥＰ１５２において電源ＯＦＦとした場合（Ｙｅｓ）、又はＳＴＥＰ１５６でエラー用カウンタ用の計数値ＰがＰ１を超えたとき（Ｙｅｓ）にのみ、ＳＴＥＰ１５９に移行して一時停止するための機器操作用データの送信を行うようにしても構わない。このとき、ＳＴＥＰ１５７で正常に受信できていないとき、又は、ＳＴＥＰ１５９で一時停止するための機器操作用データの送信を行ったとき、又は、ＳＴＥＰ１６１で正常に受信動作が行われていないとき（Ｎｏ）、ＳＴＥＰ１５８に移行して、受信用カウンタの計数値Ｑをリセットする。
【０１４７】
このようなＡＶデータ送信装置３ａ及びＡＶデータ受信装置４ａによる動作例を、図１１のタイミングチャートを参照して説明する。期間ＴａにおいてＡＶデータ受信装置４ａが正常に受信できているものとすると、ＡＶデータ送信装置３ａから送信されたＡＶデータに対して、ＡＣＫ信号又は再送要求信号を送信する。このとき、ＡＶデータのパケット数が所定数となったとき、又は、所定期間毎に、ＡＶデータ受信装置４ａからＡＣＫ信号又は再送要求信号が送信される。
【０１４８】
又、この期間Ｔａでは、第１の実施形態と同様、ＡＶデータ送信装置３ａから送信されるＡＶデータが正常に受信されなかった期間が短い。即ち、ＡＶデータ受信装置４ａから、再送要求信号が所定回数Ｐ１以上連続して送信されることがない。又は、ＡＶデータ受信装置４ａが受信した音声データに、所定回数Ｐ１以上エラーが連続して発生することがない。
【０１４９】
そして、第１の実施形態と同様、時刻ｔａになったときに、ＡＶデータ受信装置４ａが無線通信不可能な状態となると、ＡＶデータ受信装置４ａは、時刻ｔｂに、再送要求信号の送信回数が所定回数Ｐ１に達したこと、又は、音声データのエラー回数が所定回数Ｐ１以上となったことを確認する。よって、時刻ｔｂになると、ＡＶデータ受信装置４ａは、ＡＶソース機器１を一時停止とするための機器操作用データを送信する。よって、ＡＶデータ送信装置３ａは、この機器操作用データを受信し、ＡＶソース機器１を一時停止とするとともに、静止画像のＡＶデータなどを含むデータ信号の送信を開始する。
【０１５０】
その後、期間ＴｂにおいてＡＶデータ受信装置４ａが無線通信不可能な状態であり、ＡＶデータ送信装置３ａからは、静止画像のＡＶデータなどのデータ信号を送信し続けられるが、ＡＶデータ受信装置４ａでは、正常に受信できないため、連続して所定回数Ｑ１以上ＡＣＫ信号を送信することがない。そして、時刻ｔｃになったときに、ＡＶデータ受信装置４ａが正常に無線通信できるようになったとき、ＡＶデータ送信装置３ａから送信されるデータ信号に対するＡＣＫ信号がＡＶデータ受信装置４ａより送信される。
【０１５１】
更に、時刻ｔｄになると、ＡＶデータ受信装置４ａにおいて正常にＡＶデータの受信が行われて、ＡＣＫ信号の送信回数が所定回数Ｑ１に達したことが確認される。よって、時刻ｔｄになると、ＡＶデータ受信装置４ａは、ＡＶソース機器１に対して一時停止させたシーンからの再生動作を再開させるための機器操作用データを送信する。よって、ＡＶデータ送信装置３ａは、この機器操作用データを受信するため、第１の実施形態と同様、ＡＶソース機器１の再生動作を再開させるとともに、一時停止させたシーン以降のＡＶデータの送信を再開する。
【０１５２】
このように、ＡＶデータの送信を再開することで、再生動作を再開させた後、期間Ｔｃの間、ＡＶデータ受信装置４ａが正常に通信可能な状態であるとき、期間Ｔａのときと同様、ＡＶデータ送信装置３ａから送信されるＡＶデータに対してＡＣＫ信号又は再生要求信号を送信する。そして、時刻ｔｅになったときに、ＡＶデータ受信装置４ａが電源ＯＦＦされると、ＡＶデータ受信装置４ａは、ＡＶデータ送信装置３に対して、ＡＶソース機器１を一時停止とするための機器操作用データを送信する。よって、この機器操作用データを受信したＡＶデータ送信装置３ａは、ＡＶソース機器１を一時停止とするとともに、静止画像のＡＶデータなどのデータ信号を送信する。
【０１５３】
このように、本実施形態によると、ＡＶデータ受信装置４ａにおいて、自機器の受信状態を確認することができる。よって、ＡＶデータ受信装置４ａでは、確認した自機器の受信状態に基づいて、ＡＶソース機器１における動作を一時停止、再生、停止のいずれとするか制御するための機器操作用データをＡＶデータ送信装置３ａに送信し、ＡＶソース機器１の動作を制御することができる。よって、ＡＶデータを再生しているときに、ＡＶデータ受信装置４ａの受信状態が悪化したとき、ＡＶデータ送信装置３ａに機器操作用データを送信して一時停止とし、再び、ＡＶデータ受信装置４ａの受信状態が良好になったとき、ＡＶデータ送信装置３ａに機器操作用データを送信して一時停止したシーンから再生を再開することができる。
【０１５４】
尚、本実施形態において、ＡＶデータ送信装置を、図５８と同一の構成としたが、第１の実施形態における図２のＡＶデータ送信装置３と同一の構成としても構わない。このようにすることによって、ＡＶデータ送信装置及びＡＶデータ受信装置の双方において、ＡＶデータ受信装置の受信状態を確認することができる。このとき、通信状態が悪化したときやＡＶデータ受信装置が電源ＯＦＦとされたときなど、ＡＶデータ受信装置からの機器操作用データがＡＶデータ送信装置に受信されない状態にあるとき、ＡＶデータ送信装置でＡＶデータ受信装置の状態を確認して、ＡＶソース機器の動作を自動的に制御することができる。
【０１５５】
又、本実施形態において、ＡＶデータ受信装置４ａが、正常に受信した回数又は受信エラーや音声エラーの回数によりＡＶソース機器１の動作状態を移行させるものとしたが、第１の実施形態の第２例と同様に、正常に受信した回数又は受信エラーや音声エラーの回数を時間で割った割合によりＡＶソース機器１の動作状態を移行させるようにしても構わない。このとき、エラー発生率が所定の割合よりも高ければ、ＡＶソース機器１に一時停止動作を指示し、エラー発生率が所定の割合よりも低ければ、ＡＶソース機器１に再生再開動作を指示する。又、受信エラーが原因となる映像乱れに基づいて、ＡＶソース機器１の動作状態を移行させるようにしても構わない。
【０１５６】
更に、図９又は図１０のフローチャートに従ってＡＶデータ受信装置４ａが動作するとき、ＳＴＥＰ１５２でＡＶデータ受信装置４ａが停止状態となるように指示されたか否かが確認されるものとしたが、ＡＶ再生装置２が停止状態となったか否かが確認されるものとしても構わない。又、ＡＶデータ受信装置４ａ及びＡＶ再生装置２がそれぞれ、充電池などを電源としているとき、その充電容量を確認し、その充電容量が十分でないとき、ＳＴＥＰ１５２において、ＡＶデータ受信装置４ａ及びＡＶ再生装置２が停止状態とされるものと判定するようにしても構わない。
【０１５７】
＜第３の実施形態＞
本発明の第３の実施形態について、図面を参照して以下に説明する。図１２は、本実施形態におけるＡＶデータ送信装置の内部構成を示すブロック図である。図１３は、本実施形態におけるＡＶデータ受信装置の内部構成を示すブロック図である。尚、図１２及び図１３において、図２及び図８と同一の部分については、同一の符号を付してその詳細な説明は省略する。
【０１５８】
図１２のＡＶデータ送信装置３ｂは、図２のＡＶデータ送信装置３に、リモコンデータ解析部５１６で生成されたリモコンデータを直接ＡＶソース機器１に送信するとともにＡＶソース機器１からの制御用データを受信する機器制御インターフェース（Ｉ／Ｆ）５３２と、受信状況解析部５３０の動作条件を切り換える動作切換設定部５３３とを付加した構成となる。又、図１３のＡＶデータ受信装置４ｂは、図８のＡＶデータ受信装置４ａに、受信状況判定部５６６の動作条件を切り換える動作切換設定部５６８を付加した構成となる。
【０１５９】
ＡＶデータ送信装置３ｂを図１２のように構成することで、図５のフローチャートのように判定する際、ＳＴＥＰ１０１〜ＳＴＥＰ１０４において、接続されたＡＶソース機器１からＡＶデータの種類が機器制御Ｉ／Ｆ５３２及びリモコンデータ解析部５１６を介して受信状況解析部５３０に送信され、いずれのＡＶデータであるか判別される。又、このとき、動作切換設定部５３３を介してＡＶデータの種類を受信状況解析部５３０に通知することもできる。更に、この動作切換設定部５３３を介して、図３のフローチャートに従って動作するか、図４のフローチャートに従って動作するかを指示することができる。その他の動作については、第１の実施形態におけるＡＶデータ送信装置と同一であるので、その詳細な説明は省略する。
【０１６０】
ＡＶデータ受信装置４ｂを図１３のように構成することで、図５のフローチャートのように判定する際、ＳＴＥＰ１０１〜ＳＴＥＰ１０４において、動作切換設定部５６８を介してＡＶデータの種類を受信状況判定部５６６に通知する。又、この動作切換設定部５６８を介して、図９のフローチャートに従って動作するか、図１０のフローチャートに従って動作するかを指示することができる。その他の動作については、第２の実施形態におけるＡＶデータ受信装置と同一であるので、その詳細な説明は省略する。
【０１６１】
更に、動作切換設定部５３３より受信状況解析部５３０における動作変更するための判定値である所定回数Ｘ１、Ｙ１、Ｙ２及び所定割合Ｚ１を変更することができる。又、動作切換設定部５６８より受信状況判定部５６６における動作変更するための判定値である所定回数Ｐ１、Ｑ１を変更することができる。
【０１６２】
本実施形態のように構成することで、視聴しているコンテンツによって、動作変更するための受信状況解析部５３０又は受信状況判定部５６６の判定値及び判定動作を切り換えることができる。即ち、多少の途切れにおいてもその内容把握が困難なコンテンツの場合は、例えば、所定回数Ｘ１を小さくするとともに所定回数Ｙ１を大きくする、又は、所定回数Ｙ２を小さくするとともに所定割合Ｚ１を大きくする、又は、所定回数Ｐ１を小さくするとともに所定回数Ｑ１を大きくすることによって、一時停止動作に移行する判定値を低くするとともに再生動作に移行する判定値を高くする。
【０１６３】
又、図１２において、機器制御Ｉ／Ｆ５３２と動作切換設定部５３３とを別ブロックとしたが、機器制御部Ｉ／Ｆ５３２に動作切換設定部５３３が備えられるものとしても構わない。又、動作切換設定部５３３がリモコンからの赤外線信号を受信してデータ解析するものであっても構わない。又、図１３において、操作部５５１が動作切換設定部５６８としても働くものとしても構わない。又、リモコンデータ受信部５５３が動作切換設定部５６８としても働くものとして、リモコンからの赤外線信号に動作切換を行うためのデータが含まれるようにしても構わない。
【０１６４】
＜第４の実施形態＞
本発明の第４の実施形態について、図面を参照して以下に説明する。本実施形態において、第１の実施形態と同様、ＡＶデータ送信装置の構成を図２のようにするとともに、ＡＶデータ受信装置の構成を図５９のようにする。
【０１６５】
本実施形態のＡＶデータ無線通信システムは、第１の実施形態と同様、図２のような構成のＡＶデータ送信装置３及び図５９のような構成のＡＶデータ受信装置４及びリモコン５によって構成される。このとき、ＡＶデータ送信装置３が、図１４又は図１５のフローチャートに従って受信状態判定動作を行う。尚、図１４のフローチャートにおいて図３のフローチャートと同一の動作ステップについて同一のステップを付すとともに、図１５のフローチャートにおいて図４のフローチャートと同一の動作ステップについて同一のステップを付す。即ち、本実施形態における受信状態判定動作の第１例が、図１４のフローチャートに従った動作であり、又、第２例が、図１５のフローチャートに従った動作である。
【０１６６】
まず、ＡＶデータ送信装置３の受信状態判定動作の第１例では、第１の実施形態と同様、受信状況解析部５３０において、ＡＶデータ受信装置４からのＡＣＫ信号及び再送要求信号の受信しなかった回数を確認することで、一時停止動作を行うか否かを設定する。このように動作するとき、ＳＴＥＰ５において、受信状態解析部５３０内の非受信用カウンタ（不図示）における計数値Ｘが所定回数Ｘ１を超えたとき（Ｙｅｓ）、現在時刻を確認して一時停止時刻として受信状態解析部５３０内に格納する（ＳＴＥＰ２５０）。その後、ＳＴＥＰ６以降の動作を行う。
【０１６７】
このように動作するとき、ＳＴＥＰ１６において、再生動作の再開を行うために、操作制御データをＡＶソース機器１に赤外線信号を通じて送信するとき、図１６のフローチャートに従った動作を行う。まず、受信状態解析部５３０で、ＳＴＥＰ２５０において格納された一時停止時刻を読み出して、現在時刻との時間差を求める（ＳＴＥＰ３００）。そして、図５のフローチャートにおけるＳＴＥＰ１１６において機器制御部５３１に格納した再生再開時刻から戻して再生する重複時間を、現在時刻と一時停止時刻との時間差に基づいて求める（ＳＴＥＰ３０１）。
【０１６８】
このとき、重複時間を、現在時刻と一時停止時刻との時間差の一定の割合（例えば、３％）で求めるものとしても構わない。又、現在時刻と一時停止時刻との時間差が長くなると重複時間が長くなるように、現在時刻と一時停止時刻との時間差と重複時間との関係を図１７のように設定しても構わない。このとき、現在時刻と一時停止時刻との時間差が１分までならば再生再開時刻の２秒前から再生を再開し、現在時刻と一時停止時刻との時間差が１〜５分ならば再生再開時刻の５秒前から再生を再開し、現在時刻と一時停止時刻との時間差が５〜１５分ならば再生再開時刻の１０秒前から再生を再開し、現在時刻と一時停止時刻との時間差が１５〜６０分ならば再生再開時刻の２０秒前から再生を再開し、現在時刻と一時停止時刻との時間差が１〜５時間ならば再生再開時刻の３０秒前から再生を再開し、現在時刻と一時停止時刻との時間差が５〜２４時間ならば再生再開時刻の１分前から再生を再開し、現在時刻と一時停止時刻との時間差が１〜２日ならば再生再開時刻の３分前から再生を再開し、現在時刻と一時停止時刻との時間差が２〜７日ならば再生再開時刻の５分前から再生を再開し、現在時刻と一時停止時刻との時間差が７日以上ならば再生再開時刻の１０分前から再生を再開する。
【０１６９】
このように、ＳＴＥＰ３０１で重複時間が求められると、この重複時間を再生再開時刻から減算した時刻を新たな再生再開時刻として求める（ＳＴＥＰ３０２）。そして、ＡＶソース機器１で再生再開するＡＶデータがタイムシフト機能が使用されたＡＶデータであるか否かが確認される（ＳＴＥＰ３０３）。このとき、ＡＶデータがＨＤＤやＤＶＤやＶＴＲによるＡＶデータのように、タイムシフト機能が使用されたＡＶデータでない場合（Ｎｏ）、ＳＴＥＰ３０２で求めた新たな再生再開時刻がＡＶソース機器１で再生されるコンテンツの開始時刻以前の時刻となるか否かが確認される（ＳＴＥＰ３０４）。そして、コンテンツの開始時刻以前の時刻となる場合（Ｙｅｓ）、このコンテンツの開始時刻を再生再開時刻に設定する（ＳＴＥＰ３０５）。
【０１７０】
又、ＳＴＥＰ３０３において、ＡＶデータが放送中のＡＶデータのように、タイムシフト機能が使用されたＡＶデータである場合（Ｙｅｓ）、ＳＴＥＰ３０２で求めた新たな再生再開時刻がＡＶソース機器１でタイムシフト機能により記録されたコンテンツの最も古い時刻以前の時刻となるか否か（即ち、新たな再生再開時刻がシフト範囲内であるか否か）が確認される（ＳＴＥＰ３０６）。このとき、再生再開時刻がシフト範囲内の時刻でない場合（Ｎｏ）、この記録されたコンテンツの最も古い時刻を新たな再生再開時刻に設定する（ＳＴＥＰ３０７）。
【０１７１】
ＳＴＥＰ３０４においてＳＴＥＰ３０２で求めた新たな再生再開時刻がコンテンツの開始時刻以前の時刻でない場合（Ｎｏ）、ＳＴＥＰ３０５でコンテンツの開始時刻を新たな再生再開時刻としたとき、ＳＴＥＰ３０６においてＳＴＥＰ３０２で求めた新たな再生再開時刻がシフト範囲内となる場合（Ｙｅｓ）、ＳＴＥＰ３０７で記録されたコンテンツの最も古い時刻を新たな再生時刻としたとき、ＳＴＥＰ３０４〜ＳＴＥＰ３０７における再生再開時刻のシーンにおけるＡＶデータからの再生再開を指示する機器操作用データを受信状況解析部５３０で生成する（ＳＴＥＰ３０８）。そして、この機器操作用データをＡＶソース機器１に送信する。
【０１７２】
このように、ＳＴＥＰ２５０において一時停止時刻を格納するとともに、ＳＴＥＰ１６において、図１６のフローチャートに従って動作すること以外の動作については、第１の実施形態と同様の動作を行うため、その動作の詳細な説明については、第１の実施形態を参照するものとして省略する。
【０１７３】
次に、ＡＶデータ送信装置３の受信状態判定動作の第２例では、第１の実施形態と同様、受信状況解析部５３０において、一定時間ｔにおけるＡＶデータ受信装置４からのＡＣＫ信号の受信回数を確認することで、一時停止動作を行うか否かを設定する。このように動作するとき、ＳＴＥＰ５５において、受信状態解析部５３０内の受信用カウンタ（不図示）の計数値Ｙが所定値Ｙ２を超えたとき（Ｙｅｓ）、現在時刻を確認して一時停止時刻として受信状態解析部５３０内に格納する（ＳＴＥＰ２５０）。その後、ＳＴＥＰ６以降の動作を行う。又、第１例と同様、ＳＴＥＰ１６において、図１６のフローチャートに従った動作を行う。それ以外の動作については、第１の実施形態と同様の動作を行う。
【０１７４】
尚、本実施形態において、ＡＶデータ送信装置及びＡＶデータ受信装置の構成を、第１の実施形態と同様の構成として、ＡＶデータ送信装置において、ＡＶデータ受信装置の受信状態を確認してＡＶソース機器１の動作を変更するものとしたが、第２の実施形態と同様の構成として、ＡＶデータ受信装置において、ＡＶデータ受信装置自信の受信状態を確認する場合においても適応可能である。
【０１７５】
このとき、図９又は図１０のフローチャートによる動作に変わり、図１８又は図１９のフローチャートのように、ＳＴＥＰ１５６において受信状態判定部５６６内のエラー用カウンタの計数値Ｐが所定回数Ｐ１を超えたとき（Ｙｅｓ）、現在時刻を確認して一時停止時刻として受信状態判定部５６６内に格納する（ＳＴＥＰ３５０）。その後、ＳＴＥＰ１５８以降の動作を行う。又、ＳＴＥＰ１６４において、図１６のフローチャートに従った動作を行う。
【０１７６】
又、本実施形態のＡＶデータ送信装置及びＡＶデータ受信装置が、第３の実施形態で説明した機能を備えるものとしても構わない。このとき、ＡＶデータ送信装置及びＡＶデータ受信装置に対して、動作切換設定部を介して設定動作を行うことができる。
【０１７７】
＜第５の実施形態＞
本発明の第５の実施形態について、図面を参照して以下に説明する。本実施形態において、第１又は第４の実施形態と同様、ＡＶデータ送信装置の構成を図２のようにするとともに、ＡＶデータ受信装置の構成を図５９のようにする。
【０１７８】
本実施形態では、第１又は第４の実施形態と同様のＡＶデータ送信装置３及びＡＶデータ受信装置４を使用する。そして、第１又は第４の実施形態と同様、ＳＴＥＰ６でＡＶソース機器１が一時停止動作を行うように機器操作用データを生成してＡＶソース機器１に送信したとき、ＡＶデータ送信装置３では、ＡＶソース機器１に再生再開を指示するまで、図２０のフローチャートに従った動作を行う。以下に、この一時停止動作移行後のＡＶデータ送信装置３の動作について、図２０のフローチャートに従って説明する。
【０１７９】
ＳＴＥＰ６において一時停止動作をＡＶソース機器１に指示すると、まず、放送中の番組によるＡＶデータのようにタイムシフト機能を使用して一時停止動作を指示しているか否かが受信状況解析部５３０において確認される（ＳＴＥＰ４０１）。このとき、タイムシフト機能を使用していることが確認されると（Ｙｅｓ）、更に、このタイムシフト機能を継続して行うように設定されているか否かが確認される（ＳＴＥＰ４０２）。尚、このタイムシフト機能を継続するか否かの設定については、予め、視聴者（ユーザ）によって、リモコン５及びＡＶデータ受信装置４を通じて設定されるものとしても構わないし、ＡＶデータ送信装置３に直接入力されて設定されるものとしても構わない。
【０１８０】
そして、タイムシフト機能を継続して行うように設定されているとき（Ｙｅｓ）、タイムシフト機能を開始してから現在までの時間がＡＶソース機器１でタイムシフト機能により記録可能な時間の範囲内であるか否か（即ち、現在時刻がシフト範囲内であるか否か）が確認される（ＳＴＥＰ４０３）。このとき、現在時刻がシフト範囲内の時刻でない場合（Ｎｏ）、タイムシフト機能によりＡＶソース機器１で記録される最も古いシーンの時刻のＡＶデータが更新される。即ち、シフト範囲外となる記録されたＡＶデータがＡＶソース機器１において削除される。
【０１８１】
そして、ＡＶソース機器１でタイムシフト機能により記録される最も古いシーンの時刻が受信状況解析部５３０内に格納された再生再開時刻以降の時刻となり、再生再開時刻の更新が必要であるか否かが確認される（ＳＴＥＰ４０４）。このとき、再生再開時刻の更新が必要であることが確認されると（Ｙｅｓ）、ＡＶソース機器１でタイムシフト機能により記録される最も古いシーンの時刻を、新たな再生再開時刻として更新する（ＳＴＥＰ４０５）。
【０１８２】
又、ＳＴＥＰ４０１において、タイムシフト機能を使用した一時停止動作を行っていない場合（Ｎｏ）、ＨＤＤやＶＴＲやＤＶＤなどの記録媒体に記録されたＡＶデータの再生動作が一時停止されているか否かが確認される（ＳＴＥＰ４０６）。このとき、記録媒体に記録されたＡＶデータであることが確認されると（Ｙｅｓ）、現在時刻と一時停止時刻との時間差を求めた後（ＳＴＥＰ４０７）、この時間差が所定時間以内であるか否かが確認される（ＳＴＥＰ４０８）。そして、ＳＴＥＰ４０７で求められた時間差が所定時間を超えていることが確認されると（Ｎｏ）、機器制御部５３１内に格納した一時停止しているコンテンツ及び一時停止時刻及び再生再開時刻などの記録情報を削除する（ＳＴＥＰ４０９）。
【０１８３】
又、ＳＴＥＰ４０２において、タイムシフト機能を継続して行うように設定されていないとき（Ｎｏ）、ＳＴＥＰ４０３と同様、現在時刻がシフト範囲内であるか否かが確認される（ＳＴＥＰ４１０）。このＳＴＥＰ４１０において、現在時刻がシフト範囲内でないとき（Ｎｏ）、又は、ＳＴＥＰ４０６において、記録媒体に記録されたＡＶデータでないとき（Ｎｏ）、又は、ＳＴＥＰ４０９における受信状況解析部５３０内の再生再開するための情報の削除を行ったとき、ＡＶソース機器１を停止させるように指示するための機器操作用データを機器制御部５３１で生成し、ＡＶソース機器１に送信する（ＳＴＥＰ４１１）。
【０１８４】
又、ＳＴＥＰ４０３又はＳＴＥＰ４１０において、現在時刻がシフト範囲内であるとき（Ｙｅｓ）、又は、ＳＴＥＰ４０４において、再生再開時刻の更新が必要でないとき（Ｎｏ）、又は、ＳＴＥＰ４０５における再生再開時刻の更新動作を行ったとき、又は、ＳＴＥＰ４０８において、ＳＴＥＰ４０７で求めた時間が所定時間以内であるとき（Ｙｅｓ）、又はＳＴＥＰ４１１におけるＡＶソース機器１への停止指示動作を行ったとき、ＡＶデータ受信装置４の受信状態が良好となり再生再開動作に移行可能となったか否かが確認される（ＳＴＥＰ４１２）。
【０１８５】
このとき、再生再開動作に移行可能でない場合（Ｎｏ）、ＳＴＥＰ４１１でＡＶソース機器１へ停止指示動作を行ったか否かが確認される（ＳＴＥＰ４１３）。このとき、ＡＶソース機器１へ停止指示動作を行った場合（Ｙｅｓ）、ＳＴＥＰ４１２に移行し、又、ＡＶソース機器１へ停止指示動作を行っていない場合（Ｎｏ）、ＳＴＥＰ４０１に移行する。又、ＳＴＥＰ４１２で再生再開動作に移行可能となった場合、本動作を終了し、上述した再生再開動作を行う。
【０１８６】
又、本実施形態において、第１又は第４の実施形態におけるＡＶデータ送信装置３を使用するものとしたが、第２又は第４の実施形態におけるＡＶデータ受信装置４ａを使用するものとしても構わない。このとき、ＳＴＥＰ１５９でＡＶソース機器１が一時停止動作を行うように機器操作用データを生成してＡＶデータ送信装置３ａを介してＡＶソース機器１に送信したときに、図２０のフローチャートに従った動作を行う。
【０１８７】
この図２０のフローチャートによる一時停止指示後の動作を行うとき、ＳＴＥＰ４０５では受信状況判定部５６６における記録内容の更新を行い、ＳＴＥＰ４０９では受信状況判定部５６６における記録内容の削除を行う。又、ＳＴＥＰ４１１の動作が、ＡＶデータ送信装置３ａを介したＡＶソース機器１との通信によって行われる。
【０１８８】
更に、本実施形態のＡＶデータ送信装置３及びＡＶデータ受信装置４ａが、第３の実施形態におけるＡＶデータ送信装置３ｂ及びＡＶデータ受信装置４ｂそれぞれの機能を備えるようにしても構わない。
【０１８９】
＜第６の実施形態＞
本発明の第６の実施形態について、図面を参照して以下に説明する。図２１は、本実施形態のＡＶデータ送信装置の構成を示すブロック図である。尚、図２１のＡＶデータ送信装置において、図２のＡＶデータ送信装置の構成と同一の部分については、同一の符号を付してその詳細な説明は省略する。又、ＡＶデータ受信装置の構成を図５９のようにする。
【０１９０】
図２１のＡＶデータ送信装置３ｃは、図２のＡＶデータ送信装置３に、再生再開データ記憶部５３５を付加した構成となる。このようなＡＶデータ送信装置３ｃに備えられた再生再開データ記憶部５３５には、各視聴者毎に一時停止動作が成された際の各コンテンツの再生再開時刻やコンテンツ名などの情報が格納される。このような構成のＡＶデータ送信装置３ｃにおけるＡＶソース機器１へ再生動作を指示する際の動作について、図面を参照して説明する。
【０１９１】
１．再生指示動作の第１例
本例では、ＡＶデータ送信装置３ｃは、第１又は第４の実施形態のような受信状態判定動作を行う。このように動作するとき、ＳＴＥＰ１６における動作が図２２のフローチャートによる動作となる。本例における再生指示動作について、図２２のフローチャートに従って説明する。
【０１９２】
まず、ＡＶデータ受信装置４からのＡＣＫ信号を受信する回数が所定回数以上となったときや、ＡＣＫ受信割合が所定割合以上となったときのように、ＡＶデータ受信装置４が受信可能な状態になったことを受信状況解析部５３０において確認すると、まず、再生を再開するコンテンツを選択するための選択モードに設定されているか確認する（ＳＴＥＰ５０１）。尚、リモコン５によってＡＶデータ受信装置４に通知された後、ＡＶデータ受信装置４からＡＶデータ送信装置３ｃに対して無線通信を通じて通知されることで、この選択モードが設定される。又、選択モードに設定されているか否かについては、受信状況解析部５３０内で記憶される。
【０１９３】
このとき、選択モードが設定されていることが確認されると（Ｙｅｓ）、視聴者（ユーザ）を指定するようにＡＶデータ受信装置４に対して要求を行うユーザ指定要求信号を送信する（ＳＴＥＰ５０２）。よって、このユーザ指定要求信号を受信したＡＶデータ受信装置４が、ＡＶデータを受信したときと同様の動作を行うことで、ＡＶ再生装置２に対してユーザを指定するように要求されていることを表示するためのデータを送信し、ＡＶ再生装置２にユーザを指定するように要求するための表示が成される。
【０１９４】
そして、視聴者（ユーザ）がＡＶ再生装置２の表示を確認して、リモコン５を操作することで、視聴者（ユーザ）自身を表すユーザ情報をリモコン５から赤外線通信を通じてＡＶデータ受信装置４に送信する。このユーザ情報を赤外線信号受信部５５３で受信したＡＶデータ受信装置４は、リモコン５からの他の操作を表す赤外線信号を受信したときと同様の動作を行うことで、ユーザ情報をＡＶデータ送信装置３ｃに送信する。
【０１９５】
ＡＶデータ送信装置３ｃでは、このユーザ情報をアンテナ５１１及びＲＦ５１０及びＢＢ５０９を介して受信すると、スクランブル解除部５１２でＩＤコードＡにより暗号化解除した後、データ解析部５１３でユーザ情報であることを確認し、受信状況解析部５３０に送出する（ＳＴＥＰ５０３）。そして、受信状況解析部５３０において、受信したユーザ情報より、現在、ＡＶデータ受信装置４で受信されたＡＶデータをＡＶ再生装置２を通じて視聴しようとしている視聴者（ユーザ）を確認する（ＳＴＥＰ５０４）。
【０１９６】
そして、このユーザ情報から確認した視聴者（ユーザ）がＡＶデータ送信装置３ｃから送信するＡＶデータの視聴を許可したユーザであるか否か確認する（ＳＴＥＰ５０５）。このとき、ユーザ情報より視聴者の確認が行われるか否かによって、視聴の許可を確認するようにしても構わないし、予め、視聴を許可した視聴者（ユーザ）のユーザ情報を受信状況解析部５３０内に格納し、受信したユーザ情報と照会することにより視聴の許可を確認するようにしても構わない。
【０１９７】
ＳＴＥＰ５０５において、視聴を許可したユーザであることが確認されると（Ｙｅｓ）、その視聴者（ユーザ）に対して一時停止したコンテンツに対するデータが再生再開データ記憶部５３５内に記録されているか否かが確認される（ＳＴＥ５０６）。このとき、再生再開データ記憶部５３５内にＳＴＥＰ５０４で確認されたユーザのデータが記録されていると（Ｙｅｓ）、この再生再開データ記憶部５０５からユーザのデータが読み出されて、再生再開するコンテンツを選択するための選択用データが受信状況解析部５３０で生成された後、ＡＶデータ受信装置４に送信される（ＳＴＥＰ５０７）。
【０１９８】
この選択用データがＡＶデータ受信装置４で受信されると、ＡＶデータ受信装置４がＡＶデータを受信したときと同様の動作を行うことにより、選択用データがＡＶ再生装置２に与えられ、選択用データによって示される再生再開可能なコンテンツのリストがＡＶ再生装置２に表示される。このときのＡＶ再生装置２における表示が、例えば、図２３のようになる。
【０１９９】
図２３において、領域７００に一時停止を記録したコンテンツの内容が、プレビュー画面７０１に領域７００で内容表示されたコンテンツのうち視聴者（ユーザ）に指定されたコンテンツの再生再開を行うシーンが、領域７０２に選択可能な重複時間が、それぞれ表示される。このとき、領域７００には、ＨＤＤに１２／１５に記録された番組αであるとともに１２／２０の１９：３５に視聴が停止されたコンテンツａと、ＶＴＲに１２／１８に記録された番組βであるとともに１２／１９の２１：１５に視聴が停止されたコンテンツｂと、ＤＶＤに記録された映画γであるとともに１２／１７の１８：３２に視聴が停止されたコンテンツｃと、放送中の番組δであるとともに１０分前に視聴が停止されたコンテンツｄと、が表示される。
【０２００】
又、領域７０２には、重複時間として、「０分、１分、５分」のような時間による表示と、ＤＶＤにおける１つのチャプターなどに相当する「１区間」のような区間による表示とが、表示されるとともに、コンテンツの開始時刻からの再生を開始することを示す「はじめから」という表示と、第４の実施形態のように一時停止時刻と現在時刻との時間差から自動的に演算する重複時間を使用することを示す「自動計算」という表示とが、成される。
【０２０１】
そして、リモコン５が操作されて赤外線信号を通じて制御信号がＡＶデータ受信装置４に与えられることで、領域７００及び領域７０２内に表示されるカーソルやポインタなどを移動させるとともに、領域７００に表示されたコンテンツａ〜ｄや領域７０２に表示された重複時間（コンテンツの開始時刻も含む）を選択する。このように、領域７００に表示されたコンテンツａ〜ｄのうちの一つが選択されるとともに、領域７０２に表示された重複時間のうちの１つが選択されると、選択されたコンテンツ及び重複時間を内容に含む選択データをデータ生成部５５５で生成し、リモコンデータと同様にして、ＡＶデータ送信装置３ｃに送信する。
【０２０２】
よって、ＡＶデータ送信装置３ｃが選択データを受信すると、データ解析部５１３で選択データ内の視聴者（ユーザ）に選択されたコンテンツ及び重複時間を受信状況解析部５３０に通知し（ＳＴＥＰ５０８）、重複時間があるか否かが確認される（ＳＴＥＰ５０９）。重複時間がある場合は（Ｙｅｓ）、再生再開データ記憶部５３５に格納された選択されたコンテンツに対する再生再開時刻から重複時間を減算した時刻を、新たな再生再開時刻として設定する（ＳＴＥＰ５１０）。そして、選択されたコンテンツのＳＴＥＰ５１０で設定された再生再開時刻におけるプレビュー用ＡＶデータを送信するように指示する機器操作用データを機器制御部５３１において生成し、ＡＶソース機器１に送信する（ＳＴＥＰ５１１）。又、ＳＴＥＰ５０９で重複時間がないことが確認されると（Ｎｏ）、ＳＴＥＰ５１１において選択されたコンテンツに対する再生再開時刻におけるプレビュー用ＡＶデータを送信するように支持する機器操作用データをＡＶソース機器１に送信する。
【０２０３】
そして、プレビュー用ＡＶデータをＡＶソース機器１より受信すると、通常のＡＶデータをＡＶデータ受信装置４に送信する場合と同様にして、ＡＶデータ受信装置４に送信する（ＳＴＥＰ５１２）。このプレビュー用ＡＶデータを受信したＡＶデータ受信装置４は、通常のＡＶデータと同様にしてＡＶ再生装置２に送信する。そして、このプレビュー用ＡＶデータによるシーンがプレビュー画面７０１に表示され、選択されたコンテンツの再生が再開される最初のシーンを視聴者（ユーザ）に確認させることができる。このプレビュー画面７０１に表示されるシーンは、１シーンの静止画でも構わないし、複数シーンによる動画でも構わない。
【０２０４】
そして、プレビュー画面７０１に表示されたシーンからの再生再開で構わない場合、リモコン５が操作されて、プレビュー用ＡＶデータによるシーンからの再生再開を示すＯＫ信号がＡＶデータ受信装置４に対して赤外線通信を介して通知される。又、プレビュー画面７０１に表示されたシーンからの再生再開が所望されない場合、リモコン５が操作されて、プレビュー用ＡＶデータによるシーンからの再生再開でないことを示すＮＧ信号がＡＶデータ受信装置４に対して赤外線通信を介して通知される。このＯＫ信号及びＮＧ信号は、上述の選択データと同様、その他のリモコンデータが与えられたときとＡＶデータ受信装置４が同様の動作を行うことで、ＡＶデータ送信装置３ｃに送信される。
【０２０５】
よって、ＡＶデータ送信装置３ｃでは、ＳＴＥＰ５１２でプレビュー用ＡＶデータを送信した後、ＯＫ信号を受信したか否かが確認される（ＳＴＥＰ５１３）。このとき、ＮＧ信号が受信したとき（Ｎｏ）、再び、ＳＴＥＰ５０８に移行し、新たに視聴者（ユーザ）が選択したコンテンツ及び重複時間による選択データの受信を確認し、ＳＴＥＰ５０８以降の動作を行う。
【０２０６】
又、ＳＴＥＰ５０５において、ユーザ情報で確認されたユーザが許可されていない場合（Ｎｏ）、使用許可されていないことを示す禁止データをデータ生成部５０５で生成した後、ＡＶデータ受信装置４に送信し（ＳＴＥＰ５１５）、動作を終了する。このとき、この禁止データを受信したＡＶデータ受信装置４は、ＡＶデータを受信したときと同様の動作を行うことで、禁止データをＡＶ再生装置２に送信し、ＡＶ再生装置２において、使用許可されていないことを表示する。
【０２０７】
又、ＳＴＥＰ５０１において、選択モードに設定されていないとき（Ｎｏ）、又は、ＳＴＥＰ５０６において、確認されたユーザのデータがなかったとき（Ｎｏ）、一時停止動作が行われているか否かが確認される（ＳＴＥＰ５１６）。このとき、受信状況解析部５３０において現在一時停止動作が行われていることが確認されると（Ｙｅｓ）、この一時停止動作が所定のユーザに再生制限がかけられているか否かが確認される（ＳＴＥＰ５１７）。再生制限が有る場合は（Ｙｅｓ）、ＳＴＥＰ５０２及びＳＴＥＰ５０３と同様に、ユーザ指定要求信号をＡＶデータ受信装置４に送信した後（ＳＴＥＰ５１８）、ユーザ情報をＡＶデータ受信装置４から受信する（ＳＴＥＰ５１９）。そして、ＳＴＥＰ５０４と同様、ユーザ情報より視聴者（ユーザ）の判定を行い（ＳＴＥＰ５２０）、判定した視聴者（ユーザ）が、視聴が許可されたユーザであるか否かが確認される（ＳＴＥＰ５２１）。
【０２０８】
又、ＳＴＥＰ５１３でＯＫ信号を受信したことが確認されたとき（Ｙｅｓ）、又は、ＳＴＥＰ５１７でユーザによる制限がない場合（Ｎｏ）、ＳＴＥＰ５２１で視聴許可されたユーザであることが確認されたとき（Ｙｅｓ）、選択されたコンテンツを選択されたコンテンツのＳＴＥＰ５１０で設定された再生再開時刻から再生を再開するように、又は、ＳＴＥＰ５１６で確認された一時停止状態のコンテンツを再開するように、ＡＶソース機器１に機器操作用データを送信して（ＳＴＥＰ５１４）、動作を終了する。更に、ＳＴＥＰ５１６で一時停止動作が行われていない場合（Ｎｏ）、又は、ＳＴＥＰ５２１で視聴許可されていないユーザである場合は（Ｎｏ）、それぞれ動作を終了する。
【０２０９】
尚、本例において、ＳＴＥＰ５１６で確認された一時停止状態のコンテンツを再開するように指示する際、ＳＴＥＰ５１０における動作と同様の動作を行うことで、視聴者（ユーザ）が、図２３の領域７０２における表示から選択した重複時間によって再生再開時刻を新たに設定するようにしても構わない。
【０２１０】
２．再生指示動作の第２例
本例では、ＡＶデータ送信装置３ｃは、第４の実施形態のような受信状態判定動作を行う。このように動作するとき、ＳＴＥＰ１６における動作が図２４のフローチャートによる動作となる。本例における再生指示動作について、図２４のフローチャートに従って説明する。この図２４のフローチャートにおいて、ＳＴＥＰ５０１〜ＳＴＥＰ５１６における動作については、図２３のフローチャートに従った再生指示動作の第１例と同一の動作を行う。よって、以下では、第１例の動作と異なる部分について説明する。
【０２１１】
本例では、ＳＴＥＰ５１６において、受信状況解析部５３０において現在一時停止動作が行われていることが確認されると（Ｙｅｓ）、現在時刻と一時停止時刻との時間差を求め、この時間差が一時停止しているコンテンツの再生を再開可能として設定される所定時間以内であるか否かが受信状況解析部５３０で確認される（ＳＴＥＰ５５０）。このとき、所定時間以内であることが確認されると（Ｙｅｓ）、ＳＴＥＰ５１６で確認された一時停止状態のコンテンツを再開するように、ＡＶソース機器１に機器操作用データを送信する（ＳＴＥＰ５５１）。よって、ＡＶソース機器１から一時停止されたＡＶデータのＡＶデータ送信装置３ｃへの送信が再開されると、ＡＶソース機器１からのＡＶデータをＡＶデータ受信装置４に送信する。
【０２１２】
このようにしてＡＶデータ受信装置４へのＡＶデータの送信が再開されると、ＡＶ再生装置２に一時停止されたシーンからの再生表示されると、この再生表示されたコンテンツを継続して再生するか否かが、視聴者（ユーザ）によってリモコン５が操作されることによって、ＡＶデータ受信装置４に通知される。即ち、コンテンツを継続して再生することを示すＯＫ信号、又は、コンテンツの再生を停止することをＮＧ信号を、リモコン５より赤外線通信を通じてＡＶデータ受信装置４へ通知する。そして、このＯＫ信号及びＮＧ信号が、ＡＶデータ受信装置４から無線通信を通じてＡＶデータ送信装置３ｃに送信される。
【０２１３】
このような動作が行われるとき、ＡＶデータ送信装置３ｃは、ＡＶデータの送信を再開するとＯＫ信号を受信したか否かを確認する（ＳＴＥＰ５５２）。このとき、ＯＫ信号をＡＶデータ送信装置３ｃが受信すると（Ｙｅｓ）、ＳＴＥＰ５５１から再開されたＡＶデータの送信が続行されるものとし（ＳＴＥＰ５５３）、動作を終了する。又、ＮＧ信号をＡＶデータ送信装置３ｃが受信すると（Ｎｏ）、ＳＴＥＰ５５１から再開されたＡＶデータの送信を停止し（ＳＴＥＰ５５４）、動作を終了する。
【０２１４】
尚、本例において、ＳＴＥＰ５５０において所定時間以内であることを確認したとき、第１例のように、ＳＴＥＰ５１７〜ＳＴＥＰ５２１のように、一時停止されたコンテンツに対して、ユーザの制限がかけられているか否かに応じて、一時停止したコンテンツの再生再開の許可及び禁止を行うようにしても構わない。
【０２１５】
又、本実施形態において、再生再開データ記憶部５３５が設けられたＡＶデータ送信装置３ｃを使用するものとしたが、図２５のように、図８の構成に再生再開データ記憶部５７０が付加された構成とされるＡＶデータ受信装置４ｃを使用するものとしても構わない。この再生再開データ記憶部５７０は、上述のＡＶデータ送信装置３ｃ内の再生再開データ記憶部５３５と同様、各視聴者毎に一時停止動作が成された際の各コンテンツの再生再開時刻やコンテンツ名などの情報が格納される。
【０２１６】
この図２５のような構成のＡＶデータ受信装置４ｃを使用したとき、ＡＶデータ受信装置４ｃは、第２の実施形態又は第４の実施形態のＡＶデータ受信装置４ａと同様の受信判定動作を行う。そして、ＳＴＥＰ１６４における再生再開動作を行うとき、ＡＶデータ送信装置３ｃと同様の図２２又は図２４のフローチャートによる再生指示動作を行う。この図２２又は図２４のフローチャートによる再生指示動作を行うとき、ＳＴＥＰ５０２、ＳＴＥＰ５０７、ＳＴＥＰ５１２、ＳＴＥＰ５１５、ＳＴＥＰ５１８の動作が、ＡＶ再生装置２との通信によって行われる。又、ＳＴＥＰ５０３、ＳＴＥＰ５０８、ＳＴＥＰ５１３、ＳＴＥＰ５１９、ＳＴＥＰ５５２の動作が、リモコン５との通信によって行われる。又、ＳＴＥＰ５１１、ＳＴＥＰ５１４、ＳＴＥＰ５５１、ＳＴＥＰ５５３、ＳＴＥＰ５５４の動作が、ＡＶデータ送信装置３，３ａ〜３ｃを介したＡＶソース機器１との通信によって行われる。
【０２１７】
又、ＡＶデータ送信装置３ｃ内の再生再開データ記憶部５３５又はＡＶデータ受信装置４ｃ内の再生再開データ記憶部５７０に、各ユーザ毎のコンテンツそれぞれに対してプレビューＡＶデータもともに記録するものとしても構わない。このようにすることで、ＡＶソース機器１からプレビューＡＶデータを受信する必要がないので、図２３のプレビュー画面７０１において選択したコンテンツ及び重複時間による再開開始シーンを早く表示させることができる。このようにプレビューＡＶデータを再生再開データ記憶部５３５，５７０に格納する際、このプレビューＡＶデータを画像圧縮して記録するようにすることで、再生再開データ記憶部５３５，５７０のメモリ容量を抑制することができる。
【０２１８】
又、図２３のプレビュー画面７０１において再生開始シーンとなる静止画又は動画を表示することによって、再生開始シーンを視聴者に認識させるようにしたが、単に、領域７００に表示したコンテンツ毎に再生開始時刻を表示するようにしても構わない。更に、本実施形態のＡＶデータ送信装置３ｃ及びＡＶデータ受信装置４ｃが、第３及び第５の実施形態におけるＡＶデータ送信装置３ｂ，３及びＡＶデータ受信装置４ｂ，４ａそれぞれの機能を備えるようにしても構わない。
【０２１９】
＜第７の実施形態＞
本発明の第７の実施形態について、図面を参照して以下に説明する。本実施形態において、第１の実施形態と同様、ＡＶデータ送信装置の構成を図２のようにするとともに、ＡＶデータ受信装置の構成を図５９のようにする。尚、以下では、第１の実施形態の構成に基づいて説明するが、第３〜第６の実施形態の構成においても、本実施形態の機能を適用することは可能である。
【０２２０】
第１の実施形態で説明したように、ＡＶソース機器１が再生動作を行い、ＡＶデータ送信装置３がＡＶソース機器１から伝送されるＡＶデータをＡＶデータ受信装置４に送信しているときに、ＡＶデータ受信装置４の受信状態が悪化して受信エラーが発生する。本実施形態では、この受信エラーの発生する期間が短くＡＶソース機器１に対して一時停止を指示するに至らない状態（即ち、図３のフローチャートにおける非受信用カウンタによる計数値ＸがＸ１より小さい状態、又は、図４のフローチャートにおける受信用カウンタによる計数値ＹがＹ２より大きい状態）となるときに、この期間をエラー発生期間として受信状態解析部５３０内に格納する。
【０２２１】
１．エラー発生期間登録の第１例
このエラー発生期間を受信状態解析部５３０内に格納することで行われる登録動作の第１例について、図２６のフローチャートに従って説明する。まず、ＡＶソース機器１における再生動作が開始すると、ＡＶデータ受信装置４からのＡＣＫ信号の受信しなかった回数を計数するための受信状態解析部５３０内のＡＣＫ非受信用カウンタ（不図示）による計数値Ｓを０にリセットする（ＳＴＥＰ６００）。そして、所定のタイミングでＡＶデータ受信装置４からの信号の受信動作を行う（ＳＴＥＰ６０１）。
【０２２２】
このようにＡＶデータ受信装置４からの信号の受信動作を行うと、ＡＶデータ受信装置４に送信したＡＶデータに対するＡＣＫ信号を受信したか否かを確認する（ＳＴＥＰ６０２）。このとき、ＡＣＫ信号を受信したことを確認したとき（Ｙｅｓ）、ＳＴＥＰ６１１に移行し、ＡＣＫ非受信用カウンタの計数値Ｓを０にする。又、ＡＣＫ信号の受信が確認されなかったとき（Ｎｏ）、ＡＣＫ非受信用カウンタの計数値Ｓを１つ計数する（ＳＴＥＰ６０３）。
【０２２３】
そして、まず、この計数値Ｓが１であるか否かが確認される（ＳＴＥＰ６０４）。このとき、ＡＶデータ受信装置４からのＡＣＫ信号が初めて非受信となり、計数値Ｓが１である場合（Ｙｅｓ）、受信したＡＶデータのヘッダ情報などから放送時刻やカウント値などのそのＡＶデータのシーンを特定するためのシーン位置特定時刻が確認される（ＳＴＥＰ６０５）。ＳＴＥＰ６０４で計数値Ｓが１より大きい値となる場合（Ｎｏ）、又は、ＳＴＥＰ６０５でシーン位置特定時刻が確認されたとき、次に、計数値Ｓが所定回数Ｓ１を超えたか否かが確認される（ＳＴＥＰ６０６）。
【０２２４】
このとき、計数値Ｓが所定回数Ｓ１以上となるとき（Ｙｅｓ）、ＳＴＥＰ６０５で確認されたシーン位置特定時刻が、既にエラー発生期間を特定するためのエラー発生時刻として受信状況解析部５３０内に格納されているか否かが確認される（ＳＴＥＰ６０７）。このとき、エラー発生時刻として記録されていないことが確認されると（Ｎｏ）、ＳＴＥＰ６０５で確認されたシーン位置特定時刻をエラー発生時刻として受信状況解析部５３０内に格納する（ＳＴＥＰ６０８）。
【０２２５】
又、ＳＴＥＰ６０７において、確認されたシーン位置特定時刻がエラー発生時刻として記録されているとき（Ｙｅｓ）、又は、ＳＴＥＰ６０８において、確認されたシーン位置特定時刻をエラー発生時刻として記録したとき、計数値Ｓをエラー発生期間の長さとして受信状況解析部５３０内に格納する（ＳＴＥＰ６０９）。即ち、ＳＴＥＰ６０８からＳＴＥＰ６０９に移行したとき、計数値Ｓ１が格納され、ＳＴＥＰ６０７からＳＴＥＰ６０９に移行したとき、ＳＴＥＰ６０３で計数して得られた計数値Ｓに更新される。その後、ＡＶソース機器１に対して再生指示が継続されているか否かが確認される（ＳＴＥＰ６１０）。
【０２２６】
このＳＴＥＰ６１０において、ＡＶソース機器１に対して再生動作の一時停止や停止動作の指示が成されるとき（Ｎｏ）、再生動作を一旦中断するため、エラー発生期間登録動作を終了する。又、ＳＴＥＰ６０２において、ＡＶデータ受信装置４からのＡＣＫ信号を受信したとき（Ｙｅｓ）、ＳＴＥＰ６０５で確認されたシーン位置特定時刻を破棄した後（ＳＴＥＰ６１１）、ＳＴＥＰ６００に移行する。更に、ＳＴＥＰ６０６において計数値Ｓが所定回数Ｓ１より小さいとき（Ｎｏ）、又は、ＳＴＥＰ６１０において再生動作が継続中であるとき（Ｙｅｓ）、ＳＴＥＰ６０１に移行する。
【０２２７】
このように動作することにより、ＡＣＫ信号の非受信回数が所定回数Ｓ１を超えたとき、エラー発生期間と見なして、そのエラー発生期間の開始時刻をエラー発生時刻として登録するとともに、ＡＣＫ非受信用カウンタの計数値をエラー発生期間の長さとして登録する。尚、所定回数Ｓ１は、第１の実施形態における所定回数Ｘ１と比べて低い値とすることにより、一時停止動作を指示するときのエラーに比べて期間の短いエラー発生時におけるエラー発生時刻を登録することができる。
【０２２８】
２．エラー発生期間登録の第２例
又、エラー発生期間登録動作の第２例について、図２７のフローチャートに従って説明する。まず、ＡＶソース機器１における再生動作が開始すると、ＡＶデータ受信装置４からのＡＣＫ信号の受信した回数を計数するための受信状態解析部５３０内のＡＣＫ受信用カウンタ（不図示）による計数値Ｋを０にリセットした後（ＳＴＥＰ６５０）、受信状態解析部５３０内のタイマ（不図示）をリセットする（ＳＴＥＰ６５１）。
【０２２９】
そして、ＡＶソース機器１から伝送されるＡＶデータのヘッダ情報などからシーン位置特定時刻を確認した後（ＳＴＥＰ６５２）、所定のタイミングでＡＶデータ受信装置４からの信号の受信動作を行い（ＳＴＥＰ６０１）、ＡＣＫ信号の受信を確認する（ＳＴＥＰ６０２）。このとき、ＡＣＫ信号を受信した場合（Ｙｅｓ）、受信状態解析部５０３内のＡＣＫ受信用カウンタの計数値Ｋを１つ計数する（ＳＴＥＰ６５３）。
【０２３０】
又、ＳＴＥＰ６０２でＡＣＫ信号の受信が確認されなかったとき（Ｎｏ）、又は、ＳＴＥＰ６５３で計数値Ｋが１つ計数されたとき、受信状態解析部５３０内のタイマによる計測時間より所定時間ｔを経過したか否かが確認される（ＳＴＥＰ６５４）。このとき、所定時間ｔの経過が確認されない場合は（Ｎｏ）、ＳＴＥＰ６０１に移行し、又、所定時間ｔの経過が確認された場合は（Ｙｅｓ）、計数値Ｋが所定回数Ｋ１以上であるか否かが確認される（ＳＴＥＰ６５５）。
【０２３１】
そして、計数値Ｋが所定回数Ｋ１よりも小さい時（Ｎｏ）、ＳＴＥＰ６５２で確認されたシーン位置特定時刻が前回確認されたシーン位置特定時刻に時間ｔを加算した時刻に等しいか確認される（ＳＴＥＰ６５６）。即ち、エラーが連続して発生しているか否かが確認される。このとき、シーン位置特定時刻が前回確認されたシーン位置特定時刻に時間ｔを加算した時刻に等しくないことが確認されると（Ｎｏ）、ＳＴＥＰ６５２で確認されたシーン位置特定時刻がエラー発生時刻として受信状況解析部５３０に格納される（ＳＴＥＰ６５７）。その後、エラー発生期間の長さを計測するためにエラー発生が確認された期間を計数する受信状況解析部５３０内の期間測定用カウンタの計数値ｔｘを１とする（ＳＴＥＰ６５８）。
【０２３２】
又、ＳＴＥＰ６５６において、確認されたシーン位置特定時刻が前回確認されたシーン位置特定時刻に時間ｔを加算した時刻に等しいことが確認されたとき（Ｙｅｓ）、受信状況解析部５３０内の期間測定用カウンタの計数値ｔｘを１つ計数する（ＳＥＴＰ６５９）。その後、ＳＴＥＰ６５８又はＳＴＥＰ６５９における動作が行われると、ＳＴＥＰ６５２で確認されたシーン位置特定時刻を次にＳＴＥＰ６５６で前回確認されたシーン位置特定時刻として利用するために受信状況解析部５３０内に記録するとともに（ＳＴＥＰ６６０）、エラー発生期間の長さとして計数値ｔｘを受信状況解析部５３０内に記録する（ＳＴＥＰ６６１）。そして、再生動作が継続されているか否かが確認される（ＳＴＥＰ６１０）。
【０２３３】
このとき、再生動作が継続される場合（Ｙｅｓ）、ＳＴＥＰ６５０に移行し、又、再生動作が継続されない場合（Ｎｏ）、動作を終了する。更に、ＳＴＥＰ６５５において、計数値Ｋが所定回数Ｋ１以上となるとき（Ｙｅｓ）、ＳＴＥＰ６５２で確認されたシーン位置特定時刻が受信状況解析部５３０から破棄された後（ＳＴＥＰ６１１）、ＳＴＥＰ６５０に移行する。
【０２３４】
このように動作することにより、所定時間ｔ毎に計数されるＡＣＫ信号の受信回数が所定回数Ｋ１より少ないとき、ＡＣＫ受信割合が低いエラー発生期間と見なす。このとき、この所定時間ｔ毎に確認されるエラー発生期間が連続する場合、１つのエラー発生期間とする。そして、検出したエラー発生期間の開始時刻をエラー発生時刻として、又、計数値ｔｘに等しい連続回数をエラー発生期間の長さとして、それぞれ登録する。尚、所定回数Ｋ１は、第１の実施形態における所定回数Ｙ２と比べて高い値とすることにより、一時停止動作を指示するときのエラーに比べてＡＣＫ受信割合が高いエラー発生時（即ち、エラー発生率の低い場合のエラー発生時）におけるエラー発生時刻を登録することができる。
【０２３５】
又、本例において、ＡＣＫ信号受信回数の測定時間を所定時間ｔよりも短いものとし、測定時間毎に計測したＡＣＫ信号受信回数Ｋが連続して所定回数Ｋ１よりも低い値となったときに、その連続回数を計数した計数値が所定回数以上となることを確認することで、エラー発生期間を確認するようにしても構わない。即ち、ＡＣＫ信号受信回数Ｋが所定回数Ｋ１よりも低い値となる測定時間が所定回数以上連続した場合、エラー発生期間を確認する。このとき、所定回数Ｋ１を第１の実施形態における所定回数Ｙ２と等しい値としても構わない。
【０２３６】
尚、上述のエラー発生期間登録動作の第１例及び第２例において、所定回数Ｓ１を所定回数Ｘ１より低い値とするとともに、所定回数Ｋ１を所定回数Ｙ２よりも高い値としたが、所定回数Ｓ１を所定回数Ｘ１と等しい値とするとともに、所定回数Ｋ１を所定回数Ｙ２と等しい値としても構わない。このとき、ＡＶデータ受信装置４との通信エラー発生を確認してＡＶソース機器１に一時停止動作を指示するたびに、エラー発生期間が確認されてエラー発生時刻が受信状況解析部５３０に記録されることとなる。
【０２３７】
３．エラー発生期間の登録消去
上述のエラー発生期間登録動作の第１例及び第２例によってエラー発生期間を表すエラー発生時刻が受信状況解析部５３０に格納される際、数量的又は時間的に制限を与える。即ち、受信状況解析部５３０に格納されるエラー発生時刻が数量的に又は時間的に限界となるものについては、受信状況解析部５３０の記録から消去される。このエラー発生期間の登録消去を行う際の動作について、図２８のフローチャートに従って説明する。
【０２３８】
まず、ＡＶソース機器１における再生動作が開始すると、登録されたエラー発生期間を計数するための受信状態解析部５３０内のエラー発生期間用カウンタ（不図示）による計数値Ｌを０にリセットする（ＳＴＥＰ７００）。そして、上述のエラー発生期間登録動作によりエラー発生期間が登録されたか否かが確認される（ＳＴＥＰ７０１）。このとき、エラー発生期間の登録が確認されなかった場合（Ｎｏ）、ＳＴＥＰ７０１の確認動作を再び行う。
【０２３９】
又、エラー発生期間の登録が確認されたとき（Ｙｅｓ）、受信状態解析部５３０内のエラー発生期間用カウンタの計数値Ｌを一つ計数した後（ＳＴＥＰ７０２）、現在受信しているＡＶデータのシーン位置特定時刻を確認する（ＳＴＥＰ７０３）。そして、受信状況解析部５３０内に格納されている各エラー発生時刻とＳＴＥＰ７０３で確認されたシーン位置特定時刻との時間差を求め（ＳＴＥＰ７０４）、その時間差が所定時間以上となるエラー発生期間を検索する（ＳＴＥＰ７０５）。
【０２４０】
このＳＴＥＰ７０５で検索されたエラー発生期間を登録から消去するために、そのエラー発生時刻及び期間の長さの記録を受信状況解析部５３０から消去する（ＳＴＥＰ７０６）。そして、エラー発生期間用カウンタの計数値Ｌを、ＳＴＥＰ７０２で求めた計数値ＬからＳＴＥＰ７０６で消去されたエラー発生期間の数を減算した値に更新する（ＳＴＥＰ７０７）。
【０２４１】
このようにＳＴＥＰ７０７で更新されたエラー発生期間用カウンタの計数値Ｌが所定値Ｌ１を超えたか否かが確認される（ＳＴＥＰ７０８）。このとき、エラー発生期間用カウンタの計数値Ｌが所定値Ｌ１以上となると、上述のエラー発生期間登録動作で記録されたエラー発生期間の長さが最短となるエラー発生期間を検索する（ＳＴＥＰ７０９）。尚、このとき、エラー発生期間の長さが最短となるものが複数確認されるとき、エラー発生時刻が最も古いものが選択される。
【０２４２】
そして、ＳＴＥＰ７０６と同様の動作を行うことで、ＳＴＥＰ７０９で検索されたエラー発生期間を登録から消去した後（ＳＴＥＰ７１０）、エラー発生期間用カウンタの計数値Ｌを一つ減算して、Ｌ１−１とする（ＳＴＥＰ７１１）。又、ＳＴＥＰ７０８において、エラー発生期間用カウンタの計数値Ｌが所定値Ｌ１より小さいとき（Ｎｏ）、又は、ＳＴＥＰ７１１において、エラー発生期間用カウンタの計数値ＬがＬ１−１とされたとき、ＳＴＥＰ６１０と同様、再生動作が継続されているか確認される（ＳＴＥＰ７１２）。このとき、再生動作の継続が確認されるとき（Ｙｅｓ）、ＳＴＥＰ７０１に移行し、又、再生動作の継続が確認されないとき（Ｎｏ）、動作を終了する。
【０２４３】
このように動作することにより、受信状況解析部５３０内に登録されたエラー発生期間を所定数内に制限することができるとともに、又、現在再生しているＡＶデータと比較してそのエラー発生時刻がかなり以前のものについて時間的に制限することができる。
【０２４４】
本実施形態のように、エラー発生期間を登録することにより、再生再開時に、登録されたエラー発生期間からの再生再開を視聴者が選択することができる。このとき、例えば、図２３の領域７０２において、選択できる重複時間を表示する代わりに、選択できるエラー発生期間を現時点を基準とした時刻で表示するようにしても構わない。又、再生再開時に、このエラー発生期間が選択されたとき、選択されたエラー発生期間に対するエラー発生時刻を再生再開時刻として設定する。そして、このようにして設定された再生再開時刻からのＡＶデータの送信を再開する。このとき、第６の実施形態と同様にして重複時間が設定されて、エラー発生時刻から重複時間を減算した時刻を再生再開時刻として設定するものとしても構わない。
【０２４５】
４．ユーザによるエラー発生期間登録
又、本実施形態において、ユーザによりエラー発生期間が登録されるようにしても構わない。このとき、図２６又は図２７のフローチャートにおける登録動作にＳＴＥＰ６３０〜ＳＴＥＰ６３３の動作を追加した図２９又は図３０のフローチャートによる登録動作が行われる
【０２４６】
図２９又は図３０のフローチャートにおいて、ＳＴＥＰ６０１におけるＡＶデータ受信装置４からの信号の受信動作が行われると、受信した信号がエラー発生期間の登録を指示するためのエラー登録指示信号であるか否かがデータ解析部５１３で確認される（ＳＴＥＰ６３０）。このエラー登録指示信号は、ＡＶデータ受信装置４において、ユーザがリモコン５又は操作部５５１を操作することによってエラー発生期間の登録を指示すると、リモコンデータ受信部５５３及びリモコンデータ変換部５５４又は入力データ変換部５５２を通じてデータ生成部５５５に与えられることで生成される。尚、このデータ生成部５５５で生成されたエラー登録指示信号は、他の信号と同様にして、ＡＶデータ受信装置４からＡＶデータ送信装置３に送信される。
【０２４７】
ＳＴＥＰ６３０において、エラー登録指示信号の受信が確認されると（Ｙｅｓ）、受信状況解析部５３０内において、ＡＣＫ非受信用カウンタの計数値Ｓ又はＡＣＫ受信用カウンタの計数値Ｋ及びタイマによる計測時間をリセットするための初期化動作が行われる（ＳＴＥＰ６３１）。そして、ＳＴＥＰ６０５又はＳＴＥＰ６５２で確認したシーン位置特定時刻を破棄するとともに、現在のシーン位置特定時刻が新たに確認される（ＳＴＥＰ６３２）。
【０２４８】
その後、受信状況解析部５３０内において、確認したシーン位置特定時刻をエラー発生時刻として記録するとともに（ＳＴＥＰ６３３）、ユーザ指定によるエラー発生期間であることを記録して（ＳＴＥＰ６３４）、ＳＴＥＰ６１０に移行する。又、ＳＴＥＰ６３０において、エラー登録指示信号の受信が確認されなかった場合（Ｎｏ）、ＳＴＥＰ６０２以降の動作が行われる。このときの動作は、上述したときの動作となるため、その詳細な説明は省略する。
【０２４９】
このようにしてユーザ指定によるエラー発生期間が登録されるとき、再生再開時において、この登録されたユーザ指定によるエラー発生期間からの再生再開が選択されると、再生再開時刻を生成するために、このエラー発生期間のものとして登録されたエラー発生時刻を読み出す。その後、このユーザ指定によるエラー発生期間が選択されたときに使用されるものとして予め設定された重複時間を確認して、この重複時間をエラー発生時刻から減算した時刻を再生再開時刻として設定する。このようにして設定された再生再開時刻からのＡＶデータの送信を再開する。又、エラー発生時刻から減算する重複時間は、第６の実施形態と同様にして設定されるものとしても構わない。
【０２５０】
＜第８の実施形態＞
本発明の第８の実施形態について、図面を参照して以下に説明する。本実施形態において、第２の実施形態と同様、ＡＶデータ送信装置の構成を図５８のようにするとともに、ＡＶデータ受信装置の構成を図８のようにする。尚、以下では、第２の実施形態の構成に基づいて説明するが、第３〜第６の実施形態の構成においても、本実施形態の機能を適用することは可能である。
【０２５１】
本実施形態においても、第７の実施形態と同様、ＡＶデータ受信装置４ａにおいて受信エラーの発生する期間が短くＡＶソース機器１に対して一時停止を指示するに至らない状態となるときに、この期間をエラー発生期間として受信状態判定部５６６内に格納する。
【０２５２】
１．エラー発生期間登録の第１例
このエラー発生期間を受信状態判定部５６６内に格納することで行われる登録動作の第１例について、図３１のフローチャートに従って説明する。尚、図３１のフローチャートにおいて、図２６のフローチャートと同一の動作ステップについては、同一の符号を付すものとして、その詳細な説明は省略する。本例においては、ＳＴＥＰ６００に相当するＳＴＥＰ８００において、ＡＶデータ送信装置３ａからのＡＶデータを正常に受信できなかった回数を計数するための受信状態判定部５６６内の受信エラー用カウンタ（不図示）による計数値Ｍを０にリセットする。
【０２５３】
又、ＳＴＥＰ６０２に相当するＳＴＥＰ８０１では、正常にＡＶデータ送信装置３ａからのＡＶデータが正常に受信されたか否かを確認し、ＳＴＥＰ６０３に相当するＳＴＥＰ８０２では、受信エラー用カウンタの計数値Ｍを１つ計数する。更に、ＳＴＥＰ６０４に相当するＳＴＥＰ８０３では、受信エラー用カウンタの計数値Ｍが１であるか否かの確認を行い、又、ＳＴＥＰ６０６に相当するＳＴＥＰ８０４では、受信エラー用カウンタの計数値Ｍが所定回数Ｍ１を超えたか否かが確認される。
【０２５４】
即ち、ＳＴＥＰ８０３で計数値Ｍが１である場合（Ｙｅｓ）、ＳＴＥＰ６０５に移行し、計数値Ｍが１でない場合（Ｎｏ）、ＳＴＥＰ８０４に移行する。又、ＳＴＥＰ８０４で計数値ＭがＭ１以上の場合（Ｙｅｓ）、ＳＴＥＰ６０７に移行し、又、計数値ＭがＭ１より小さい場合（Ｎｏ）、ＳＴＥＰ６０１に移行する。このように、本例においては、ＡＶデータの受信エラー発生回数によってエラー発生期間を確認し、そのエラー発生時刻と期間の長さを受信状態判定部５６６内に格納することで登録を行う。その他の動作については、第７の実施形態と同様である。
【０２５５】
２．エラー発生期間登録の第２例
次に、エラー発生期間登録動作の第２例について、図３２のフローチャートに従って説明する。尚、図３２のフローチャートにおいて、図２７のフローチャートと同一の動作ステップについては、同一の符号を付すものとして、その詳細な説明は省略する。本例においては、ＳＴＥＰ６５０に相当するＳＴＥＰ８１０において、ＡＶデータ送信装置３ａからのＡＶデータを正常に受信できた回数を計数するための受信状態判定部５６６内の正常受信用カウンタ（不図示）による計数値Ｎを０にリセットする。
【０２５６】
又、ＳＴＥＰ６０２に相当するＳＴＥＰ８０１では、正常にＡＶデータ送信装置３ａからのＡＶデータの受信ができたか否かを確認し、又、ＳＴＥＰ６５３に相当するＳＴＥＰ８１１では、正常受信用カウンタの計数値Ｎを１つ計数し、又、ＳＴＥＰ６５５に相当するＳＴＥＰ８１２では、正常受信用カウンタの計数値Ｎが所定回数Ｎ１を超えたか否かが確認される。即ち、ＳＴＥＰ８１２で計数値ＮがＮ１以上の場合（Ｙｅｓ）、ＳＴＥＰ６１１に移行し、又、計数値ＮがＮ１より小さい場合（Ｎｏ）、ＳＴＥＰ６５６に移行する。このように、本例においては、ＡＶデータの受信エラー発生率によってエラー発生期間を確認し、そのエラー発生時刻と期間の長さを受信状態判定部５６６内に格納することで登録を行う。その他の動作については、第７の実施形態と同様である。
【０２５７】
又、上述の第１例及び第２例のようにして登録されたエラー発生期間が選択されたとき、選択されたエラー発生期間に対するエラー発生時刻を再生再開時刻として設定する。そして、このようにして設定された再生再開時刻からのＡＶデータの送信を再開する。このとき、第６の実施形態と同様にして重複時間が設定されて、エラー発生時刻から重複時間を減算した時刻を再生再開時刻として設定するものとしても構わない。
【０２５８】
３．エラー発生期間の登録消去
上述のエラー発生期間登録動作の第１例及び第２例によってエラー発生期間を表すエラー発生時刻が受信状況判定部５６６に格納される際、第７の実施形態と同様、受信状況判定部５６６に格納されるエラー発生時刻が数量的に又は時間的に限界となるものについては、受信状況解析部５３０の記録から消去される。このエラー発生期間の登録消去を行う際の動作は、第７の実施形態と同様、図２８のフローチャートに従って行われる。
【０２５９】
上述のエラー発生期間登録動作の第１例及び第２例及びエラー発生期間の登録消去が行われることによって、受信状況判定部５６６内にエラー発生期間の登録が行われる。尚、上述のエラー発生期間登録動作において、図３１又は図３２のフローチャートにおけるＳＴＥＰ８０１で画像乱れ又は音声エラーの発生を確認するようなエラー発生期間登録動作が行われるようにして、画像乱れ又は音声エラーそれぞれに対するエラー発生期間の登録が行われるようにしても構わない。そして、このとき、受信状況判定部５６６では、図２８のフローチャートによる消去動作を行うことで、画像乱れ又は音声エラーそれぞれに対して登録されたエラー発生期間を統一的に管理する。
【０２６０】
上述のエラー発生期間登録動作の第１例及び第２例及びエラー発生期間の消去動作によって受信状況判定部５６６内に登録されたエラー発生期間のエラー発生時刻を、再生再開時刻として利用するために、再生再開指示が行われるときにＡＶ再生表示装置２に表示させる。このときの動作について以下で説明する。
【０２６１】
４．エラー発生時刻の選択表示の第１例
まず、再生再開時刻として選択可能なエラー発生時刻（再生再開用エラー発生時刻とする）が選択されるエラー発生時刻の選択表示動作の第１例について、図３３のフローチャートに従って、以下に説明する。このとき、再生再開可能となると、受信状況判定部５６６において、再生再開用エラー発生時刻として選択された数を計数するための選択用カウンタ（不図示）の計数値Ｕを０にリセットする（ＳＴＥＰ８５０）。
【０２６２】
そして、受信状況判定部５６６において、格納された全てのエラー発生時刻から、現在時刻に最も近いエラー発生時刻が選択されると（ＳＴＥＰ８５１）、選択用カウンタの計数値Ｕを１つ計数する（ＳＴＥＰ８５２）。その後、選択用カウンタの計数値Ｕが所定数Ｕ１を超えたか否かが確認される（ＳＴＥＰ８５３）。このとき、選択用カウンタの計数値Ｕが所定数Ｕ１以下の場合（Ｎｏ）、ＳＴＥＰ８５１で選択されたエラー発生時刻が再生再開用エラー発生時刻として受信状況判定部５６６で記憶される（ＳＴＥＰ８５４）。
【０２６３】
このように再生再開用エラー発生時刻が記憶されると、全てのエラー発生時刻が再生再開用エラー発生時刻として選択されたか否かが確認される（ＳＴＥＰ８５５）。そして、全てのエラー発生時刻が選択されたとき（Ｙｅｓ）、再生再開用エラー発生時刻が受信状況判定部５６６より読み出されて、データ解析部５４５及びＭＰＥＧ部５４６及びＤ／Ａ部５４７及びアナログ出力部５４８を通じて、又は、データ解析部５４５及びデジタル出力解析部５４９及びデジタル出力部５５０を通じて、ＡＶ再生装置２に送信される（ＳＴＥＰ８５６）。このとき、ＡＶ再生装置２では、この再生再開用エラー発生時刻が再生再開時刻として選択されるよう、例えば、図２３の領域７０２の重複時間の代わりに表示される。
【０２６４】
又、ＳＴＥＰ８５３において、選択用カウンタの計数値Ｕが所定値Ｕ１より大きくなる場合（Ｙｅｓ）、ＳＴＥＰ８５６に移行して、再生再開用エラー発生時刻がＡＶ再生装置２に送信される。又、ＳＴＥＰ８５５において、受信状況判定部５６６内に格納されたエラー発生時刻全てが再生再開用エラー発生時刻として選択されていない場合（Ｎｏ）、ＳＴＥ８５１に移行して、まだ選択されていないエラー発生時刻の中で最も現在時刻に近いものが再生再開用エラー発生時刻として選択される。
【０２６５】
５．エラー発生時刻の選択表示の第２例
次に、再生再開用エラー発生時刻が選択されるエラー発生時刻の選択表示動作の第２例について、図３４のフローチャートに従って、以下に説明する。尚、図３４のフローチャートにおいて、図３３のフローチャートと同一の動作ステップについては、同一の符号を付すものとして、その詳細な説明は省略する。
【０２６６】
本例においても、再生再開可能となると、受信状況判定部５６６の選択用カウンタの計数値Ｕを０にリセットした後、現在時刻に最も近いエラー発生時刻が選択される（ＳＴＥＰ８５０、ＳＴＥＰ８５１）。このとき選択されたエラー発生時刻のエラー発生期間における期間の長さが、所定値Ｌｖ以上であるか否かが確認される（ＳＴＥＰ８６０）。そして、エラー発生期間の長さが所定値Ｌｖ以上である場合（Ｙｅｓ）、第１例と同様に、ＳＴＥＰ８５２以降の動作を行う。又、エラー発生期間の長さが所定値Ｌｖより短い場合（Ｎｏ）、ＳＴＥＰ８５１に移行する。
【０２６７】
このようにすることで、エラー発生期間の長さが所定値Ｌｖ以上となるときのエラー発生時刻が再生再開用エラー発生時刻として選択され、エラー発生するレベルが所定値以上であったシーンからの再生再開を選択することができる。尚、本例では、エラー発生期間の長さにより再生再開用エラー発生時刻を選択するものとしたが、ＳＴＥＰ８６０においてエラー発生率などに基づいて再生再開用エラー発生時刻を選択するものとしても構わない。
【０２６８】
６．エラー発生時刻の選択表示の第３例
更に、再生再開用エラー発生時刻が選択されるエラー発生時刻の選択表示動作の第３例について、図３５のフローチャートに従って、以下に説明する。尚、図３５のフローチャートにおいて、図３３のフローチャートと同一の動作ステップについては、同一の符号を付すものとして、その詳細な説明は省略する。又、本例においては、上述のエラー発生期間登録動作が、画像乱れ及び音声エラーの双方に対して行われているものとし、画像乱れ及び音声エラーのいずれによって登録されたものか判別可能な状態で記録されているものとする。
【０２６９】
本例では、再生再開可能となると、受信状況判定部５６６内に設けられた画像乱れによるエラー発生時刻を再生再開用エラー発生時刻として選択したことを計数する選択用カウンタの計数値Ｕａを０にリセットするとともに（ＳＴＥＰ８５０ａ）、音声エラーによるエラー発生時刻を再生再開用エラー発生時刻として選択したことを計数する選択用カウンタの計数値Ｕｂを０にリセットする（ＳＴＥＰ８５０ｂ）。そして、現在時刻に最も近いエラー発生時刻が選択される（ＳＴＥＰ８５１）。
【０２７０】
このとき選択されたエラー発生時刻が、画像乱れによるエラー発生期間のエラー発生時刻であるか否かが確認される（ＳＴＥＰ８６５）。そして、エラー発生時刻が画像乱れによるものである場合（Ｙｅｓ）、このエラー発生期間における期間の長さが、所定値Ｌｖ１以上であるか否かが確認される（ＳＴＥＰ８６０ａ）。そして、エラー発生期間の長さが所定値Ｌｖ１以上である場合（Ｙｅｓ）、選択用カウンタの計数値Ｕａを１つ計数し（ＳＴＥＰ８５２ａ）、この計数値ＵａがＵａ１を超えたか否かが確認される（ＳＴＥＰ８５３ａ）。このとき、計数値ＵａがＵａ１以下の場合（Ｎｏ）、ＳＴＥＰ８５１で選択したエラー発生時刻を再生再開用エラー発生時刻として受信状況判定部５６６に格納する（ＳＴＥＰ８５４ａ）。
【０２７１】
又、ＳＴＥＰ８６５において、エラー発生時刻が音声エラーによるものである場合（Ｎｏ）、このエラー発生期間における期間の長さが、所定値Ｌｖ２以上であるか否かが確認される（ＳＴＥＰ８６０ｂ）。そして、エラー発生期間の長さが所定値Ｌｖ２以上である場合（Ｙｅｓ）、選択用カウンタの計数値Ｕｂを１つ計数し（ＳＴＥＰ８５２ｂ）、この計数値ＵｂがＵｂ１を超えたか否かが確認される（ＳＴＥＰ８５３ｂ）。このとき、計数値ＵｂがＵｂ１以下の場合（Ｎｏ）、選択したエラー発生時刻を再生再開用エラー発生時刻として受信状況判定部５６６に格納する（ＳＴＥＰ８５４ｂ）。
【０２７２】
又、ＳＴＥＰ８５３ａで計数値ＵａがＵａ１より大きいとき（Ｙｅｓ）、計数値ＵａがＵａ１に強制的に変更され（ＳＴＥＰ８６６ａ）、又、ＳＴＥＰ８５３ｂで計数値ＵｂがＵｂ１より大きいとき（Ｙｅｓ）、計数値ＵｂがＵｂ１に強制的に変更される（ＳＴＥＰ８６６ｂ）。ＳＴＥＰ８５４ａ、ＳＴＥＰ８５４ｂ、ＳＴＥＰ８６６ａ、ＳＴＥＰ８６６ｂそれぞれにおける動作が行われると、計数値Ｕａ，Ｕｂの和Ｕａ＋Ｕｂが、所定数Ｕａ１＋Ｕｂ１を超えたか否かが確認される（ＳＴＥＰ８６７）。このとき、計数値の和Ｕａ＋ＵｂがＵａ１＋Ｕｂ１以上である場合（Ｙｅｓ）、ＳＴＥＰ８５６に移行する。又、計数値の和Ｕａ＋ＵｂがＵａ１＋Ｕｂ１より小さい場合（Ｎｏ）、ＳＴＥＰ８５５に移行する。更に、ＳＴＥＰ８６０ａで期間の長さがＬｖ１より短い場合（Ｎｏ）、又は、ＳＴＥＰ８６０ｂで期間の長さがＬｖ２より短い場合（Ｎｏ）、ＳＴＥＰ８５１に移行する。
【０２７３】
このように動作することによって、ＳＴＥＰ８５６において、画像乱れによる再生再開用エラー発生時刻及び音声エラーによる再生再開用エラー発生時刻がそれぞれＡＶ再生装置２に送信される。よって、ＡＶ再生装置２では、図３６のように、画像乱れによる再生再開用エラー発生時刻と、音声エラーによる再生再開用エラー発生時刻がそれぞれ識別可能な状態で表示することができる。
【０２７４】
又、再生再開時に、上述の第１例〜第３例のようにして設定された再生再開用エラー発生時刻がＡＶ再生装置２で表示されて、これらの再生再開用エラー発生時刻に基づくエラー発生期間が選択されると、選択されたエラー発生期間に対する再生再開用エラー発生時刻を再生再開時刻として設定する。そして、このようにして設定された再生再開時刻からのＡＶデータの送信を再開する。このとき、第６の実施形態と同様にして重複時間が設定されて、再生再開用エラー発生時刻から重複時間を減算した時刻を再生再開時刻として設定するものとしても構わない。
【０２７５】
７．ユーザによるエラー発生期間登録
又、本実施形態において、ユーザによりエラー発生期間が登録されるようにしても構わない。このとき、図３１又は図３２のフローチャートにおける登録動作にＳＴＥＰ８３０、ＳＴＥＰ８３１、ＳＴＥＰ６３２〜ＳＴＥＰ６３４の動作を追加した図３７又は図３８のフローチャートによる登録動作が行われる。又、このとき、図１３のＡＶデータ受信装置４ｂのような構成とされるものとする。
【０２７６】
図３７又は図３８のフローチャートにおいて、ＳＴＥＰ６０１におけるＡＶデータ受信装置４からの信号の受信動作が行われると、ユーザが動作切換設定部５６８が操作することによってエラー発生期間の登録を指示したか否かが受信状況判定部５６６で確認される（ＳＴＥ８３０）。そして、エラー発生期間の登録が指示されていることが確認されると（Ｙｅｓ）、受信状況判定部５６６内において、受信エラー用カウンタの計数値Ｍ又は正常受信用カウンタの計数値Ｎ及びタイマによる計測時間をリセットするための初期化動作が行われる（ＳＴＥＰ８３１）。
【０２７７】
そして、ＳＴＥＰ６０５又はＳＴＥＰ６５２で確認したシーン位置特定時刻を破棄するとともに、現在のシーン位置特定時刻が新たに確認される（ＳＴＥＰ６３２）。その後、受信状況判定部５６６内において、確認したシーン位置特定時刻をエラー発生時刻として記録するとともに（ＳＴＥＰ６３３）、ユーザ指定によるエラー発生期間であることを記録して（ＳＴＥＰ６３４）、ＳＴＥＰ６１０に移行する。又、ＳＴＥＰ８３０において、エラー発生期間の登録の指示が確認されなかった場合（Ｎｏ）、ＳＴＥＰ８０１以降の動作が行われる。このときの動作は、上述したときの動作となるため、その詳細な説明は省略する。
【０２７８】
このようにしてユーザ指定によるエラー発生期間が登録されるとき、再生再開時において、この登録されたユーザ指定によるエラー発生期間からの再生再開が選択されると、再生再開時刻を生成するために、このエラー発生期間のものとして登録されたエラー発生時刻を読み出す。その後、このユーザ指定によるエラー発生期間が選択されたときに使用されるものとして予め設定された重複時間を確認して、この重複時間をエラー発生時刻から減算した時刻を再生再開時刻として設定する。このようにして設定された再生再開時刻からのＡＶデータの送信を再開する。又、エラー発生時刻から減算する重複時間は、第６の実施形態と同様にして設定されるものとしても構わない。
【０２７９】
ユーザによりエラー発生期間が登録された後、上述のように、エラー発生時刻の選択表示が行われるとき、このエラー発生時刻の選択表示の第２例及び第３例における動作がそれぞれ、図３９又は図４０のフローチャートに従った動作となる。即ち、図３９のフローチャートでは、ＳＴＥＰ８５０で計数値Ｕをリセットした後、ユーザ指定によるエラー発生時刻を再生再開用エラー発生時刻として選択したことを計数する選択用カウンタの計数値Ｕｃを０にリセットする（ＳＴＥＰ８５０ｃ）。そして、ＳＴＥＰ８５１でエラー発生時刻が選択されると、ユーザ指定によるエラー発生期間におけるエラー発生時刻であるか否かが確認される（ＳＴＥＰ８９０）。
【０２８０】
このとき、選択されたエラー発生時刻がユーザ指定によるものでない場合（Ｎｏ）、ＳＴＥＰ８６０以降の動作が行われ、選択されたエラー発生時刻がユーザ指定によるものである場合（Ｙｅｓ）、計数値Ｕｃが１つ計数された後（ＳＴＥＰ８５２ｃ）、計数値Ｕｃが所定数Ｕｃ１を超えたか否かが確認される（ＳＴＥＰ８５３ｃ）。そして、計数値ＵｃがＵｃ１以下のときは、選択したエラー発生時刻を再生再開用エラー発生時刻として受信状況判定部５６６に格納する（ＳＴＥＰ８５４ｃ）。又、計数値ＵｃがＵｃ１より大きいときは、計数値ＵｃがＵｃ１に強制的に変更される（ＳＴＥＰ８６６ｃ）。又、ＳＴＥＰ８５３において、計数値ＵがＵ１より大きいときは、計数値ＵがＵ１に強制的に変更される（ＳＴＥＰ８６６）。
【０２８１】
ＳＴＥＰ８５４、ＳＴＥＰ８５４ｃ、ＳＴＥＰ８６６、ＳＴＥＰ８６６ｃそれぞれにおける動作が行われると、計数値Ｕ，Ｕｃの和Ｕ＋Ｕｃが、所定数Ｕ１＋Ｕｃ１を超えたか否かが確認される（ＳＴＥＰ８６７ｘ）。このとき、計数値の和Ｕ＋ＵｃがＵ１＋Ｕｃ１以上である場合（Ｙｅｓ）、ＳＴＥＰ８５６に移行する。又、計数値の和Ｕ＋ＵｃがＵ１＋Ｕｃ１より小さい場合（Ｎｏ）、ＳＴＥＰ８５５に移行する。
【０２８２】
又、図４０のフローチャートでは、図３９のフローチャートと同様、ＳＴＥＰ８５１でエラー発生時刻が選択されると、ＳＴＥＰ８９０で、このエラー発生時刻がユーザ指定によるものか否かが確認される。そして、ユーザ指定によるエラー発生時刻である場合（Ｙｅｓ）、図３９のフローチャートと同様のＳＴＥＰ８５２ｃ以降の動作を行う。又、ＳＴＥＰ８９０でユーザ指定によるエラー発生時刻でない場合（Ｎｏ）、図３５のフローチャートと同様のＳＴＥＰ８６５以降の動作を行う。そして、ＳＴＥＰ８５４ａ〜ＳＴＥＰ８５４ｃ又はＳＴＥＰ８６６ａ〜８６６ｃそれぞれにおける動作が行われると、ＳＴＥＰ８６７ｙで計数値Ｕａ〜Ｕｃの和Ｕａ＋Ｕｂ＋Ｕｃが、所定数Ｕａ１＋Ｕｂ１＋Ｕｃ１を超えたか否かが確認される。その後の動作は、図３５のフローチャートと同様である。
【０２８３】
このようにすることで、ユーザに指定されて登録されたエラー発生期間についても、そのエラー発生期間の長さなどのレベルに関係なく、そのエラー発生時刻が再生再開用エラー発生時刻として選択されるようにすることができる。
【０２８４】
又、第６又は第８の実施形態において、ＡＶ再生装置に図２３や図３６のような表示がなされるものとしたが、ＡＶデータ受信装置と赤外線通信などで通信可能なリモコンなどの電子機器に、図２３や図３６のような表示がなされるものとしても構わない。又、第７又は第８の実施形態において、ＡＶデータ受信装置の受信状態が悪化しているものと判断されていないときであっても、ユーザにより再度視聴したいシーン位置としてエラー発生時刻を指定することができるようにしても構わない。このとき、一時停止動作が行われることなく通常再生されているときにおいても、エラーが発生してエラー発生期間として記録されている場合、ユーザがこの記録されたエラー発生期間からの再生再開を行うように選択することができる。
【０２８５】
＜第９の実施形態＞
本発明の第９の実施形態について、図面を参照して以下に説明する。図４１は、本実施形態のＡＶデータ送信装置の構成を示すブロック図である。尚、図４１のＡＶデータ送信装置において、図２のＡＶデータ送信装置の構成と同一の部分については、同一の符号を付してその詳細な説明は省略する。又、ＡＶデータ受信装置の構成を図５９のようにする。
【０２８６】
図４１のＡＶデータ送信装置３ｄは、図２のＡＶデータ送信装置３に、データ生成部５０５で生成されたＡＶデータによるデータパケットを格納するＡＶデータ用バッファ５３６を付加した構成となる。又、このＡＶデータ送信装置３ｄでは、第１の実施形態と同様の受信状況判定動作を行うとともに、この受信状況判定動作を行う際において、ＡＶデータ受信装置４の受信状態が悪化したことを確認すると、所定のデータ量のＡＶデータによるデータパケットをＡＶデータ用バッファ５３６に格納する。更に、一時停止後、再生動作を再開する際、ＡＶデータ用バッファ５３６に格納したＡＶデータのデータパケットより送信を行う。
【０２８７】
このようなＡＶデータ送信装置３ｄにおいて、図３又は図４のフローチャートに従った受信状況判定動作が行われるときのＳＴＥＰ６及びＳＴＥＰ１６における動作について、以下に説明する。ＳＴＥＰ５又はＳＴＥＰ５５において受信状況解析部５３０において受信状況が悪化したことが確認されると、ＳＴＥＰ６の一時停止動作に移行する。
【０２８８】
このとき、図４２のフローチャートに従って、動作する。そして、まず、データ生成部５０５に対して、ＭＥＰＧ部５０４又はデジタル入力部５０１からのＡＶデータによるデータパケットの送信を一時停止した後（ＳＴＥＰ９００）、一時停止開始したときの静止画像によるＡＶデータによるデータパケットなどのＡＶデータ受信装置４からのＡＣＫ信号を確認するための信号の送信を開始する（ＳＴＥＰ９０１）。
【０２８９】
その後、データ受信状況解析部５３０が、データ生成部５０５に対して、生成したＡＶデータのデータパケットをＡＶデータ用バッファ５３６に格納するように指示する（ＳＴＥＰ９０２）。このとき、ＡＶデータ用バッファ５３６にＡＶデータのデータパケットを格納するとき、各データパケットにおけるＡＶデータのシーン位置を表す時刻とともに格納する。そして、ＡＶデータ送信装置３ｄの動作がＳＴＥＰ１６に移行して再生再開とするか否かが確認される（ＳＴＥＰ９０３）。このとき、ＳＴＥＰ１６に移行して再生再開とするとき（Ｙｅｓ）、動作を終了する。
【０２９０】
又、ＳＴＥＰ９０３で受信状況が良好な状態でなくＳＴＥＰ１６に移行しなかったとき（Ｎｏ）、ＡＶデータ用バッファ５３６に格納されたＡＶデータのデータパケットのデータ量が所定データ量に達したか否かが、データ生成部５０５によって確認される（ＳＴＥＰ９０４）。このとき、データ生成部５０５で所定データ量に達していないことが確認されると（Ｎｏ）、ＳＴＥＰ９０２に移行して、ＡＶデータ用バッファ５３６へのＡＶデータのパケットの格納動作を継続する。
【０２９１】
又、ＳＴＥＰ９０４において、ＡＶデータ用バッファ５３６に格納されたデータ量が所定データ量となったことが確認されると（Ｙｅｓ）、機器制御部５３１においてＡＶソース機器１を一時停止させるための機器操作用データを生成し、リモコン出力部５１７よりＡＶソース機器１に送信する（ＳＴＥＰ９０５）。そして、このとき、ＡＶソース機器１に対して一時停止指示を行ったことが、受信状況解析部５３０に記録される。
【０２９２】
又、ＳＴＥＰ１５又はＳＴＥＰ５８において受信状況解析部５３０において受信状況が良好となったことが確認されると、ＳＴＥＰ１６の再生再開動作に移行する。このとき、図４３のフローチャートに従って、動作する。そして、まず、受信状況解析部５３０において、ＡＶソース機器１に対して一時停止指示を行ったか否かが確認される（ＳＴＥＰ９１０）。このとき、一時停止指示が行われたことが確認されると、ＡＶデータ用バッファ５３６に格納されたデータパケットのうち最後に格納されたデータパケットに対するＡＶデータのシーン位置を表す時刻を再生再開時刻として確認する（ＳＴＥＰ９１１）。
【０２９３】
そして、この確認した再生再開時刻におけるシーン位置からの再生再開を行うようにＡＶソース機器１に指示するための機器操作用データを、機器制御部５３１で生成して、リモコン出力部５１７よりＡＶソース機器１に送信する（ＳＴＥＰ９１２）。このように再生再開するための機器操作用データをＡＶソース機器１に送信したとき、受信状況解析部５３０よりデータ生成部５０５に対して、ＡＶデータ用バッファ５３６に格納されたデータパケットの読み出しを行った後、ＡＶデータ受信装置４への送信を行うように指示する（ＳＴＥＰ９１３）。
【０２９４】
そして、ＡＶデータ用バッファ５３６に格納されたデータパケットの送信が開始されると、ＡＶデータ用バッファ５３６に格納されたデータパケットが全て読み出されたか否かが確認される（ＳＴＥＰ９１４）。このとき、ＡＶデータ用バッファ５３６内に読み出されていないデータパケットが有る場合（Ｎｏ）、ＳＴＥＰ９１３に移行して、次のデータパケットが読み出されてＡＶデータ受信装置４へ送信される。
【０２９５】
又、ＳＴＥＰ９１０においてＡＶソース機器１に対して一時停止指示を行っていない場合（Ｎｏ）、機器制御部５３１においてＡＶソース機器１に対して一時停止するとともに現在出力したシーンの次のシーン位置となるＡＶデータからの出力より再生再開を行うことを指示するための機器操作用データを生成して、リモコン出力部５１７より送信する（ＳＴＥＰ９１６）。このとき、図４２のフローチャートにおけるＳＴＥＰ９０５の一時停止指示と異なり、再生再開動作により即座に再生再開されるような動作状態となるようにＡＶソース機器１が指示される。その後、ＳＴＥＰ９１３以降の動作が行われる。
【０２９６】
又、ＳＴＥＰ９１４においてＡＶデータ用バッファ５３６内のデータパケットが全て読み出されたことが確認されると（Ｙｅｓ）、データ生成部５０５に対して、ＭＥＰＧ部５０４又はデジタル入力部５０１からのＡＶデータによるデータパケットの生成を再開するように指示する（ＳＴＥＰ９１５）。よって、ＡＶデータ用バッファ５３６からのＡＶデータのデータパケットの送信が終了して、ＡＶソース機器１から送出されるＡＶデータのデータパケットの送信が開始する。
【０２９７】
このようにＡＶデータ送信装置３ｄが動作を行うとき、ＡＶデータ用バッファ５３６においては、ＡＶソース機器１がＳＴＥＰ９０５で一時停止が指示された後にＳＴＥＰ９１２で再生再開が指示されたときに、再生再開が指示されてから指示されたシーン位置からのＡＶデータの再生再開を行うまでの時間分に相当するＡＶデータのデータパケットが格納されることになる。よって、この時間分のデータパケットがＡＶデータ用バッファ５３６から読み出されたときに、ＡＶソース機器１から再生再開されたＡＶデータがＡＶデータ送信装置３ｄに送信されることになる。そのため、ＡＶソース機器１が再生再開動作を行うための待機時間分、ＡＶデータ送信装置３ｄにおいてＡＶデータの送信動作を待機させる必要がなくなり、再生再開を確認すると即座にＡＶデータ用バッファ５３６内のＡＶデータのデータパケットを送信する。
【０２９８】
このようなＡＶデータ送信装置３ｄを使用したときのＡＶデータ無線通信システムにおけるＡＶデータ送信装置３ｄ及びＡＶデータ受信装置４及びＡＶソース機器１の動作について、図４４及び図４５のタイミングチャートを参照して説明する。図４４のタイミングチャートのように、第１の実施形態と同様、期間Ｔａでは、ＡＶデータ受信装置４の受信状態が悪化することなく、ＡＶデータ送信装置３ｄは、ＡＶデータ受信装置４からのＡＣＫ信号及び再送要求信号に応じてＡＶデータの再送及び送信を行う。又、このとき、ＡＶソース機器１は、ＡＶデータの再生動作を行っており、ＡＶデータをＡＶデータ送信装置３ｄに出力している。
【０２９９】
そして、時刻ｔａとなってＡＶデータ受信装置４の受信状況が悪化すると、時刻ｔｂにおいてＡＶデータ送信装置３ｄがＡＶデータ受信装置４の受信状況が悪化したことを確認する。このとき、ＡＶデータ送信措置３ｄは、再生されたＡＶデータの送信動作を停止してＡＶデータ受信装置４からのＡＣＫ信号を確認するための静止画像などによる信号の送信を開始するとともに、ＡＶデータ用バッファ５３６への記録動作を開始する。そして、所定時間Ｔｘ分のＡＶデータのデータパケットが記録されると、ＡＶソース機器１の再生動作を一時停止させるとともに、ＡＶデータ用バッファ５３６の記録動作を停止する。このとき、ＡＶデータ用バッファ５３６には、シーン位置を表す時刻がｔｓ１からｔｓ１＋Ｔｘ（＝ｔｓ２）までのＡＶデータのデータパケットが格納される。
【０３００】
その後、第１の実施形態と同様、時刻ｔｃとなると、ＡＶデータ受信装置４の受信状態が良好となり、時刻ｔｄにＡＶデータ送信装置３ｄがＡＶデータ受信装置４の受信状態が良好となったことを確認する。このとき、ＡＶデータ用バッファ５３６に記録したシーン位置を表す時刻がｔｓ１であるＡＶデータによるデータパケットから順に読み出して、ＡＶデータ受信装置４に送信する。そして、ＡＶデータ送信装置３ｄは、ＡＶソース機器１にシーン位置を表す時刻がｔｓ２であるＡＶデータからの再生再開を指示する。
【０３０１】
その後、時間Ｔｘが経過してＡＶデータ用バッファ５３６内に格納されたＡＶデータが全て読み出されて送信されると、ＡＶソース機器１からシーン位置を表す時刻がｔｓ２以降となるＡＶデータが順にＡＶデータ送信装置３ｄに送信されて、ＡＶデータ受信装置４に送信される。
【０３０２】
又、図４５のタイミングチャートのように、第１の実施形態と同様、期間Ｔａでは、ＡＶデータ受信装置４の受信状態が悪化することなく、ＡＶソース機器１及びＡＶデータ送信装置３ｄ及びＡＶデータ受信装置４によってＡＶデータの再生動作が行われている。そして、時刻ｔａでＡＶデータ受信装置４の受信状態が悪化し、このことを時刻ｔｂでＡＶデータ送信装置３ｄが確認する。このとき、図４４のタイミングチャートによる動作と同様、ＡＶデータ送信装置３ｄでは、ＡＣＫ信号を確認するための静止画像などによる信号の送信を開始するとともに、ＡＶデータ用バッファ５３６への記録動作を開始する。
【０３０３】
このようにして、ＡＶデータ送信装置３ｄでは、シーン位置を表す時刻がｔｓ１となるＡＶデータから順にＡＶデータ用バッファ５３６へ記録する。その後、時刻ｔｂでＡＶデータ用バッファ５３６への記録を開始してから時間Ｔｘが経過するまでに、時刻ｔｃ１にＡＶデータ受信装置４の受信状態が良好となるとともに、このことを時刻ｔｄ１にＡＶデータ送信装置３ｄが確認すると、ＡＶソース機器１に対して、シーン位置を表す時刻がｔｓ１＋ｔｄ１−ｔｂ（＝ｔｓ３）となるＡＶデータからの再生準備を行った状態で一時停止するように指示する。
【０３０４】
そして、ＡＶデータ送信装置３ｄは、シーン位置を表す時刻がｔｓ１となるＡＶデータのデータパケットから順にＡＶデータ用バッファ５３６よりデータパケットを読み出してＡＶデータ受信装置４に送信する。その後、時間ｔｄ１−ｔｂが経過してＡＶデータ用バッファ５３６内に格納されたＡＶデータが全て読み出されて送信されると、ＡＶソース機器１からシーン位置を表す時刻がｔｓ３以降となるＡＶデータが順にＡＶデータ送信装置３ｄに送信されて、ＡＶデータ受信装置４に送信される。
【０３０５】
又、本実施形態において、ＡＶデータ送信装置３ｄがＡＶデータの送信を行っているときも、データ生成部５０５においてＡＶソース機器１からのＡＶデータより生成したデータパケットを、ＡＶデータ用バッファ５３６に一時的に格納した後、読み出されて誤り訂正符号付加部５０６に送出されるようにしても構わない。このとき、一時停止動作に移行したとき、データ生成部５０５によるＡＶデータ用バッファ５３６からの読み出し動作が一時停止されるとともに、所定データ量までＡＶデータバッファ５３６にＡＶデータのデータパケットが格納される。そして、再生再開動作に移行するとともに、ＡＶデータバッファ５３６からのデータパケットの読み出しとＡＶソース機器１からのＡＶデータの送出を再開させることができる。
【０３０６】
更に、このようにＡＶデータの送信時においてもＡＶデータのデータパケットをＡＶデータ用バッファ５３６に格納するとき、送信したＡＶデータのデータパケットについても、設定可能な重複時間分だけＡＶデータ用バッファ５３６内に格納されるようにしても構わない。即ち、重複時間ｔｘまで設定可能であり、現在送信されているデータパケットにおけるＡＶデータのシーン位置を表す時刻がｔ１であるとき、ＡＶデータ用バッファ５３６において、図４６のように、そのＡＶデータのシーン位置を表す時刻がｔ１−ｔｘとなるデータパケットまで格納される。このようにすることで、一時停止したときのシーン位置におけるＡＶデータから重複時間ｔｘまでさかのぼったシーン位置におけるＡＶデータまでの各シーン位置から再生再開することが可能となる。
【０３０７】
又、本実施形態において、第１の実施形態のようにＡＶデータ送信装置において、ＡＶデータ受信装置の受信状態を確認するものとしたが、第２の実施形態のように、ＡＶデータ受信装置において自機器の受信状態を確認し、ＡＶデータ送信装置を通じてＡＶデータ再生の一時停止及び再生再開を指示するようにしても構わない。このとき、ＡＶデータ受信装置は、第２の実施形態と同様、図８のような構成とされるとともに、ＡＶデータ送信装置は、図４１のように、ＡＶデータ用バッファを備えた構成となる。
【０３０８】
更に、本実施形態のＡＶデータ送信装置及びＡＶデータ受信装置は、第１の実施形態のＡＶデータ無線通信におけるＡＶデータ送信装置及びＡＶデータ受信装置に基づいて説明したが、第３〜第８の実施形態のＡＶデータ無線通信システムにおけるＡＶデータ送信装置及びＡＶデータ受信装置の機能を備えるものとしても構わない。
【０３０９】
尚、第１〜第９の実施形態において、ＡＶデータ送信装置がＡＶソース機器と分離され、チューニング動作や記録媒体からのＡＶデータの読み出し動作などを行わないものとしたが、上述の各実施形態におけるＡＶデータ送信装置がＡＶソース機器の機能を備えるものとしても構わない。このとき、ＡＶデータ送信装置は、チューニング動作や記録媒体からのＡＶデータの読み出し動作などを行い、ＡＶデータを生成することができる。又、一時停止動作や再生再開動作を、このＡＶソース機器の機能に対して行うことによって、上述の各実施形態における動作を行うことができる。
【０３１０】
又、第１〜第９の実施形態において、ＡＶデータ受信装置がＡＶ再生装置と分離され、映像再生動作や音声出力動作などを行わないものとしたが、上述の各実施形態におけるＡＶデータ受信装置がＡＶ再生装置の機能を備えるものとしても構わない。このとき、ＡＶデータ受信装置は、受信して得られたＡＶデータより映像を再生するとともに、音声を出力することができる。
【０３１１】
更に、第１〜第９の実施形態において、ＡＶデータ受信装置の受信状態が悪化したときに、ＡＶデータ受信装置に対して静止画像が送信されるものとしたが、引き続きＡＶソース機器が再生動作を行うとともにＡＶソース機器から送出される再生動画をＡＶデータ送信装置が送信し続けるようにしても構わない。このとき、ＡＶデータ受信装置の受信状態が悪化したと判断されると、このときのシーン位置を表す時刻が再生再開時刻として記録される。そして、ＡＶデータ受信装置の受信状態が良好になったことが確認されたとき、記録された再生再開時刻のシーンからの再生を行うようにＡＶデータ送信装置やＡＶソース機器に指示する。尚、このとき、再生再開時刻を重複時間やエラー発生時刻によるものとしても構わない。
【０３１２】
＜第１０の実施形態＞
本発明の第１０の実施形態について、図面を参照して以下に説明する。図４７は、本実施形態におけるＡＶデータ無線通信システムの構成を示すブロック図である。尚、本実施形態では、第１又は第３〜第７又は第９の実施形態のように、ＡＶデータ送信装置において、ＡＶデータ受信装置の受信状態が確認される。即ち、第１の実施形態と同様、ＡＶデータ送信装置が図２のように構成されるとともに、ＡＶデータ受信装置が図５９のように構成される。又、以下では、第１の実施形態の構成に基づいて説明するが、第３〜第７又は第９の実施形態の構成においても、本実施形態の機能を適用することは可能である。
【０３１３】
本実施形態では、図４７のように、図２のような構成のＡＶデータ送信装置３に対して、２台の図５９のような構成のＡＶデータ受信装置４ｘ，４ｙが無線通信を行う。尚、ＡＶデータ受信装置４ｙは、図５９のような構成にＡＶ再生装置２の機能を備えるものとし、受信したＡＶデータより映像を再生表示するとともに音声出力することができる。
【０３１４】
即ち、ＡＶデータ送信装置３がＩＤ記憶部５２０に送信用ＩＤコードＡを格納するとともに、ＡＶデータ受信装置４ｘ，４ｙがそれぞれＩＤ記憶部５６０に受信用ＩＤコードＡを格納する。そのため、ＡＶデータ送信装置３においてＩＤ記憶部５２０内のＩＤコードＡで暗号化されたＡＶデータがＡＶデータ受信装置４ｘ，４ｙにおいて受信されると、ＩＤ記憶部５６０内のＩＤコードＡによってＡＶデータが暗号化解除される。よって、ＡＶデータ送信装置３とＡＶデータ受信装置４ｘ，４ｙとの間において、ＡＶデータ無線通信システムが確立される。
【０３１５】
このような構成のＡＶデータ無線通信システムにおける、ＡＶデータ送信装置３及びＡＶデータ受信装置４ｘ，４ｙの動作について、図４８のタイミングチャートを参照して説明する。まず、期間Ｔａにおいて、ＡＶデータ送信装置３がＡＶデータ受信装置４ｘから送信されるＡＶデータを正常に受信している。このとき、ＡＶデータ送信装置３は、ＡＶデータ受信装置４ｘからのＡＣＫ信号又は再送要求信号を受信し、ＡＶデータ受信装置４ｘが正常に受信動作していることを確認することができる。又、この期間では、発生する受信エラーのエラー期間が短いため、ＡＶデータの再送でＡＶ再生装置２において十分にＡＶデータの再生を正常に行うことができる。尚、ＡＶデータ受信装置４ｙは停止状態である。
【０３１６】
そして、時刻ｔａにおいて、ＡＶデータ受信装置４ｘを電源ＯＦＦして停止させると、ＡＶデータ受信装置４ｘ，４ｙのいずれからもＡＣＫ信号又は再生要求信号がＡＶデータ送信装置３で受信されない。そして、時刻ｔｂになったとき、ＡＶデータ送信装置３は、ＡＣＫ信号又は再送要求信号の受信できなかった回数が所定回数Ｘ１に達したこと、又は、所定時間Ｔ２におけるＡＣＫ信号の受信回数が所定回数Ｙ２以下となったことを確認する。よって、ＡＶデータ送信装置３は、ＡＶソース機器１を一時停止するとともに、ＡＶデータ受信装置４ｘ，４ｙのいずれかからのＡＣＫ信号を確認するため、静止画像のＡＶデータなどを含むデータ信号の送信を開始する。
【０３１７】
その後、期間Ｔｂにおいて、ＡＶデータ受信装置４ｘ，４ｙいずれも停止状態であり、ＡＶデータ送信装置３からは、静止画像のＡＶデータなどのデータ信号を送信し続けられる。そして、時刻ｔｃになったときに、ＡＶデータ受信装置４ｙが電源ＯＮとされると、ＡＶデータ送信装置３から送信されるデータ信号に対するＡＣＫ信号がＡＶデータ受信装置４ｙより送信される。よって、時刻ｔｄになると、ＡＶデータ送信装置３で、ＡＶデータ受信装置４ｙからのＡＣＫ信号の受信回数が所定値Ｙ１を超えたことが、又は、ＡＶデータ受信装置４ｙからのＡＣＫ信号の受信割合が所定割合Ｚ１を超えたことが確認される。
【０３１８】
そのため、時刻ｔｄになると、ＡＶデータ送信装置３は、ＡＶソース機器１に対して一時停止させたシーンからの再生動作を再開させるとともに、一時停止させたシーン以降のＡＶデータをＡＶデータ受信装置４ｙに送信する。このように、ＡＶデータ受信装置４ｙへＡＶデータを送信することで、再生動作を再開させた後、期間Ｔｃの間、ＡＶデータ受信装置４ｙが正常に通信可能な状態であるとき、期間Ｔａのときと同様、ＡＶデータ送信装置３から送信されるＡＶデータに対してＡＶデータ受信装置４ｙからＡＣＫ信号又は再生要求信号が送信される。
【０３１９】
そして、時刻ｔｅになったときに、ＡＶデータ受信装置４ｙを電源ＯＦＦして停止させると、ＡＶデータ送信装置３は、時刻ｔｆに、ＡＣＫ信号又は再送要求信号の受信できなかった回数が所定回数Ｘ１に達したこと、又は、所定時間Ｔ２におけるＡＣＫ信号の受信回数が所定回数Ｙ２以下となったことを確認する。よって、時刻ｔｆになると、ＡＶデータ送信装置３は、ＡＶソース機器１を一時停止とするとともに、静止画像のＡＶデータなどのデータ信号を送信する。
【０３２０】
その後、期間Ｔｄにおいて、ＡＶデータ受信装置４ｘ，４ｙのいずれも電源ＯＮとされず、ＡＶデータ送信装置３が、所定時間Ｔが経過するまで、ＡＶデータ受信装置４ｘ，４ｙのいずれからのＡＣＫ信号の受信を確認することがなく、ＡＣＫ信号の受信回数が所定回数Ｙ１に、又は、ＡＣＫ信号の受信割合が所定割合Ｚ１に、それぞれ達しなかったとき、ＡＶソース機器１の動作を停止させる。このとき、静止画像のＡＶデータなどのデータ信号の送信動作も停止する。
【０３２１】
本実施形態のように構成することによって、同一のＡＶデータ送信装置３に対して通信許可された複数台のＡＶデータ受信装置４の間で、第１の実施形態と同様の動作を行うことができる。即ち、受信動作を行っているＡＶデータ受信装置４が通信不可能な状態となると、ＡＶソース機器１を一時停止とし、その後、複数台のＡＶデータ受信装置４のうちの１台が受信可能な状態となると、ＡＶソース機器１での一時停止が解除されて再生動作が再開される。
【０３２２】
尚、本実施形態において、第３の実施形態のように構成することで、一時停止動作及び再生再開動作を切り換えるための判定値を変更することができる。又、第４又は第６の実施形態のように構成することで、再生再開時刻に対する重複時間を設定することができる。又、第５の実施形態のように構成することで、一時停止時に記録したＡＶデータに対して時間制限を与えることができる。又、第６の実施形態のように構成することで、一時停止を指示したユーザであるか否かを確認して再生再開を許可することができる。又、第７の実施形態のように構成することで、ＡＶデータ受信装置での受信エラー発生時を再生再開時刻に設定することができる。又、第９の実施形態のように構成することで、ＡＶデータ送信装置に備えられたバッファにデータ信号を格納することができ、再生再開時にＡＶソース機器が起動するまで待機する必要がなくなる。
【０３２３】
＜第１１の実施形態＞
本発明の第１１の実施形態について、図面を参照して以下に説明する。図４９は、本実施形態におけるＡＶデータ無線通信システムの構成を示すブロック図である。尚、本実施形態では、第２〜第６又は第８又は第９の実施形態のように、ＡＶデータ受信装置において自機器の受信状態が確認される。即ち、第２の実施形態と同様、ＡＶデータ送信装置が図５８のように構成されるとともに、ＡＶデータ受信装置が図８のように構成される。又、以下では、第２の実施形態の構成に基づいて説明するが、第３〜第６又は第８又は第９の実施形態の構成においても、本実施形態の機能を適用することは可能である。
【０３２４】
本実施形態では、図４９のように、図５８のような構成のＡＶデータ送信装置３ａに対して、２台の図８のような構成のＡＶデータ受信装置４ｐ，４ｑが無線通信を行う。尚、ＡＶデータ受信装置４ｑは、図５９のような構成にＡＶ再生装置２の機能を備えるものとし、受信したＡＶデータより映像を再生表示するとともに音声出力することができる。
【０３２５】
即ち、ＡＶデータ送信装置３ａがＩＤ記憶部５２０に送信用ＩＤコードＡを格納するとともに、ＡＶデータ受信装置４ｐ，４ｑがそれぞれＩＤ記憶部５６０に受信用ＩＤコードＡを格納する。そのため、ＡＶデータ送信装置３ａにおいてＩＤ記憶部５２０内のＩＤコードＡで暗号化されたＡＶデータがＡＶデータ受信装置４ｐ，４ｑにおいて受信されると、ＩＤ記憶部５６０内のＩＤコードＡによってＡＶデータが暗号化解除される。よって、ＡＶデータ送信装置３ａとＡＶデータ受信装置４ｐ，４ｑとの間において、ＡＶデータ無線通信が確立される。
【０３２６】
このような構成のＡＶデータ無線通信システムにおける、ＡＶデータ送信装置３ａ及びＡＶデータ受信装置４ｐ，４ｑの動作について、図５０のタイミングチャートを参照して説明する。まず、期間Ｔａにおいて、ＡＶデータ送信装置３ａがＡＶデータ受信装置４ｐから送信されるＡＶデータを正常に受信している。このとき、ＡＶデータ受信装置４ｐは、受信エラー又は音声エラーが所定回数Ｐ１以上連続して発生することがなく、正常に受信動作していることを確認する。即ち、この期間では、発生する受信エラーのエラー期間が短いため、ＡＶデータの再送でＡＶ再生装置２において十分にＡＶデータの再生を正常に行うことができる。尚、ＡＶデータ受信装置４ｑは停止状態である。
【０３２７】
そして、時刻ｔａにおいて、ＡＶデータ受信装置４ｐを電源ＯＦＦして停止させると、ＡＶデータ受信装置４ｐは、ＡＶソース機器１を一時停止とするための機器操作用データを送信する。よって、ＡＶデータ送信装置３ａは、この機器操作用データを受信し、ＡＶソース機器１を一時停止とするとともに、静止画像のＡＶデータなどを含むデータ信号の送信を開始する。
【０３２８】
その後、期間Ｔｂにおいて、ＡＶデータ受信装置４ｐ，４ｑいずれも停止状態であり、ＡＶデータ送信装置３ａからは、静止画像のＡＶデータなどのデータ信号を送信し続けられる。そして、時刻ｔｃになったときに、ＡＶデータ受信装置４ｑが電源ＯＮとされると、ＡＶデータ送信装置３ａから送信されるデータ信号に対する受信動作が行われる。その後、時刻ｔｄになると、ＡＶデータ受信装置４ｑで、ＡＶデータ送信装置３ａからのデータ信号に対する正常に受信し、ＡＣＫ信号の送信回数が所定値Ｑ１を超えたことが確認されると、ＡＶソース機器１に対して一時停止させたシーンからの再生動作を再開させるための機器操作用データを送信する。
【０３２９】
この機器操作用データを受信したＡＶデータ送信装置３ａは、ＡＶソース機器１の再生動作を再開させるとともに、一時停止させたシーン以降のＡＶデータの送信を再開する。このように、ＡＶデータの送信を再開することで、再生動作を再開させた後、期間Ｔｃの間、ＡＶデータ受信装置４ｑが正常に通信可能な状態であるとき、期間Ｔａのときと同様、ＡＶデータ送信装置３ａから送信されるＡＶデータに対してＡＣＫ信号又は再生要求信号を送信する。
【０３３０】
そして、時刻ｔｅになったときに、ＡＶデータ受信装置４ｑが電源ＯＦＦされると、ＡＶデータ受信装置４ｑは、ＡＶデータ送信装置３ａに対して、ＡＶソース機器１を一時停止とするための機器操作用データを送信する。よって、この機器操作用データを受信したＡＶデータ送信装置３ａは、ＡＶソース機器１を一時停止とするとともに、静止画像のＡＶデータなどのデータ信号を送信する。
【０３３１】
本実施形態のように構成することによって、同一のＡＶデータ送信装置３ａに対して通信許可された複数台のＡＶデータ受信装置４ａの間で、第２の実施形態と同様の動作を行うことができる。即ち、受信動作を行っているＡＶデータ受信装置４ａが電源ＯＦＦとなると、ＡＶソース機器１を一時停止とし、その後、複数台のＡＶデータ受信装置４ａのうちの１台が受信可能な状態となると、ＡＶソース機器１での一時停止が解除されて再生動作が再開される。尚、電源ＯＦＦとなった場合のみでなく、通信伝送路の状態が悪く、無線通信が不可能となった場合にも一時停止動作が行われる。
【０３３２】
尚、本実施形態において、第３の実施形態のように構成することで、一時停止動作及び再生再開動作を切り換えるための判定値を変更することができる。又、第４又は第６の実施形態のように構成することで、再生再開時刻に対する重複時間を設定することができる。又、第５の実施形態のように構成することで、一時停止時に記録したＡＶデータに対して時間制限を与えることができる。又、第６の実施形態のように構成することで、一時停止を指示したユーザであるか否かを確認して再生再開を許可することができる。又、第８の実施形態のように構成することで、ＡＶデータ受信装置での受信エラー発生時を再生再開時刻に設定することができる。又、第９の実施形態のように構成することで、ＡＶデータ送信装置に備えられたバッファにデータ信号を格納することができ、再生再開時にＡＶソース機器が起動するまで待機する必要がなくなる。
【０３３３】
＜第１２の実施形態＞
本発明の第１２の実施形態について、図面を参照して以下に説明する。尚、本実施形態では、第１又は第３〜第７又は第９の実施形態のように、ＡＶデータ送信装置において、ＡＶデータ受信装置の受信状態が確認される。即ち、第１の実施形態と同様、ＡＶデータ送信装置が図２のように構成されるとともに、ＡＶデータ受信装置が図５９のように構成される。又、以下では、第１の実施形態の構成に基づいて説明するが、第３〜第７又は第９の実施形態の構成においても、本実施形態の機能を適用することは可能である。又、以下の各実施形態において、上述の各実施形態のようにＡＶデータ受信装置４の受信状態に応じてＡＶデータ再生を一時停止又は再生再開する機能を「受信状態対応動作制御機能」と呼ぶ。
【０３３４】
図５１（ａ）のようなＡＶデータ送信装置３とＡＶデータ受信装置４ｘとによるＡＶデータ無線通信システムにおいて、この受信状態対応動作制御機能を行うようにＡＶデータ送信装置３が設定され、ＡＶデータ受信装置４ｘの受信状態をＡＶデータ送信装置３が確認する。このとき、ＡＶデータ送信装置３は、ＡＶデータ受信装置４ｘの受信状態に応じてＡＶデータの再生を一時停止又は再開する。
【０３３５】
このとき、図５１（ｂ）のように、ＡＶデータ受信装置４ｙよりＡＶデータ送信装置３に対して、ＡＶデータの送信を要求する信号が送信されると、ＡＶデータ送信装置３では、この信号を受信して、ＡＶデータ受信装置４ｙがＡＶデータの送信要求を行っていることを確認する。更に、図２のＡＶデータ送信装置３において不図示であるが、受信状況解析部５３０よりデータ生成部５０５に対して、制御信号が与えられる。
【０３３６】
このように、ＡＶデータ送信装置３及びＡＶデータ受信装置４ｘにおいて１対１の関係でＡＶデータ無線通信が行われているとき、他のＡＶデータ受信装置４ｙからの通信要求が行われたときのＡＶデータ送信装置３における動作を図５２のフローチャートを参照して説明する。このように、ＡＶデータ送信装置３が、ＡＶデータ受信装置４ｘと１対１でＡＶデータ無線通信を行っているとき、ＡＶデータ受信装置４ｘ以外のＡＶデータ受信装置４（図５１におけるＡＶデータ受信装置４ｙ）からのＡＶデータを送信要求する信号を受信したか否かをデータ解析部５１３で確認する（ＳＴＥＰ１００１）。
【０３３７】
このとき、図５１（ｂ）のように、ＡＶデータ受信装置４ｙからのＡＶデータの送信要求を行う信号を受信したことをＡＶデータ送信装置３が確認すると（Ｙｅｓ）、受信状態対応動作制御機能が設定されているか否かが受信状況解析部５３０で確認する（ＳＴＥＰ１００２）。尚、この受信状態対応動作制御機能は、複数のＡＶデータ受信装置４とＡＶデータ無線通信を行うときに使用するか否かについて設定されるとともに、この受信状態対応動作制御機能を使用する場合は、いずれのＡＶデータ受信装置４の受信状態を基準とするか設定される。
【０３３８】
このとき、受信状態対応動作制御機能を使用するように設定されていることが確認されると（Ｙｅｓ）、受信状態対応動作制御機能をＯＮとする（ＳＴＥＰ１００３）。そして、１対１でのＡＶデータ無線通信が設定されているか否かが受信状況解析部５３０で確認される（ＳＴＥＰ１００４）。このとき、１対１でのＡＶデータ無線通信が設定されている場合（Ｙｅｓ）、現在ＡＶデータ無線通信を行っているＡＶデータ受信装置４（図５１におけるＡＶデータ受信装置４ｘ）以外のＡＶデータ受信装置４への遷移することを許可しているか否かが確認される（ＳＴＥＰ１００５）。
【０３３９】
そして、ＳＴＥＰ１００５において、他のＡＶデータ受信装置４に対してＡＶデータ無線通信が許可されていないことが確認されると（Ｎｏ）、ＡＶデータ無線通信を行えないことを通知する信号をデータ生成部５０５で生成して、ＳＴＥＰ１００１でＡＶデータの送信要求を行ったＡＶデータ受信装置４（図５１におけるＡＶデータ受信装置４ｙ）に対して送信する（ＳＴＥＰ１００６）。よって、このとき、図５１（ａ）のように、ＡＶデータ送信装置３とＡＶデータ受信装置４ｘとの間でのみＡＶデータ無線通信が行われる。
【０３４０】
そして、ＳＴＥＰ１００５において、他のＡＶデータ受信装置４に対してＡＶデータ無線通信が許可されていることが確認されると（Ｙｅｓ）、電源ＯＦＦを指示するための信号をデータ生成部５０５で生成して、現在ＡＶデータ無線通信を行っているＡＶデータ受信装置４（図５１におけるＡＶデータ受信装置４ｘ）に対して送信する（ＳＴＥＰ１００７）。よって、このとき、図５１（ｃ）のように、ＡＶデータ送信装置３とＡＶデータ受信装置４ｙとの間でのみＡＶデータ無線通信が行われる。
【０３４１】
又、ＳＴＥＰ１００４において、１対１でのＡＶデータ無線通信が設定されていない場合（Ｎｏ）、受信状態対応動作制御機能を使用する際に基準とするＡＶデータ受信装置４を受信状況解析部５３０で確認すると、データ生成部５０５に対して、その受信状態が基準とされるＡＶデータ受信装置４を通知するための信号を生成させて、ＡＶデータ無線通信を行う全てのＡＶデータ受信装置４に送信する（ＳＴＥＰ１００８）。そして、受信状態対応動作制御機能を使用するＡＶデータ無線通信を複数のＡＶデータ受信装置とともに行う。
【０３４２】
即ち、ＡＶデータ受信装置４ｘ，４ｙとＡＶデータ無線通信を行うとき、ＡＶデータ受信装置４ｘの受信状態を基準として受信状態対応動作制御機能をＯＮとする場合、ＡＶデータ送信装置３は、まず、ＡＶデータ受信装置４ｘ，４ｙに対して、ＡＶデータ受信装置４ｘの受信状態を基準とすることを通知する。そして、ＡＶデータ受信装置４ｘの受信状態が良好な場合は、図５１（ｄ）のように、ＡＶデータ受信装置４ｘ，４ｙのそれぞれに再生するＡＶデータが送信される。又、ＡＶデータ受信装置４ｘの受信状態が悪化すると、図５１（ｅ）のように、ＡＶデータの再生を一時停止するとともに、ＡＶデータ受信装置４ｘ，４ｙのそれぞれにＡＶデータ受信装置４ｘの受信状態を確認するための静止画像などによる信号を送信する。
【０３４３】
又、ＳＴＥＰ１００２において受信状態対応動作制御機能を使用しないように設定されていることが確認されると（Ｎｏ）、受信状態対応動作制御機能をＯＦＦとする（ＳＴＥＰ１００９）。そして、受信状態対応動作制御機能を使用しない通常のＡＶデータ無線通信を複数のＡＶデータ受信装置とともに行う。
【０３４４】
即ち、ＡＶデータ受信装置４ｘ，４ｙとＡＶデータ無線通信を行うとき、ＡＶデータ受信装置４ｘの受信状態が良好な場合は、図５１（ｄ）のように、ＡＶデータ受信装置４ｘ，４ｙのそれぞれに再生するＡＶデータが送信される。又、ＡＶデータ受信装置４ｘの受信状態が悪化しても、図５１（ｆ）のように、ＡＶデータの再生を一時停止せずに、再生するＡＶデータがＡＶデータ受信装置４ｘ，４ｙのそれぞれに送信される。
【０３４５】
又、ＳＴＥＰ１００１において、他のＡＶデータ受信装置４からのＡＶデータの送信要求が確認されなかったときは（Ｎｏ）、再び、ＳＴＥＰ１００１に戻って、他のＡＶデータ受信装置４からの送信要求が有るか否かを確認する。
【０３４６】
又、図５３（ａ）のように、ＡＶデータ送信装置３がＡＶデータ受信装置４ｘ〜４ｚとともに、受信状態対応動作制御機能を使用しない通常のＡＶデータ無線通信を行っているとき、図５３（ｂ）のように、ＡＶデータ受信装置４ｘが受信状態対応動作制御機能を使用するＡＶデータ無線通信を要求することができる。このときの動作について、図５４のフローチャートを参照して説明する。
【０３４７】
このように、ＡＶデータ送信装置３が、複数のＡＶデータ受信装置４（ＡＶデータ受信装置４ｘ〜４ｚ）と通常のＡＶデータ無線通信を行っているとき、ＡＶデータ受信装置４から、受信状態対応動作制御機能を使用することを要求する信号を受信したか否かをデータ解析部５１３で確認する（ＳＴＥＰ１０１０）。このとき、受信状態対応動作制御機能を使用することが要求されると（Ｙｅｓ）、１対１でのＡＶデータ無線通信が要求されているか否かが確認される（ＳＴＥＰ１０１１）。
【０３４８】
このとき、１対１でのＡＶデータ無線通信が設定されている場合（Ｙｅｓ）、電源ＯＦＦを指示するための信号をデータ生成部５０５で生成して、ＳＴＥＰ１０１０で受信状態対応動作制御機能を使用することを要求しているＡＶデータ受信装置４（図５３のＡＶデータ受信装置４ｘ）以外のＡＶデータ受信装置４全て（図５３のＡＶデータ受信装置４ｙ，４ｚ）に対して送信する（ＳＴＥＰ１０１２）。即ち、図５３（ｂ）のように、ＡＶデータ受信装置４ｘが受信状態対応動作制御機能の使用を要求すると、図５３（ｃ）のように、ＡＶデータ受信装置４ｙ，４ｚが電源ＯＦＦとされて、ＡＶデータ送信装置３とＡＶデータ受信装置４ｘとの間でのみＡＶデータ無線通信が行われる。
【０３４９】
又、ＳＴＥＰ１０１１において、１対１でのＡＶデータ無線通信が設定されていない場合（Ｎｏ）、受信状態対応動作制御機能を使用する際に基準とするＡＶデータ受信装置４をＳＴＥＰ１０１０で受信状態対応動作制御機能を使用することを要求しているＡＶデータ受信装置４（図５３のＡＶデータ受信装置４ｘ）とする。そして、データ生成部５０５でその受信状態が基準とされるＡＶデータ受信装置４を通知するための信号を生成し、ＡＶデータ無線通信を行う全てのＡＶデータ受信装置４に送信する（ＳＴＥＰ１０１３）。その後、受信状態対応動作制御機能を使用するＡＶデータ無線通信を複数のＡＶデータ受信装置とともに行う。
【０３５０】
即ち、図５３（ｂ）のように、ＡＶデータ受信装置４ｘが受信状態対応動作制御機能の使用を要求すると、ＡＶデータ送信装置３は、まず、ＡＶデータ受信装置４ｘ〜４ｚに対して、ＡＶデータ受信装置４ｘの受信状態を基準とすることを通知する。そして、ＡＶデータ受信装置４ｘの受信状態が良好な場合は、図５３（ａ）のように、ＡＶデータ受信装置４ｘ〜４ｚのそれぞれに再生するＡＶデータが送信される。又、ＡＶデータ受信装置４ｘの受信状態が悪化すると、図５１（ｄ）のように、ＡＶデータの再生を一時停止するとともに、ＡＶデータ受信装置４ｘ〜４ｚのそれぞれにＡＶデータ受信装置４ｘの受信状態を確認するための静止画像などによる信号を送信する。
【０３５１】
＜第１３の実施形態＞
本発明の第１３の実施形態について、図面を参照して以下に説明する。尚、本実施形態では、第２〜第６又は第８又は第９の実施形態のように、ＡＶデータ受信装置において自機器の受信状態が確認される。即ち、第２の実施形態と同様、ＡＶデータ送信装置が図５８のように構成されるとともに、ＡＶデータ受信装置が図８のように構成される。又、以下では、第２の実施形態の構成に基づいて説明するが、第３〜第６又は第８又は第９の実施形態の構成においても、本実施形態の機能を適用することは可能である。
【０３５２】
本実施形態では、図５５（ａ）のように、ＡＶデータ送信装置３ａとＡＶデータ受信装置４ｐとがＡＶデータ無線通信を行っているときに、図５５（ｂ）のように、ＡＶデータ受信装置４ｑがＡＶデータの送信要求を行う際、ＡＶデータ受信装置４ｑは受信状態による一時停止機能の使用の可否についてもＡＶデータ送信装置３ａに通知する。このとき、ＡＶデータ送信装置３ａでは、図５６のフローチャートに従って動作する。
【０３５３】
第１２の実施形態と同様、現在ＡＶデータ無線通信中のＡＶデータ受信装置４ａ（図５５のＡＶデータ受信装置４ｐ）以外のＡＶデータ受信装置４ａからのＡＶデータの送信要求が有るか否かが確認されると、受信状態対応動作制御機能を使用するか否かを確認する（ＳＴＥＰ１００１，ＳＴＥＰ１００２）。そして、受信状態対応動作制御機能を使用しないことが確認されると、ＡＶデータ無線通信を行う全てのＡＶデータ受信装置４ａに対して、受信状態対応動作制御機能をＯＦＦとするように指示する（ＳＴＥＰ１０２９）。尚、ＳＴＥＰ１００２で確認される受信状態対応動作制御機能の使用の可否、及び、後述する１対１でのＡＶデータ無線通信の可否は、ＡＶデータ送信装置３ａに対して設定されて記憶される。尚、本実施形態では受信状態対応動作制御機能の使用の可否設定などがＡＶデータ送信装置３ａで設定されているものとしているが、ＡＶデータ受信装置４ａからの指定で変更するようにしても構わない。
【０３５４】
又、ＳＴＥＰ１００２において、受信状態対応動作制御機能を使用することが確認されると、１対１でのＡＶデータ無線通信を行うことを確認する（ＳＴＥＰ１００４）。このとき、１対１でのＡＶデータ無線通信を行うことが確認されると、第１２の実施形態と同様、ＳＴＥＰ１００５〜ＳＴＥＰ１００７の動作を行う。このとき、ＳＴＥＰ１００６では、ＳＴＥＰ１００１で送信要求したＡＶデータ受信装置４ａ（図５５のＡＶデータ受信装置４ｑ）に対して受信動作対応動作制御機能をＯＮとするように指示し、又、ＳＴＥＰ１００７では、現在ＡＶデータ無線通信を行っているＡＶデータ受信装置４ａ（図５５のＡＶデータ受信装置４ｐ）に対して受信状態対応動作制御機能をＯＮとするように指示する。
【０３５５】
又、ＳＴＥＰ１００４において、１対複数でのＡＶデータ無線通信が許可されていることが確認されると、第１２の実施形態と同様、その受信状態が基準とされるＡＶデータ受信装置４ａがＡＶデータ無線通信を行うＡＶデータ受信装置４ａ全てに送信される（ＳＴＥＰ１００８）。このとき、その受信状態が基準とされるＡＶデータ受信装置４ａに対しては、受信状態対応動作制御機能をＯＮするように指示し、又、その受信状態が基準とされないＡＶデータ受信装置４ａに対しては、受信状態対応動作制御機能をＯＦＦするように指示する。
【０３５６】
即ち、図５５（ｃ）のように、ＡＶデータ受信装置４ｐの受信状態が基準とされるとき、ＡＶデータ受信装置４ｐにおける受信状態対応動作制御機能をＯＮとするとともに、ＡＶデータ受信装置４ｑにおける受信状態対応動作制御機能をＯＦＦとする。
【０３５７】
又、複数のＡＶデータ受信装置４ａと既にＡＶデータ無線通信が行われているとき、１つのＡＶデータ受信装置４ａより、受信状態対応動作制御機能を行うことが要求されると、第１２の実施形態と同様、図５４のフローチャートに従った動作がＡＶデータ送信装置３ａで行われる。このとき、ＳＴＥＰ１０１３で受信状態が基準とされるＡＶデータ受信装置４ａが通知されるときに、受信状態が基準とされないＡＶデータ受信装置４ａにおける受信状態対応動作制御機能をＯＦＦとする。
【０３５８】
本実施形態において、上述のように、ＡＶデータ送信装置３ａにおいて、受信状態対応動作制御機能の設定が行われるものとしたが、ＡＶデータ受信装置４ａにおいて、受信状態対応動作制御機能の設定が行われるものとしても構わない。このとき、受信状態対応動作制御機能をＯＮとするとき、ＡＶデータ受信装置４ａから自機器の受信状態を基準とすることを、ＡＶデータ送信装置３ａとＡＶデータ通信を行う自機器以外のＡＶデータ受信装置４ａに対して、直接又はＡＶデータ送信装置３ａを通じて通知する。
【０３５９】
よって、自機器以外のＡＶデータ受信装置４ａは、受信状態対応動作制御機能をＯＦＦとする。又、１対１でのＡＶデータ通信を行う場合、ＡＶデータ送信装置３ａとＡＶデータ通信を行う自機器以外のＡＶデータ受信装置４ａに対して、電源ＯＦＦとするように、直接又はＡＶデータ送信装置３ａを通じて通知する。
【０３６０】
上述の各実施形態について、ＡＶデータにおける無線通信システムに基づいて説明を行ったが、ＡＶデータに限らず、時系列的に送信されるデータに対する通信システムにおいても適用しても構わない。更に、無線通信システムに限らず、有線の通信システムにおいても適用しても構わない。
【０３６１】
【発明の効果】
本発明によると、データ受信装置の受信状態の悪化や電源の不意な遮断などの原因にかかわらず、データ送信装置とデータ受信装置との通信が中断されたときに、このときのデータ信号のデータ位置を記録することができるとともに、再び、データ送信装置とデータ受信装置とが通信接続されると、記録したデータ位置からデータ信号の生成動作及び送信動作を再開することができる。又、データ送信装置とデータ受信装置との通信が中断されたときに、データ信号の生成動作及び送信動作を一時停止させることができるとともに、再び、データ送信装置とデータ受信装置とが通信接続されると、一時停止したデータ位置からデータ信号の生成動作及び送信動作を再開することができる。又、このとき、重複時間を設定することができるため、例えば、ＡＶデータによるデータ信号の生成動作及び送信動作を再開したときに、視聴者がコンテンツの内容を容易に把握することができる。
【０３６２】
又、一時停止した複数のコンテンツの再生再開データ位置から選択可能とすることにより、所望のコンテンツを視聴者の好みの時間に視聴することができる。更に、一時停止した再生再開データ位置を視聴可能なユーザとともに格納するため、再生再開するコンテンツが視聴可能なユーザを限定することができる。更に、エラー発生データ位置を再生再開データ位置とすることができるので、エラー発生後、ユーザが再度エラーなく再生することを所望するエラー発生データ位置を、容易に指定することができる。更に、データ送信装置とデータ受信装置との通信が中断されたときに、生成されたデータ信号をバッファに一時的に記録するとともに、再び、データ送信装置とデータ受信装置とが通信接続されると、バッファに記録されたデータ信号より送信することができるため、ソースなどが再起動するためにかかる待機時間を必要とせず、データ送信装置とデータ受信装置との間で通信を再開することができる。
【図面の簡単な説明】
【図１】本発明のＡＶデータ無線通信システムを説明するための図。
【図２】本発明のＡＶデータ送信装置の内部構成を示すブロック図。
【図３】第１の実施形態のＡＶデータ送信装置の動作例を示すフローチャート。
【図４】第１の実施形態のＡＶデータ送信装置の別の動作例を示すフローチャート。
【図５】第１の実施形態のＡＶデータ送信装置の一時停止移行時における動作例を示すフローチャート。
【図６】第１の実施形態のＡＶデータ送信装置及びＡＶデータ受信装置の動作例を示すタイムチャート。
【図７】本発明の別のＡＶデータ無線通信システムを説明するための図。
【図８】本発明のＡＶデータ受信装置の内部構成を示すブロック図。
【図９】第２の実施形態のＡＶデータ受信装置の動作例を示すフローチャート。
【図１０】第２の実施形態のＡＶデータ受信装置の別の動作例を示すフローチャート。
【図１１】第２の実施形態のＡＶデータ受信装置及びＡＶデータ受信装置の動作例を示すタイムチャート。
【図１２】第３の実施形態のＡＶデータ送信装置の内部構成を示すブロック図。
【図１３】第３の実施形態のＡＶデータ受信装置の内部構成を示すブロック図。
【図１４】第４の実施形態のＡＶデータ送信装置の動作例を示すフローチャート。
【図１５】第４の実施形態のＡＶデータ送信装置の別の動作例を示すフローチャート。
【図１６】第４の実施形態のＡＶデータ送信装置の再生再開移行時における動作例を示すフローチャート。
【図１７】現在時刻までの時間差と重複時間との関係を示す図。
【図１８】第４の実施形態のＡＶデータ受信装置の動作例を示すフローチャート。
【図１９】第４の実施形態のＡＶデータ受信装置の別の動作例を示すフローチャート。
【図２０】一時停止移行後のＡＶデータ送信装置又はＡＶデータ受信装置の動作例を示すフローチャート。
【図２１】第６の実施形態のＡＶデータ送信装置の内部構成を示すブロック図。
【図２２】再生再開移行後のＡＶデータ送信装置の動作例を示すフローチャート。
【図２３】第６の実施形態におけるＡＶ再生装置の表示例。
【図２４】再生再開移行後のＡＶデータ送信装置の別の動作例を示すフローチャート。
【図２５】第６の実施形態のＡＶデータ受信装置の内部構成を示すブロック図。
【図２６】第７の実施形態のＡＶデータ送信装置におけるエラー発生期間の登録動作の一例を示すフローチャート。
【図２７】第７の実施形態のＡＶデータ送信装置におけるエラー発生期間の登録動作の別例を示すフローチャート。
【図２８】第７の実施形態のＡＶデータ送信装置におけるエラー発生期間の登録削除動作の一例を示すフローチャート。
【図２９】第７の実施形態のＡＶデータ送信装置におけるエラー発生期間の登録動作の別例を示すフローチャート。
【図３０】第７の実施形態のＡＶデータ送信装置におけるエラー発生期間の登録動作の別例を示すフローチャート。
【図３１】第８の実施形態のＡＶデータ受信装置におけるエラー発生期間の登録動作の一例を示すフローチャート。
【図３２】第８の実施形態のＡＶデータ受信装置におけるエラー発生期間の登録動作の別例を示すフローチャート。
【図３３】第８の実施形態のＡＶデータ受信装置におけるエラー発生期間の選択表示動作の一例を示すフローチャート。
【図３４】第８の実施形態のＡＶデータ受信装置におけるエラー発生期間の選択表示動作の別例を示すフローチャート。
【図３５】第８の実施形態のＡＶデータ受信装置におけるエラー発生期間の選択表示動作の別例を示すフローチャート。
【図３６】第８の実施形態におけるＡＶ再生装置の表示例。
【図３７】第８の実施形態のＡＶデータ受信装置におけるエラー発生期間の登録動作の別例を示すフローチャート。
【図３８】第８の実施形態のＡＶデータ受信装置におけるエラー発生期間の登録動作の別例を示すフローチャート。
【図３９】第８の実施形態のＡＶデータ受信装置におけるエラー発生期間の選択表示動作の別例を示すフローチャート。
【図４０】第８の実施形態のＡＶデータ受信装置におけるエラー発生期間の選択表示動作の別例を示すフローチャート。
【図４１】第９の実施形態のＡＶデータ送信装置の内部構成を示すブロック図。
【図４２】第９の実施形態のＡＶデータ送信装置における一時停止時の動作を示すフローチャート。
【図４３】第９の実施形態のＡＶデータ送信装置における再生再開時の動作を示すフローチャート。
【図４４】第９の実施形態のＡＶデータ送信装置及びＡＶデータ受信装置及びＡＶソース機器の動作例を示すタイムチャート。
【図４５】第９の実施形態のＡＶデータ送信装置及びＡＶデータ受信装置及びＡＶソース機器の動作の別例を示すタイムチャート。
【図４６】ＡＶデータ用パケットの記録状態の例を示す図。
【図４７】第１０の実施形態のＡＶデータ無線通信システムを説明するための図。
【図４８】第１０の実施形態のＡＶデータ送信装置及びＡＶデータ受信装置の動作例を示すタイムチャート。
【図４９】第１１の実施形態のＡＶデータ無線通信システムを説明するための図。
【図５０】第１１の実施形態のＡＶデータ送信装置及びＡＶデータ受信装置の動作例を示すタイムチャート。
【図５１】第１２の実施形態のＡＶデータ無線通信システムを説明するための図。
【図５２】第１２の実施形態のＡＶデータ送信装置における送信機能の設定動作を示すフローチャート。
【図５３】第１２の実施形態のＡＶデータ無線通信システムを説明するための図。
【図５４】第１２の実施形態のＡＶデータ送信装置における送信機能の設定動作を示すフローチャート。
【図５５】第１３の実施形態のＡＶデータ無線通信システムを説明するための図。
【図５６】第１３の実施形態のＡＶデータ送信装置における送信機能の設定動作を示すフローチャート。
【図５７】従来のＡＶデータ無線通信システムを説明するための図。
【図５８】従来のＡＶデータ送信装置の内部構成を示すブロック図。
【図５９】従来のＡＶデータ受信装置の内部構成を示すブロック図。
【符号の説明】
１    ＡＶソース機器
２    ＡＶ再生装置
３，３ａ〜３ｄ，３ｐ，３ｑ，３ｘ    ＡＶデータ送信装置
４，４ａ〜４ｃ，４ｐ，４ｑ，４ｘ，４ｙ    ＡＶデータ受信装置
【図１】
2004336090.tif 000003
【図２】
2004336090.tif 000004
【図３】
2004336090.tif 000005
【図４】
2004336090.tif 000006
【図５】
2004336090.tif 000007
【図６】
2004336090.tif 000008
【図７】
2004336090.tif 000009
【図８】
2004336090.tif 000010
【図９】
2004336090.tif 000011
【図１０】
2004336090.tif 000012
【図１１】
2004336090.tif 000013
【図１２】
2004336090.tif 000014
【図１３】
2004336090.tif 000015
【図１４】
2004336090.tif 000016
【図１５】
2004336090.tif 000017
【図１６】
2004336090.tif 000018
【図１７】
2004336090.tif 000019
【図１８】
2004336090.tif 000020
【図１９】
2004336090.tif 000021
【図２０】
2004336090.tif 000022
【図２１】
2004336090.tif 000023
【図２２】
2004336090.tif 000024
【図２３】
2004336090.tif 000025
【図２４】
2004336090.tif 000026
【図２５】
2004336090.tif 000027
【図２６】
2004336090.tif 000028
【図２７】
2004336090.tif 000029
【図２８】
2004336090.tif 000030
【図２９】
2004336090.tif 000031
【図３０】
2004336090.tif 000032
【図３１】
2004336090.tif 000033
【図３２】
2004336090.tif 000034
【図３３】
2004336090.tif 000035
【図３４】
2004336090.tif 000036
【図３５】
2004336090.tif 000037
【図３６】
2004336090.tif 000038
【図３７】
2004336090.tif 000039
【図３８】
2004336090.tif 000040
【図３９】
2004336090.tif 000041
【図４０】
2004336090.tif 000042
【図４１】
2004336090.tif 000043
【図４２】
2004336090.tif 000044
【図４３】
2004336090.tif 000045
【図４４】
2004336090.tif 000046
【図４５】
2004336090.tif 000047
【図４６】
2004336090.tif 000048
【図４７】
2004336090.tif 000049
【図４８】
2004336090.tif 000050
【図４９】
2004336090.tif 000051
【図５０】
2004336090.tif 000052
【図５１】
2004336090.tif 000053
【図５２】
2004336090.tif 000054
【図５３】
2004336090.tif 000055
【図５４】
2004336090.tif 000056
【図５５】
2004336090.tif 000057
【図５６】
2004336090.tif 000058
【図５７】
2004336090.tif 000059
【図５８】
2004336090.tif 000060
【図５９】
2004336090.tif 000061